(57)【要約】【課題】層間迷光による影響を低減しつつ、光ディスク上の記録トラックに予め設定されているプリフォーマット信号を安定して検出することができる光ディスク装置、光ピックアップ、プリフォーマット信号生成方法及びプログラムを提供する。【解決手段】光ディスク装置１は、反射光ビームＬＲをホログラム素子１７により回折させ、１次光のうち反射光ビームＬＲ１Ａ及びＬＲ１Ｂをそれぞれ縦方向へ回折させて受光部Ｄ２の受光領域Ｄ２Ａ及びＤ２Ｂによりそれぞれ受光して受光信号Ｓ２Ａ及びＳ２Ｂを生成し、信号処理部４により、受光信号Ｓ２Ａ及びＳ２Ｂに基づきプリフォーマット信号ＳＷＢＬ１を生成する。従って、複数の記録層Ｙからの層間迷光ビームＬＮによる迷光パターンＷの影響を排除したプリフォーマット信号ＳＷＢＬ１を生成できる。【選択図】図７
2010170604.tif 000002
【特許請求の範囲】
【請求項１】
光ビームを出射する光源と、
光ディスクに１又は２以上設けられた記録層のうち対象とする対象記録層に前記光ビームを集光する対物レンズと、
前記光ビームが前記光ディスクにより反射されてなる反射光ビームを集光する集光レンズと、
前記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を前記第１方向へ回折させて第２ビームとするホログラム素子と、
前記反射０次光ビームの照射位置における前記第１方向側にそれぞれ設けられた第１受光領域及び第２受光領域により、前記第１ビーム及び前記第２ビームをそれぞれ受光して受光信号を生成する光検出器と、
前記第１受光領域及び前記第２受光領域によりそれぞれ生成された受光信号を基に、前記光ディスクのトラック溝に予め記録されたプリフォーマット情報を表すプリフォーマット信号を生成する信号処理部と、
を有する、光ディスク装置。
【請求項２】
前記光検出器は、前記反射０次光ビームの照射位置に設けられ複数の受光領域に分割された０次光受光部を有し、
前記信号処理部は、
前記プリフォーマット信号の生成に使用する受光信号として、前記０次光受光領域の複数の受光領域それぞれにより生成された受光信号、及び、前記第１受光領域及び前記第２受光領域によりそれぞれ生成された受光信号のいずれかを一方を選択可能な切替回路を有し、
前記切替回路が前記０次光受光領域の複数の受光領域それぞれにより生成された受光信号を選択した場合、当該受光信号を基に、前記プリフォーマット信号を生成可能である、請求項１に記載の光ディスク装置。
【請求項３】
前記第１領域は、前記反射１次光ビームのうち前記トラック溝により回折された＋１次光が含まれる部分に対応し、
前記第２領域は、前記反射１次光ビームのうち前記トラック溝により回折された−１次光が含まれる部分に対応する、請求項２に記載の光ディスク装置。
【請求項４】
前記光検出器は、前記光ビームの一部が前記光ディスクにおける前記対象記録層から最も離隔した他の記録層により反射されてなる層間迷光ビームが前記ホログラム素子を直進して生じた０次光ビームの照射範囲外に、前記第１受光領域及び前記第２受光領域が配置されている、請求項１〜３のいずれかに記載の光ディスク装置。
【請求項５】
前記光検出器は、前記反射０次光ビームの照射位置に設けられ複数の受光領域に分割された０次光受光部を有し、
前記信号処理部は、前記０次光受光領域の複数の受光領域それぞれにより生成された受光信号を基に、前記光ディスクのトラック溝に記録された情報を表す再生ＲＦ信号を生成する、請求項１に記載の光ディスク装置。
【請求項６】
前記ホログラム素子は、前記第１領域及び前記第２領域において前記反射光ビームのほぼ全てを前記第１ビーム及び前記第２ビームとして回折させ、
前記光検出器は、前記第１領域及び前記第２領域に相当する部分を含まない前記反射０次光ビームを前記０次光受光部により受光する、請求項５に記載の光ディスク装置。
【請求項７】
前記ホログラム素子は、前記トラック溝の像における走行方向に略平行な方向を前記第１方向として前記第１ビーム及び前記第２ビームを進行させる、請求項１に記載の光ディスク装置。
【請求項８】
前記ホログラム素子は、前記第１ビーム及び前記第２ビームにおける回折角度を互いに相違させて前記第１方向へそれぞれ進行させる、請求項１に記載の光ディスク装置。
【請求項９】
前記光検出器は、前記光ビームの一部が前記光ディスクにおける前記対象記録層以外の他の前記記録層により反射されてなる層間迷光を受光する迷光受光領域が、前記第１受光領域及び前記第２受光領域の近傍に設けられている、請求項８に記載の光ディスク装置。
【請求項１０】
前記ホログラム素子は、前記反射１次光ビームのうち前記トラック溝により回折された＋１次光及び−１次光が含まれず前記光ディスクの内周側に相当する部分に対応する第３領域により当該反射１次光ビームの一部を前記第１方向と相違する第２方向へ回折させて第３ビームとし、前記反射１次光ビームのうち前記トラック溝により回折された＋１次光及び−１次光が含まれず前記光ディスクの外周側に相当する部分に対応する第４領域により当該反射１次光ビームの一部を前記第２方向へ回折させて第４ビームとし、
前記光検出器は、前記反射０次光ビームの照射位置における前記第２方向側にそれぞれ設けられた第３受光領域及び第４受光領域により、前記第３ビーム及び前記第４ビームをそれぞれ受光して受光信号を生成し、
前記信号処理部は、前記第１受光領域、前記第２受光領域、前記第３受光領域及び前記第４受光領域によりそれぞれ生成された受光信号を基に、前記トラッキング方向に関する前記光ビームの焦点と前記トラック溝の中心線とのずれ量を表すトラッキングエラー信号を生成させ、
前記光ディスク装置は、
前記対物レンズを、前記対象記録層に螺旋状又は同心円状に形成されたトラック溝とほぼ直交するトラッキング方向へ移動させるレンズ移動部と、
前記トラッキングエラー信号を基に前記レンズ移動部を介して前記対物レンズを前記トラッキング方向へ移動させるサーボ制御部と、
を有する、請求項１に記載の光ディスク装置。
【請求項１１】
前記光ビームと異なる波長でなる第２光ビームを出射する第２光源と、
前記第２光ビームをメイン光ビーム及び２本のサブ光ビームに分離する分離器と、
前記トラック溝と異なる大きさでなる第２トラック溝が記録層に形成された第２光ディスクに対し、前記メイン光ビーム及び２本の前記サブ光ビームをそれぞれ集光することにより、前記第２トラック溝と直交する方向に関し前記メイン光ビームの焦点から内周側及び外周側にそれぞれ所定間隔だけ離隔して前記サブ光ビームの焦点をそれぞれ形成させる第２対物レンズと、
を更に有し、
前記レンズ移動部は、前記対物レンズ及び前記第２対物レンズを一体に移動させ、
前記光検出器は、前記メイン光ビームが前記光ディスクにより反射されてなるメイン反射光ビームを前記０次光受光部により受光すると共に、前記サブ光ビームが前記光ディスクによりそれぞれ反射されてなるサブ反射光ビームを、前記反射０次光ビームの照射位置を挟んで対向する位置にそれぞれ設けられた第５受光領域及び第６受光領域によりそれぞれ受光する、請求項１０に記載の光ディスク装置。
【請求項１２】
光ビームを出射する光源と、
光ディスクに複数設けられた記録層のうち対象とする対象記録層に前記光ビームを集光する対物レンズと、
前記光ビームが前記光ディスクにより反射されてなる反射光ビームを集光する集光レンズと、
前記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を前記第１方向へ回折させて第２ビームとするホログラム素子と、
前記反射０次光ビームの照射位置における前記第１方向側にそれぞれ設けられた第１受光領域及び第２受光領域により、前記第１ビーム及び前記第２ビームをそれぞれ受光して受光信号を生成する光検出器と、
を有し、
所定の信号処理部により、前記第１受光領域及び前記第２受光領域によりそれぞれ生成された受光信号を基に、前記光ディスクのトラック溝に予め記録されたプリフォーマット情報を表すプリフォーマット信号を生成する、光ピックアップ。
【請求項１３】
光源により、光ビームを出射し、
対物レンズにより、光ディスクに複数設けられた記録層のうち対象とする対象記録層に前記光ビームを集光し、
集光レンズにより、前記光ビームが前記光ディスクにより反射されてなる反射光ビームを集光し、
ホログラム素子により、前記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を前記第１方向へ回折させて第２ビームとし、
光検出器の、前記反射０次光ビームの照射位置における前記第１方向側にそれぞれ設けられた第１受光領域及び第２受光領域により、前記第１ビーム及び前記第２ビームをそれぞれ受光して受光信号を生成し、
信号処理部により、前記第１受光領域及び前記第２受光領域によりそれぞれ生成された受光信号を基に、前記光ディスクのトラック溝に予め記録されたプリフォーマット情報を表すプリフォーマット信号を生成する、プリフォーマット信号生成方法。
【請求項１４】
コンピュータに、
光ビームを出射する光源と、光ディスクに複数設けられた記録層のうち対象とする対象記録層に前記光ビームを集光する対物レンズと、前記光ビームが前記光ディスクにより反射されてなる反射光ビームを集光する集光レンズと、前記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を前記第１方向へ回折させて第２ビームとするホログラム素子と、前記反射０次光ビームの照射位置における前記第１方向側にそれぞれ設けられた第１受光領域及び第２受光領域により、前記第１ビーム及び前記第２ビームをそれぞれ受光して受光信号を生成する光検出器と、を有する光ピックアップを制御する制御機能と、
前記第１受光領域及び前記第２受光領域によりそれぞれ生成された受光信号を基に、前記光ディスクのトラック溝に予め記録されたプリフォーマット情報を表すプリフォーマット信号を生成する信号処理機能と、
を実現させるためのプログラム。
【発明の詳細な説明】
【技術分野】
【０００１】
本発明は、光ディスク装置、光ピックアップ、プリフォーマット信号生成方法及びプログラムに関し、例えば複数の記録層を有する光ディスクに対応する光ディスク装置に適用して好適なものである。
【背景技術】
【０００２】
近年急速に開発が進められている光ディスク装置では、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）及びＢｌｕ−ｒａｙ  Ｄｉｓｃ（登録商標、以下ＢＤと呼ぶ）等のような光ディスクに対して、光ビームを照射し、その反射光を読み取ることにより情報を再生する。
【０００３】
この光ディスクには、記録すべき情報が符号化されると共に変調された上で、螺旋状又は同心円状に形成されたトラックにピット等として記録される。
【０００４】
そこで光ディスク装置では、対物レンズにより光ビームを集光し、光ディスクから情報を再生する際、光ディスクの記録層に螺旋状又は同心円状に形成されているトラックに対し、当該光ビームの焦点を合わせる。
【０００５】
このとき光ディスク装置は、フォトディテクタに所定形状の受光領域を設けるなどして反射光を受光する。そして、光ディスク装置は、その受光結果を基に、光ビームを照射すべきトラック（以下これを「目標トラック」と呼ぶ）と光ビームの焦点との、フォーカス方向及びトラッキング方向に関するずれ量を表す「フォーカスエラー信号」及び「トラッキングエラー信号」をそれぞれ算出する。
【０００６】
続いて光ディスク装置は、フォーカスエラー信号を基に対物レンズをフォーカス方向へ移動すると共に、トラッキングエラー信号を基に当該対物レンズをトラッキング方向へ移動することにより、光ビームの焦点を目標トラックに合わせる。
【０００７】
かかるトラッキングエラー信号の算出手法としては、プッシュプル法や３ビーム法等の種々の手法が知られており、さらには１ビームプッシュプル法と呼ばれる手法も提案されている（例えば、特許文献１参照）。
【０００８】
一方、光ディスク装置は、光ディスクに情報を記録したり、光ディスクから情報を再生する場合、光ビームの焦点が合っている目標トラックが、光ディスクのどの位置に相当するのかという情報（以下「アドレス情報」と呼ぶ。）を取得する。また、アドレス情報と共にかアドレス情報に代えて、記録部分の終わり位置や未記録部分の始まり位置を示す絶対時間や、記録クロックを表した「時間情報」を取得する場合もある。このアドレス情報や時間情報等のように予め光ディスクに埋め込まれている情報を、「プリフォーマット情報」とも言う。
【０００９】
このようなアドレス情報等は、トラックに沿って形成された案内溝（「グルーブ」とも言う。）と、案内溝間にやはりトラックに沿って形成された「ランド」などを利用して、プリフォーマットとして光ディスクに記録されている。このようなアドレス情報等の付加方法としては、例えば、「ランドプリピット方式（ＬＰＰ；Ｌａｎｄ  Ｐｒｅ−Ｐｉｔ）」と「高周波ウォブルグルーブ方式（ＡＤＩＰ；Ａｄｄｒｅｓｓ  Ｉｎ  Ｐｒｅ−ｇｒｏｏｖｅ）」とが挙げられる。
【００１０】
ＬＰＰでは、ランドにピットを間欠的に形成して、そのピットから得られる「プリピット信号」からアドレス情報等が生成される。一方、ＡＤＩＰでは、グルーブを蛇行させることにより形成される「ウォブル（ｗｏｂｂｌｅ）」の周波数として高周波が使用され、そのウォブルから得られる「ウォブル信号」の位相からアドレス情報等が生成される。その他、ウォブル付き情報ピット列により、アドレス情報等としてウォーターマーク等の信号を重畳した光ディスクも実用化されている。
【００１１】
なお、これらのウォブル信号やプリピット信号等は、記録可能な光ディスクであれ再生専用の光ディスクであれ、記録トラックに予め設定された信号であるため、「プリフォーマット信号」とも呼ばれる。このプリフォーマット信号を検出する受光素子（光検出器）は、同時に再生ＲＦ信号の検出にも使用され、４分割した受光素子であればフォーカスエラー信号等の検出にも用いられることが多い（特許文献２〜３参照）。
【００１２】
【特許文献１】特開２００７−２１３７５４号公報（第１５図）
【特許文献２】特開１９９３−１２８５６４号公報
【特許文献３】特開１９９４−２９０４６２号公報
【特許文献４】特開２００５−２９３６３７号公報
【特許文献５】特開２００４−２７３０２４号公報
【発明の開示】
【発明が解決しようとする課題】
【００１３】
ところで光ディスクのなかには、２層の記録層を有し、各記録層でそれぞれ所定の反射率により光ビームを反射するものがある。
【００１４】
光ディスク装置は、このように複数の記録層を有する光ディスクに対しては、所望の記録層に光ビームの焦点を合わせるよう構成要素を制御した上で、その反射光を検出する。
【００１５】
しかしながら、光ディスクは、物理的な性質により、いずれの記録層が所望の記録層であるかに拘わらず、各記録層において常に所定の反射率で光ビームを反射する。
【００１６】
このため光ディスク装置は、所望の記録層と異なる他の記録層において反射された光ビーム（いわゆる「層間迷光」）が、フォトディテクタの受光領域に照射されてしまう場合がある。このとき光ディスク装置は、この層間迷光によってトラッキングエラー信号に誤差を生じトラッキング制御を正しく行い得ないおそれがある。また、光ディスク装置は、この層間迷光が所望の記録層からの反射光と干渉し、更に光ディスクの層間距離が変動したり、光ディスクが傾いて光路長が変動することにより、反射光に複雑な変調を生じさせてしまうことがある。このような変調は、ウォブル信号やプリピット信号にノイズ成分として重畳されてしまい、正確なアドレス情報等の読み出しの妨げとなる。
【００１７】
このとき光ディスク装置では、いずれの記録層を所望の記録層としているかにより、層間迷光の照射状態が相違することになる。
【００１８】
このため特許文献１等に示したような光ディスク装置では、例えば受光領域の配置パターンや反射光を領域ごとに分割する際の分割パターン等が配慮されている。これによりかかる光ディスク装置は、いずれの記録層を所望の記録層としている場合であっても、この層間迷光が照射されないよう、或いは照射された際にもプリフォーマット信号やトラッキングエラー信号等に誤差を生じさせないようになされている。
【００１９】
ところで光ディスクについては、記録容量を増加させるために、例えば４層や６層の記録層を設けることが考えられる。この場合にも光ディスクは、いずれの記録層が所望の記録層であるかに拘わらず、各記録層において常に所定の反射率で光ビームを反射することになる。
【００２０】
このとき光ディスク装置では、いずれの記録層を所望の記録層としている場合であっても、他の記録層からの層間迷光が必ず発生することになる。また光ディスクでは、いずれの記録層を所望の記録層としているかにより、所望の記録層と他の記録層との層間距離が相違する。このとき層間迷光は、層間距離に応じてその照射状態がそれぞれ相違することになる。
【００２１】
このため上述した構成の光ディスク装置は、４層や６層等の多数の記録層を有する光ディスクにおいて生じるそれぞれの層間迷光を受光領域にかからないよう回避し得ない場合がある。このような場合、光ディスク装置は、トラッキングエラー信号に誤差を生じてしまい、トラッキング制御を適切に行い得ないおそれがある。
【００２２】
一方、記録又は再生を行っている所望の層から発せられ、受光素子に入射する信号光の中心部には、隣接するトラックにおける位相や位置が異なるウォブルやプリピットで発生するいわゆる「ビート」により、変調成分が重畳されてしまうことがある。このようなビートによる変調成分は、上記層間迷光と同様に、プリフォーマット信号の読み取り精度に悪影響を与えることがあり、正確なアドレス情報等の生成にとっても悪影響を及ぼすおそれがある。
【００２３】
そこで、上記特許文献５には、受光素子上における信号光の中央部分を、選択的に使用しない検出素子により、ウォブル信号等の演算を行う構成が提案されている。しかしながら、この特許文献５に記載の光ディスク装置であっても、２層以上の記録層を有する光ディスクを使用する場合、上記の層間迷光の影響が生じてしまい、プリフォーマット信号の読み取り精度に悪影響を与えてしまう場合がある。
【００２４】
そこで、本発明は、上記問題に鑑みてなされたものであり、本発明の目的とするところは、層間迷光による影響を低減しつつ、光ディスク上の記録トラックに予め設定されているプリフォーマット信号を安定して検出することが可能な、新規かつ改良された光ディスク装置、光ピックアップ、プリフォーマット信号生成方法及びプログラムを提供することにある。
【課題を解決するための手段】
【００２５】
上記課題を解決するために、本発明のある観点によれば、光ビームを出射する光源と、
光ディスクに１又は２以上設けられた記録層のうち対象とする対象記録層に上記光ビームを集光する対物レンズと、
上記光ビームが上記光ディスクにより反射されてなる反射光ビームを集光する集光レンズと、
上記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を上記第１方向へ回折させて第２ビームとするホログラム素子と、
上記反射０次光ビームの照射位置における上記第１方向側にそれぞれ設けられた第１受光領域及び第２受光領域により、上記第１ビーム及び上記第２ビームをそれぞれ受光して受光信号を生成する光検出器と、
上記第１受光領域及び上記第２受光領域によりそれぞれ生成された受光信号を基に、上記光ディスクのトラック溝に予め記録されたプリフォーマット情報を表すプリフォーマット信号を生成する信号処理部と、
を有する、光ディスク装置が提供される。
【００２６】
また、上記光検出器は、上記反射０次光ビームの照射位置に設けられ複数の受光領域に分割された０次光受光部を有し、
上記信号処理部は、
上記プリフォーマット信号の生成に使用する受光信号として、上記０次光受光領域の複数の受光領域それぞれにより生成された受光信号、及び、上記第１受光領域及び上記第２受光領域によりそれぞれ生成された受光信号のいずれかを一方を選択可能な切替回路を有し、
上記切替回路が上記０次光受光領域の複数の受光領域それぞれにより生成された受光信号を選択した場合、当該受光信号を基に、上記プリフォーマット信号を生成可能であってもよい。
【００２７】
また、上記第１領域は、上記反射１次光ビームのうち上記トラック溝により回折された＋１次光が含まれる部分に対応し、
上記第２領域は、上記反射１次光ビームのうち上記トラック溝により回折された−１次光が含まれる部分に対応してもよい。
【００２８】
この光ピックアップでは、反射光ビームのうち光ビームがトラック溝により回折された＋１次光及び−１次光が含まれるプッシュプル領域と、当該＋１次光及び−１次光が含まれないレンズシフト領域とについて、互いに異なる方向へ回折して受光することができる。これにより、プッシュプル領域及びレンズシフト領域が互いに層間迷光ビームによる影響を与えあうことなく、対象記録層に近接した他の記録層又は最も離隔した他の記録層のいずれにおいて反射されてなる層間迷光ビームをも受光しないようにすることができる。
【００２９】
また、上記光検出器は、上記光ビームの一部が上記光ディスクにおける上記対象記録層から最も離隔した他の記録層により反射されてなる層間迷光ビームが上記ホログラム素子を直進して生じた０次光ビームの照射範囲外に、上記第１受光領域及び上記第２受光領域が配置されていてもよい。
【００３０】
また、上記光検出器は、上記反射０次光ビームの照射位置に設けられ複数の受光領域に分割された０次光受光部を有し、
上記信号処理部は、上記０次光受光領域の複数の受光領域それぞれにより生成された受光信号を基に、上記光ディスクのトラック溝に記録された情報を表す再生ＲＦ信号を生成してもよい。
【００３１】
また、上記ホログラム素子は、上記第１領域及び上記第２領域において上記反射光ビームのほぼ全てを上記第１ビーム及び上記第２ビームとして回折させ、
上記光検出器は、上記第１領域及び上記第２領域に相当する部分を含まない上記反射０次光ビームを上記０次光受光部により受光してもよい。
【００３２】
また、上記ホログラム素子は、上記トラック溝の像における走行方向に略平行な方向を上記第１方向として上記第１ビーム及び上記第２ビームを進行させてもよい。
【００３３】
また、上記ホログラム素子は、上記第１ビーム及び上記第２ビームにおける回折角度を互いに相違させて上記第１方向へそれぞれ進行させてもよい。
【００３４】
また、上記光検出器は、上記光ビームの一部が上記光ディスクにおける上記対象記録層以外の他の上記記録層により反射されてなる層間迷光を受光する迷光受光領域が、上記第１受光領域及び上記第２受光領域の近傍に設けられていてもよい。
【００３５】
また、上記ホログラム素子は、上記反射１次光ビームのうち上記トラック溝により回折された＋１次光及び−１次光が含まれず上記光ディスクの内周側に相当する部分に対応する第３領域により当該反射１次光ビームの一部を上記第１方向と相違する第２方向へ回折させて第３ビームとし、上記反射１次光ビームのうち上記トラック溝により回折された＋１次光及び−１次光が含まれず上記光ディスクの外周側に相当する部分に対応する第４領域により当該反射１次光ビームの一部を上記第２方向へ回折させて第４ビームとし、
上記光検出器は、上記反射０次光ビームの照射位置における上記第２方向側にそれぞれ設けられた第３受光領域及び第４受光領域により、上記第３ビーム及び上記第４ビームをそれぞれ受光して受光信号を生成し、
上記信号処理部は、上記第１受光領域、上記第２受光領域、上記第３受光領域及び上記第４受光領域によりそれぞれ生成された受光信号を基に、上記トラッキング方向に関する上記光ビームの焦点と上記トラック溝の中心線とのずれ量を表すトラッキングエラー信号を生成させ、
上記光ディスク装置は、
上記対物レンズを、上記対象記録層に螺旋状又は同心円状に形成されたトラック溝とほぼ直交するトラッキング方向へ移動させるレンズ移動部と、
上記トラッキングエラー信号を基に上記レンズ移動部を介して上記対物レンズを上記トラッキング方向へ移動させるサーボ制御部と、
を有してもよい。
【００３６】
また、上記光ビームと異なる波長でなる第２光ビームを出射する第２光源と、
上記第２光ビームをメイン光ビーム及び２本のサブ光ビームに分離する分離器と、
上記トラック溝と異なる大きさでなる第２トラック溝が記録層に形成された第２光ディスクに対し、上記メイン光ビーム及び２本の上記サブ光ビームをそれぞれ集光することにより、上記第２トラック溝と直交する方向に関し上記メイン光ビームの焦点から内周側及び外周側にそれぞれ所定間隔だけ離隔して上記サブ光ビームの焦点をそれぞれ形成させる第２対物レンズと、
を更に有し、
上記レンズ移動部は、上記対物レンズ及び上記第２対物レンズを一体に移動させ、
上記光検出器は、上記メイン光ビームが上記光ディスクにより反射されてなるメイン反射光ビームを上記０次光受光部により受光すると共に、上記サブ光ビームが上記光ディスクによりそれぞれ反射されてなるサブ反射光ビームを、上記反射０次光ビームの照射位置を挟んで対向する位置にそれぞれ設けられた第５受光領域及び第６受光領域によりそれぞれ受光してもよい。
【００３７】
また、上記課題を解決するために、本発明の別の観点によれば、光ビームを出射する光源と、
光ディスクに複数設けられた記録層のうち対象とする対象記録層に上記光ビームを集光する対物レンズと、
上記光ビームが上記光ディスクにより反射されてなる反射光ビームを集光する集光レンズと、
上記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を上記第１方向へ回折させて第２ビームとするホログラム素子と、
上記反射０次光ビームの照射位置における上記第１方向側にそれぞれ設けられた第１受光領域及び第２受光領域により、上記第１ビーム及び上記第２ビームをそれぞれ受光して受光信号を生成する光検出器と、
を有し
所定の信号処理部により、上記第１受光領域及び上記第２受光領域によりそれぞれ生成された受光信号を基に、上記光ディスクのトラック溝に予め記録されたプリフォーマット情報を表すプリフォーマット信号を生成する、光ピックアップが提供される。
【００３８】
また、上記課題を解決するために、本発明の別の観点によれば、光源により、光ビームを出射し、
対物レンズにより、光ディスクに複数設けられた記録層のうち対象とする対象記録層に上記光ビームを集光し、
集光レンズにより、上記光ビームが上記光ディスクにより反射されてなる反射光ビームを集光し、
ホログラム素子により、上記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を上記第１方向へ回折させて第２ビームとし、
光検出器の、上記反射０次光ビームの照射位置における上記第１方向側にそれぞれ設けられた第１受光領域及び第２受光領域により、上記第１ビーム及び上記第２ビームをそれぞれ受光して受光信号を生成し、
信号処理部により、上記第１受光領域及び上記第２受光領域によりそれぞれ生成された受光信号を基に、上記光ディスクのトラック溝に予め記録されたプリフォーマット情報を表すプリフォーマット信号を生成する、プリフォーマット信号生成方法が提供される。
【００３９】
また、上記課題を解決するために、本発明の別の観点によれば、コンピュータに、
光ビームを出射する光源と、光ディスクに複数設けられた記録層のうち対象とする対象記録層に上記光ビームを集光する対物レンズと、上記光ビームが上記光ディスクにより反射されてなる反射光ビームを集光する集光レンズと、上記反射光ビームを直進又は回折させて反射０次光ビーム及び反射１次光ビームに分離する際、第１領域により当該反射１次光ビームの一部を所定の第１方向へ回折させて第１ビームとし、第２領域により当該反射１次光ビームの一部を上記第１方向へ回折させて第２ビームとするホログラム素子と、上記反射０次光ビームの照射位置における上記第１方向側にそれぞれ設けられた第１受光領域及び第２受光領域により、上記第１ビーム及び上記第２ビームをそれぞれ受光して受光信号を生成する光検出器と、を有する光ピックアップを制御する制御機能と、
上記第１受光領域及び上記第２受光領域によりそれぞれ生成された受光信号を基に、上記光ディスクのトラック溝に予め記録されたプリフォーマット情報を表すプリフォーマット信号を生成する信号処理機能と、
を実現させるためのプログラムが提供される。
【発明の効果】
【００４０】
以上説明したように本発明によれば、光ディスク上の記録トラックに予め設定されているプリフォーマット信号を安定して検出することができる。
【発明を実施するための最良の形態】
【００４１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４２】
なお、以下では本発明の各実施形態について理解が容易になるように、次の順序で説明する。
＜１．第１の実施形態＞
［１−１．光ディスク装置の構成］
［１−２．光ピックアップの構成］
［１−２−１．ホログラム素子１７］
［１−２−２．光検出器１９］
［１−３．迷光の照射と受光領域の配置］
［１−４．プリフォーマット信号等の生成］
［１−４−１．フォーカスエラー信号ＳＦＥ１］
［１−４−２．トラッキングエラー信号ＳＴＥ１］
［１−４−３．フォーカス制御及びトラッキング制御］
［１−４−４．再生ＲＦ信号ＳＲＦ］
［１−４−５．プリフォーマット信号］
［１−５．光ディスクの種類判別］
［１−６．動作及び効果］
［１−６−１．動作］
［１−６−２．効果］
［１−６−３．関連技術との比較］
＜２．第２の実施形態＞
＜３．第３の実施形態＞
［３−１．光ディスク装置の構成］
［３−２．光ピックアップの構成］
［３−３．プリフォーマット信号等の生成］
［３−４．動作及び効果］
［３−４−１．動作］
［３−４−２．効果］
＜４．第４の実施形態＞
［４−１．光ディスク装置の構成］
［４−２．光ピックアップの構成］
［４−３．プリフォーマット信号等の生成］
［４−４．動作及び効果］
［４−４−１．動作］
［４−４−２．効果］
＜５．第５の実施形態＞
［５−１．光ディスク装置の構成］
［５−２．光ピックアップの構成］
［５−３．動作及び効果］
［５−３−１．動作］
［５−３−２．効果］
＜６．第６の実施形態＞
［６−１．光ディスク装置の構成］
［６−２．光ピックアップの構成］
［６−２−１．ＢＤ方式の光ディスク１００Ｂへの光ビームの照射及び受光］
［ウォブル信号の切替］
［６−２−２．ＣＤ方式の光ディスク１００Ｃへの光ビームの照射及び受光］
［６−２−３．ＤＶＤ方式の光ディスク１００Ｄへの光ビームの照射及び受光］
［６−３．動作及び効果］
［６−３−１．動作］
［６−３−２．効果］
＜７．他の実施形態＞
【００４３】
＜１．第１の実施形態＞
［１−１．光ディスク装置の構成］
図１に示すように、光ディスク装置１は、統括制御部２を中心に構成されており、光ディスク１００に対し情報を記録し、また当該光ディスク１００から情報を再生する。
【００４４】
光ディスク１００は、記録層Ｙにおいて、螺旋状又は同心円状のトラック溝（グルーブ）が形成されており、当該トラック溝に沿って情報が記録される。因みに光ディスク１００は、例えば４層の記録層Ｙ０、Ｙ１、Ｙ２及びＹ３（以下、これらをまとめて記録層Ｙと呼ぶ）を有している。
【００４５】
統括制御部２は、図示しないＣＰＵ（Ｃｅｎｔｒａｌ  Ｐｒｏｃｅｓｓｉｎｇ  Ｕｎｉｔ）と、各種プログラム等が格納されるＲＯＭ（Ｒｅａｄ  Ｏｎｌｙ  Ｍｅｍｏｒｙ）と、当該ＣＰＵのワークメモリとして用いられるＲＡＭ（Ｒａｎｄｏｍ  Ａｃｃｅｓｓ  Ｍｅｍｏｒｙ）と、を有する。
【００４６】
統括制御部２は、光ディスク１００から情報を再生するか、光ディスク１００に情報を記録する場合、駆動制御部３を介してスピンドルモータ５を回転駆動させ、ターンテーブル５Ｔに載置された光ディスク１００を所望の速度で回転させる。
【００４７】
また統括制御部２は、駆動制御部３を介してスレッドモータ６を駆動させることにより、光ピックアップ７を移動軸に沿ってトラッキング方向、すなわち光ディスク１００の内周側又は外周側へ向かう方向へ移動させる。
【００４８】
光ピックアップ７は、対物レンズ８や２軸アクチュエータ９等の複数の部品が取り付けられており、統括制御部２の制御に基づいて光ディスク１００へ光ビームを照射する。
【００４９】
因みに統括制御部２は、光ディスク１００に光ビームを照射する場合、記録層Ｙ０〜Ｙ３のうち情報を読み出す対象とする記録層Ｙ、すなわち光ビームの焦点を合わせるべき記録層Ｙを対象記録層ＹＴとして選定する。
【００５０】
また光ピックアップ７は、光ビームが光ディスク１００により反射された反射光ビームを受光し、その受光結果に応じた受光信号を生成して信号処理部４へ供給する。
【００５１】
信号処理部４は、供給された受光信号を用いた所定の演算処理を行うことによりフォーカスエラー信号、トラッキングエラー信号、アドレス情報等をそれぞれ生成し、これらを駆動制御部３等へ供給する。
【００５２】
駆動制御部３のサーボ制御部３Ａは、供給されたフォーカスエラー信号及びトラッキングエラー信号を基に、対物レンズ８を駆動するための駆動信号を生成し、これを光ピックアップ７の２軸アクチュエータ９へ供給する。
【００５３】
光ピックアップ７の２軸アクチュエータ９は、この駆動信号に基づいて対物レンズ８のフォーカス制御及びトラッキング制御を行い、当該対物レンズ８により集光される光ビームの焦点位置を調整する（詳しくは後述する）。
【００５４】
また駆動制御部３は、統括制御部２から対象記録層ＹＴの通知を受け、当該対象記録層ＹＴに当該光ビームの焦点を合わせるようフォーカス制御を行う。
【００５５】
信号処理部４は、受光信号に対し所定の演算処理、復調処理及び復号化処理等を施すことにより、光ディスク１００に記録されている情報を再生する。
【００５６】
また統括制御部２は、光ディスク１００に情報を記録する場合、図示しない外部機器等から記録すべき情報を受け付け、これを信号処理部４へ供給する。信号処理部４は、当該情報に対し所定の符号化処理や変調処理等を施すことにより記録用信号を生成し、これを光ピックアップ７へ供給する。また、統括制御部２は、この際、信号処理部４からアドレス情報や時間情報などのプリフォーマットされた情報を取得し、その情報に基づいて、記録開始位置や記録・再生タイミング等を制御する。なお、このようなプリフォーマットされた情報は、光ディスク１００に記録されている情報を再生する際にも、同様に使用されてもよい。
【００５７】
光ピックアップ７は、光ビームを記録用の強度とすると共に記録用信号に応じて変調させることにより、記録用信号に応じた記録マークを形成していく。例えば光ディスク１００がＢＤ−ＲＥ（Ｂｌｕ−ｒａｙ  Ｄｉｓｃ−Ｒｅｗｒｉｔａｂｌｅ）と同様の記録方式の場合、記録層を形成する材料を局所的に相変化させることにより当該記録マークを形成する。
【００５８】
このように光ディスク装置１は、光ディスク１００に対し光ピックアップ７から光ビームを照射させ、その反射光を基にフォーカス制御及びトラッキング制御を行いながら、情報の再生処理や記録処理を行う。
【００５９】
［１−２．光ピックアップの構成］
光ピックアップ７は、図２に示すように、光ディスク１００に光ビームＬ１を照射し、当該光ディスク１００により当該光ビームＬ１が反射されてなる反射光ビームＬＲを受光する。
【００６０】
レーザダイオード１１は、光源制御部２１の制御の基で、例えば波長約４０５［ｎｍ］の青紫色レーザ光でなる光ビームＬ１を発散光として出射する。またレーザダイオード１１は、光ビームＬ１がＰ偏光となるようにその取付角度等が調整されている。
【００６１】
実際上統括制御部２は、光源制御部２１を制御することにより、レーザダイオード１１から光ビームＬを発射させ、コリメータレンズ１２へ入射させる。コリメータレンズ１２は、光ビームＬを発散光から平行光に変換し、偏光ビームスプリッタ１３へ入射させる。
【００６２】
偏光ビームスプリッタ１３は、光ビームの偏光方向に応じて透過率が相違する反射透過面１３Ｓを有しており、Ｐ偏光の光ビームをほぼ１００％の割合で透過すると共に、Ｓ偏光の光ビームをほぼ１００％の割合で反射する。
【００６３】
実際上偏光ビームスプリッタ１３は、反射透過面１３Ｓにより光ビームＬ１をほぼ１００％の割合で透過させ、球面収差補正部１４へ入射させる。
【００６４】
球面収差補正部１４は、例えば液晶素子でなり、光ビームＬ１の球面収差を変化させ１／４波長板１５へ入射させるようになされている。また球面収差補正部１４は、サーボ制御部３Ａの球面収差制御部３ＡＳにより、液晶素子による球面収差の変化度合いを調整する。なお、この図２に記載の球面収差補正部１４として、ビームエクスパンダを使用することもできる（第３の実施形態等参照。）。ビームエクスパンダからなる球面収差補正部１４は、光ビームＬ１の進行方向に沿って並べられた凹レンズと凸レンズを有し、サーボ制御部３Ａの球面収差制御部３ＡＳにより凹レンズが光軸方向前後に駆動される。その結果、対物レンズ８に入射する光ビームＬ１は、平行光・発散光・収束光に切替えられる。
【００６５】
実際上球面収差補正部１４は、統括制御部２及び球面収差制御部３ＡＳの制御に基づき、光ビームＬ１が集光され光ディスク１００の対象記録層ＹＴに到達した際に生じる球面収差と逆特性となるような球面収差を当該光ビームＬ１に予め与える。これにより球面収差補正部１４は、光ビームＬ１の対象記録層ＹＴへの到達時における球面収差を補正することができる。
【００６６】
１／４波長板１５は、光ビームを直線偏光と円偏光との間で相互変換し得るようになされており、例えばＰ偏光でなる光ビームＬ１を左円偏光に変換し、対物レンズ８へ入射させる。
【００６７】
対物レンズ８は、光ビームＬ１を集光する。ここで統括制御部２は、フォーカス制御部３ＡＦを介して、フォーカスアクチュエータ９Ｆにより対物レンズ８のフォーカス方向に関する位置を調整する。このため対物レンズ８は、光ビームＬ１の焦点Ｆ１を光ディスク１００の対象記録層ＹＴにおおよそ合わせることができる。
【００６８】
このとき光ビームＬ１は、対象記録層ＹＴで反射されることにより、反射光ビームＬＲとなり、対物レンズ８へ入射される。また反射光ビームＬＲは、円偏光における回転方向が反射時に反転されるため、右円偏光となる。
【００６９】
例えば記録層Ｙ０が対象記録層ＹＴであった場合、図３に示すように、光ビームＬ１は、記録層Ｙ０において反射されることにより反射光ビームＬＲとなる。
【００７０】
この後反射光ビームＬＲは、対物レンズ８により発散光から平行光に変換され、１／４波長板１５により右円偏光からＳ偏光（直線偏光）へ変換され、さらに球面収差補正部１４へ入射される。
【００７１】
球面収差補正部１４は、反射光ビームＬＲが対象記録層ＹＴにより反射されてから対物レンズ８を通過するまでの間に生じた球面収差を補正し、当該反射光ビームＬＲを偏光ビームスプリッタ１３へ入射させる。
【００７２】
偏光ビームスプリッタ１３は、Ｓ偏光でなる反射光ビームＬＲを反射透過面１３Ｓにおいて反射し、集光レンズ１６へ入射させる。集光レンズ１６は、反射光ビームＬＲを収束光に変換し、ホログラム素子１７へ入射させる。
【００７３】
［１−２−１．ホログラム素子１７］
図４に示すように、ホログラム素子１７は、回折素子としての性質により、反射光ビームＬＲを直進又は回折させて少なくとも０次光及び１次光に分離する。そして、ホログラム素子１７は、０次光でなる反射光ビームＬＲ０をほぼ直進させると共に、１次光でなる反射光ビームＬＲ１については０次光と異なる方向へ進行させ、シリンドリカルレンズ１８へ入射させる。
【００７４】
ここでホログラム素子１７は、図４（Ａ）に示すように反射光ビームＬＲの通過部分が複数の領域１７Ａ〜１７Ｅに分割されており、また図４（Ｂ）に示すように各領域ごとに反射光ビームＬＲの回折方向が設定されている。
【００７５】
領域１７Ａは、反射光ビームＬＲ１のうち、光ディスク１００のトラックにより回折された１次回折光Ｄｉｆｆ１（すなわち＋１次光又は−１次光）を含み、且つ当該光ディスク１００の内周側部分に相当する部分を反射光ビームＬＲ１Ａとする。このとき領域１７Ａは、反射光ビームＬＲ１Ａをほぼトラックの走行方向に沿った方向（便宜上、以下この方向を縦方向と呼ぶ）へ回折させる。
【００７６】
領域１７Ｂは、反射光ビームＬＲ１のうち、光ディスク１００のトラックにより回折された１次回折光Ｄｉｆｆ１（すなわち−１次光又は＋１次光）を含み、且つ当該光ディスク１００の外周側部分に相当する部分を反射光ビームＬＲ１Ｂとする。このとき領域１７Ｂは、反射光ビームＬＲ１Ｂをほぼ縦方向へ、且つ反射光ビームＬＲ１Ａよりも僅かに大きく回折させる。
【００７７】
領域１７Ｃ１及び１７Ｃ２（以下、これらをまとめて領域１７Ｃと呼ぶ）は、反射光ビームＬＲ１のうち、光ディスク１００のトラックにより回折された１次回折光Ｄｉｆｆ１を殆ど含まない部分を、反射光ビームＬＲ１Ｃとする。このとき領域１７Ｃは、反射光ビームＬＲ１Ｃをほぼトラックの走行方向と直交する方向（便宜上、以下この方向を横方向と呼ぶ）へ回折させる。
【００７８】
一方、領域１７Ｄ１及び１７Ｄ２（以下、これらをまとめて領域１７Ｄと呼ぶ）は、反射光ビームＬＲ１のうち、光ディスク１００のトラックにより回折された１次回折光Ｄｉｆｆ１を殆ど含まない他の部分を、反射光ビームＬＲ１Ｄとする。このとき領域１７Ｄは、反射光ビームＬＲ１Ｄをほぼ横方向へ、且つ反射光ビームＬＲ１Ｃよりも僅かに小さく回折させる。
【００７９】
なお、領域１７Ｃが回折した反射光ビームＬＲ１Ｃは、反射光ビームＬＲ１の中央部分を除いた領域のうち、当該光ディスク１００の内周側部分に相当する部分である。一方、領域１７Ｄが回折した反射光ビームＬＲ１Ｄは、反射光ビームＬＲ１の中央部分を除いた領域のうち、当該光ディスク１００の外周側部分に相当する部分である。
【００８０】
領域１７Ｅは、反射光ビームＬＲ１の中央部分を反射光ビームＬＲ１Ｅとする。このとき領域１７Ｅは、反射光ビームＬＲ１Ｅを縦方向及び横方向のほぼ中間となる斜め方向、すなわち図の左下方向へ回折させる。
【００８１】
かくしてホログラム素子１７は、１次光でなる反射光ビームＬＲ１のうち、プッシュプル成分を含む部分を反射光ビームＬＲ１Ａ及びＬＲ１Ｂとし、これらを縦方向へそれぞれ回折させる。なおプッシュプル成分とは、光ビームＬ１の焦点Ｆ１が所望のトラックに対し内周側又は外周側へ変位した際に光量が変動する成分、すなわち反射光ビームＬＲのうち、光ディスク１００のトラックにより回折されなかった０次光と、トラックにより回折された±１次光とが重なり合い干渉する部分にて発生する変調成分を意味する。
【００８２】
またホログラム素子１７は、反射光ビームＬＲ１のうち、プッシュプル成分を殆ど含まず、且つトラックの走行方向における前後部分を反射光ビームＬＲ１Ｃ及びＬＲ１Ｄとし、これらを横方向へそれぞれ回折させる。
【００８３】
因みにホログラム素子１７は、各領域１７Ａ〜１７Ｅにいわゆるバイナリ型のホログラムが形成されているため、実際には回折作用によりそれぞれ＋１次光及び−１次光が生じる。しかしながら光ピックアップ７では、ホログラム素子１７における回折の１次光としては、＋１次光又は−１次光のいずれか一方のみを利用し、他方は利用しなくてもよい。
【００８４】
このようにホログラム素子１７は、反射光ビームＬＲ１を領域ごとに設定された方向へ回折させることにより、複数の反射光ビームＬＲ１Ａ〜ＬＲ１Ｅに分割するようになされている。なお、ホログラム素子１７が反射光ビームＬＲ１を回折させる方向は、上記の例に限定されるものではなく、様々な方向に設定されることが可能である。また、ホログラム素子１７に形成された各領域１７Ａ〜１７Ｅの分割形態も、この例に限定されるものではない。
【００８５】
シリンドリカルレンズ１８は、ホログラム素子１７を回折せずに直進する０次光でなる反射光ビームＬＲ０に非点収差を持たせ、光検出器１９へ照射する。
【００８６】
因みにシリンドリカルレンズ１８は、その光学的性質により、１次光でなる反射光ビームＬＲ１Ａ、ＬＲ１Ｂ、ＬＲ１Ｃ、ＬＲ１Ｄ及びＬＲ１Ｅについても同様に非点収差を持たせることになる。しかしながら反射光ビームＬＲ１Ａ〜ＬＲ１Ｅは、ホログラム素子１７に形成された回折格子により、予め当該非点収差を相殺するような波面収差が与えられ、これによりシリンドリカルレンズ１８から出射される時点で収差を持たない。
【００８７】
［１−２−２．光検出器１９］
図５に示すように、光検出器１９は、複数の受光部（受光素子）Ｄ１〜Ｄ４が形成され、さらに各受光部Ｄ１〜Ｄ４にそれぞれ複数の受光領域が形成されている。
【００８８】
受光部Ｄ１は、０次光でなる反射光ビームＬＲ０の光軸に対応する基準点Ｐを中心に、縦方向及び横方向にそれぞれ２分割された、すなわち格子状に４分割された受光領域Ｄ１Ａ、Ｄ１Ｂ、Ｄ１Ｃ及びＤ１Ｄにより当該反射光ビームＬＲ０を受光する。因みに受光領域Ｄ１Ａ〜Ｄ１Ｄは、いずれもほぼ同等の大きさでなる略正方形状に形成されている。
【００８９】
また受光領域Ｄ１Ａ、Ｄ１Ｂ、Ｄ１Ｃ及びＤ１Ｄは、それぞれの受光量に応じた受光信号Ｓ１Ａ、Ｓ１Ｂ、Ｓ１Ｃ及びＳ１Ｄを生成し、これらをヘッドアンプ２２（図２）へ送出する。
【００９０】
さらに受光領域Ｄ１Ａ、Ｄ１Ｂ、Ｄ１Ｃ及びＤ１Ｄの周囲には、迷光（詳しくは後述する）を検出するための迷光受光領域Ｄ１Ｐ、Ｄ１Ｑ、Ｄ１Ｒ及びＤ１Ｓが設けられている。この迷光受光領域Ｄ１Ｐ、Ｄ１Ｑ、Ｄ１Ｒ及びＤ１Ｓも、それぞれの受光量に応じた受光信号Ｓ１Ｐ、Ｓ１Ｑ、Ｓ１Ｒ及びＳ１Ｓを生成し、これらをヘッドアンプ２２（図２）へ送出する。
【００９１】
受光部Ｄ２は、基準点Ｐから縦方向に離隔した箇所に設けられており、互いに縦方向に並べて、すなわち基準点Ｐから縦方向へ延長される仮想的な直線ＶＬ１に沿って、受光領域Ｄ２Ａ及びＤ２Ｂが配置されている。因みに受光領域Ｄ２Ａ及びＤ２Ｂは、いずれもほぼ同等の大きさでなる略正方形状に形成されている。
【００９２】
受光領域Ｄ２Ａ及びＤ２Ｂは、プッシュプル成分を含む反射光ビームＬＲ１Ａ及びＬＲ１Ｂをそれぞれ受光し、それぞれの受光量に応じた受光信号Ｓ２Ａ及びＳ２Ｂを生成して、これらをヘッドアンプ２２（図２）へ送出する。
【００９３】
さらに受光部Ｄ２には、縦方向に沿って、受光領域Ｄ２Ａ及びＤ２Ｂにそれぞれ隣接するよう、迷光を検出するための迷光受光領域Ｄ２Ｐ及びＤ２Ｑが設けられている。この迷光受光領域Ｄ２Ｐ及びＤ２Ｑも、それぞれの受光量に応じた受光信号Ｓ２Ｐ及びＳ２Ｑを生成し、これらをヘッドアンプ２２（図２）へ送出する。
【００９４】
受光部Ｄ３は、基準点Ｐから横方向に離隔した箇所に設けられており、互いに横方向に並べて、すなわち基準点Ｐから横方向へ延長される仮想的な直線ＶＬ２に沿って、受光領域Ｄ３Ｃ及びＤ３Ｄが配置されている。因みに受光領域Ｄ３Ｃ及びＤ３Ｄは、いずれもほぼ同等の大きさでなる略正方形状に形成されている。
【００９５】
受光領域Ｄ３Ｃ及びＤ３Ｄは、反射光ビームＬＲ１Ｃ及びＬＲ１Ｄをそれぞれ受光し、それぞれの受光量に応じた受光信号Ｓ３Ｃ及びＳ３Ｄを生成して、これらをヘッドアンプ２２（図２）へ送出する。
【００９６】
さらに受光部Ｄ３には、横方向に沿って、受光領域Ｄ３Ｃ及びＤ３Ｄにそれぞれ隣接するよう、迷光を受光するための迷光受光領域Ｄ３Ｒ及びＤ３Ｓが設けられている。この迷光受光領域Ｄ３Ｒ及びＤ３Ｓも、それぞれの受光量に応じた受光信号Ｓ３Ｒ及びＳ３Ｓを生成し、これらをヘッドアンプ２２（図２）へ送出する。
【００９７】
受光部Ｄ４は、基準点Ｐから斜め方向（すなわち縦方向及び横方向のほぼ中間となる方向）に離隔した箇所に設けられており、格子状に４分割された受光領域Ｄ４Ａ、Ｄ４Ｂ、Ｄ４Ｃ及びＤ４Ｄにより反射光ビームＬＲ１Ｅを受光する。因みに受光部Ｄ４における各受光領域の分割方向は、受光部Ｄ１における分割方向と約４５度の角度をなすように設定されている。また受光領域Ｄ４Ａ〜Ｄ４Ｄは、いずれもほぼ同等の大きさでなる略正方形状に形成されている。
【００９８】
また受光領域Ｄ４Ａ、Ｄ４Ｂ、Ｄ４Ｃ及びＤ４Ｄは、それぞれの受光量に応じた受光信号Ｓ４Ａ、Ｓ４Ｂ、Ｓ４Ｃ及びＳ４Ｄを生成し、これらをヘッドアンプ２２（図２）へ送出する。
【００９９】
図６に、この光ピックアップ７において反射光ビームＬＲ１がホログラム素子１７により回折されると共に複数に分割され光検出器１９へ照射される様子を立体的かつ模式的に表す。
【０１００】
このように光検出器１９は、受光部Ｄ１〜Ｄ４の各受光領域により反射光ビームＬＲ０、ＬＲ１Ａ〜ＬＲ１Ｅをそれぞれ受光し、それぞれの受光量に応じた受光信号をそれぞれ生成してヘッドアンプ２２へ供給する。
【０１０１】
因みに光ピックアップ７では、集光レンズ１６及びホログラム素子１７の設計等により、反射光ビームＬＲ１Ａ、ＬＲ１Ｂ、ＬＲ１Ｃ、ＬＲ１Ｄ、ＬＲ１Ｅそれぞれが光検出器１９においてほぼ焦点を結ぶ。このため光検出器１９の受光部Ｄ２、Ｄ３及びＤ４それぞれに形成されるビームスポットは、ほぼ点状に収束している。しかし、図５等では、ビームの対応関係が判りやすいように、ビームの形状をそのまま示している。ただし、他の図ではほぼ点状又は円状に示すこととする。
【０１０２】
［１−３．迷光の照射と受光領域の配置］
ところで光ディスク１００は、記録層Ｙ１〜Ｙ３において常にそれぞれ所定の反射率で光ビームを反射させると共にその残りを透過させる。従って、記録層Ｙ１を透過した光ビームが、記録層Ｙ０において反射される。
【０１０３】
このため図３に示したように、光ディスク装置１により例えば記録層Ｙ０が対象記録層ＹＴとして選定されていたとしても、光ビームＬ１は、常に他の記録層Ｙ１〜Ｙ３によってもそれぞれ反射されることになる。このように、他の記録層Ｙ１〜Ｙ３により光ビームＬ１の一部が反射されてなる光ビームを層間迷光ビームＬＮと呼ぶ。
【０１０４】
層間迷光ビームＬＮは、反射光ビームＬＲと同様の光路を通り、ホログラム素子１７により回折された上で、最終的に光検出器１９に照射される。
【０１０５】
しかしながら層間迷光ビームＬＮは、反射光ビームＬＲと比較して、対物レンズ８から光ビームＬ１として出射されてから光検出器１９に到達するまでの光路長が相違する。
【０１０６】
光ピックアップ７では、反射光ビームＬＲについて、光検出器１９が対象記録層ＹＴの共焦点となるように各種光学部品の配置や光学特性等が定められている。このため層間迷光ビームＬＮは、反射光ビームＬＲと同様の分割パターンにより分割され、且つ焦点が外れた状態、いわゆるデフォーカスした状態で光検出器１９に照射される。
【０１０７】
さらに光ディスク１００は、他の記録層Ｙ１〜Ｙ３を複数（この場合は３層）有しており、層間迷光ビームＬＮの中でも、他の記録層Ｙ１〜Ｙ３のいずれにおいて反射された光ビームであるかにより、光検出器１９上でのデフォーカスの状態が相違することになる。
【０１０８】
図７（Ａ）に示すように、例えば他の記録層Ｙ３、すなわち対象記録層ＹＴである記録層Ｙ０から最も離れた記録層Ｙにより反射されてなる層間迷光ビームＬＮは、光検出器１９上で比較的大きく広がった迷光パターンＷ３を形成する。この迷光パターンＷ３を形成する層間迷光ビームＬＮを、ここでは層間迷光ビームＬＮ３と呼ぶ。
【０１０９】
この迷光パターンＷ３は、ホログラム素子１７により０次光の迷光パターンＷ３０が形成されると共に、１次光のうち領域１７Ａ及び１７Ｂにより迷光パターンＷ３Ａ及びＷ３Ｂが形成される。そして、迷光パターンＷ３は、領域１７Ｃ１、１７Ｃ２、１７Ｄ１及び１７Ｄ２により迷光パターンＷ３Ｃ１、Ｗ３Ｃ２、Ｗ３Ｄ１及びＷ３Ｄ２がそれぞれ形成されている。
【０１１０】
ここで光検出器１９の受光部Ｄ２及びＤ３は、図７（Ａ）に示したように、照射範囲が最も広がる迷光パターンＷ３（つまり対象記録層ＹＴから最も離隔した記録層Ｙ３からの迷光）がかからないように配置されている。つまり、受光部Ｄ２及びＤ３は、迷光パターンＷ３０、迷光パターンＷ３Ａ及びＷ３Ｂ、並びに迷光パターンＷ３Ｃ１、Ｗ３Ｃ２、Ｗ３Ｄ１及びＷ３Ｄ２のいずれもがかからないよう配置されている。
【０１１１】
一方、図７（Ｂ）に示すように、他の記録層Ｙ１、すなわち対象記録層ＹＴである記録層Ｙ０に近接した記録層Ｙにより反射されてなる層間迷光ビームＬＮ（以下これを層間迷光ビームＬＮ１と呼ぶ）は、迷光パターンＷ１を形成する。迷光パターンＷ１は、光検出器１９上で比較的狭い範囲に縮まっている。
【０１１２】
この迷光パターンＷ１は、迷光パターンＷ３と対応している。つまり、迷光パターンＷ１は、ホログラム素子１７により０次光の迷光パターンＷ１０が形成されると共に、１次光のうち領域１７Ａ及び１７Ｂにより迷光パターンＷ１Ａ及びＷ１Ｂが形成される。そして、迷光パターンＷ１は、領域１７Ｃ１、１７Ｃ２、１７Ｄ１及び１７Ｄ２により迷光パターンＷ１Ｃ１、Ｗ１Ｃ２、Ｗ１Ｄ１及びＷ１Ｄ２がそれぞれ形成されている。
【０１１３】
光検出器１９の受光部Ｄ２は、図７（Ｂ）に示したように、照射範囲が最も縮まる迷光パターンＷ１の場合に、ホログラム素子１７の領域１７Ａ及び１７Ｂにより形成される迷光パターンＷ１Ａ及びＷ１Ｂがかからないよう配置されている。
【０１１４】
ここで迷光パターンＷ１Ａ及びＷ１Ｂの間隔ｕ２は、図７（Ｂ）に示したように比較的狭くなる。また対象記録層ＹＴよりも奥側に他の記録層Ｙがある場合には、迷光パターンＷ１Ａ及びＷ１Ｂは、仮想的な直線ＶＬ１（図５）に対してそれぞれ反転した位置に移動する。このため光検出器１９では、受光領域Ｄ２Ａ及びＤ２Ｂが横方向に並べられることなく縦方向に並べられると共に、横方向の幅が間隔ｕ２よりも小さく設定される。
【０１１５】
また光検出器１９の受光部Ｄ３は、この迷光パターンＷ１の場合に、ホログラム素子１７の領域１７Ｃ１、１７Ｃ２、１７Ｃ３及び１７Ｃ４により形成される迷光パターンＷ３Ｃ１、Ｗ３Ｃ２、Ｗ３Ｄ１及びＷ３Ｄ２がいずれもかからないよう配置されている。
【０１１６】
ここで迷光パターンＷ１Ｃ１及びＷ１Ｃ２の間隔ｕ３は、図７（Ｂ）に示したように比較的狭くなる。このため光検出器１９では、受光領域Ｄ３Ｃ及びＤ３Ｄが縦方向に並べられることなく横方向に並べられると共に、横方向の幅が間隔ｕ３よりも小さく設定される。
【０１１７】
ここで、図８に、対象記録層ＹＴとの間の層間隔が異なる２の記録層（例えば記録層Ｙ３，記録層Ｙ１）により光検出器１９に形成される迷光パターンＷを重ねて示す。この図８では、層間隔の例として、対象記録層ＹＴと間の層間隔が４５［μｍ］である記録層Ｙ３と、１０［μｍ］である記録層Ｙ１とによる迷光パターンＷを示した。
【０１１８】
また図８では、光ディスク１００の照射面１００Ａ側から見て対象記録層ＹＴよりも手前側に他の記録層Ｙがある場合の迷光パターンＷを実線で表しており、対象記録層Ｙよりも奥側に他の記録層Ｙがある場合の迷光パターンを破線で表している。
【０１１９】
このように光検出器１９の各受光領域は、対象記録層ＹＴからの距離が相違する他の記録層Ｙにより反射された様々な層間迷光ビームＬＮにより形成される様々な大きさの迷光パターンＷが、受光部Ｄ２及びＤ３にかからないように配置されている。
【０１２０】
さらに光ピックアップ７では、ホログラム素子１７及び光検出器１９の取付位置を調整する際、受光部Ｄ４における検出結果を用いる。
【０１２１】
すなわち光ピックアップ７は、その組立工程等において、調整用の光ディスク１００が装填された上で、統括制御部２の制御に基づき、光ビームＬ１を当該光ディスク１００へ照射する。
【０１２２】
これに応じて光検出器１９の受光部Ｄ１には、０次光でなる反射光ビームＬＲ０が非点収差を持った状態で照射される。
【０１２３】
この組立工程において、光検出器１９は、後述するフォーカスエラー信号ＳＦＥ１が値「０」となるように、反射光ビームＬＲ０の光軸に沿った方向に関する取付位置及び当該光軸に直交する平面における取付位置が微調整される。
【０１２４】
これにより、光検出器１９は、反射光ビームＬＲ０の光軸に沿った方向に関する取付位置が最適化され、また縦方向及び横方向に関する取付位置も最適化される。
【０１２５】
さらに光検出器１９は、受光信号Ｓ４Ａ及びＳ４Ｄの和と受光信号Ｓ４Ｂ及びＳ４Ｃの和とがほぼ同等の信号レベルになるよう、基準点Ｐを中心とした取付角度が調整される。これにより光検出器１９は、基準点Ｐを中心とした回転方向に関する取付角度についても最適化される。
【０１２６】
さらにホログラム素子１７は、受光信号Ｓ４Ａ及びＳ４Ｂの和と受光信号Ｓ４Ｃ及びＳ４Ｄの和がほぼ同等の信号レベルになるよう、反射光ビームＬＲ０の光軸に沿った方向に関する位置が調整される。これによりホログラム素子１７は、反射光ビームＬＲ０の光軸に沿った方向に関する取付位置についても最適化される。
【０１２７】
このように光検出器１９では、各記録層Ｙからの層間迷光ビームＬＮを回避し得るように、受光部Ｄ２の受光領域Ｄ２Ａ及びＤ２Ｂ並びに受光部Ｄ３の受光領域Ｄ３Ｃ及びＤ３Ｄがそれぞれ配置されている。
【０１２８】
［１−４．プリフォーマット信号等の生成］
光ディスク装置１のヘッドアンプ２２（図２）は、受光信号Ｓ１Ａ、Ｓ１Ｂ、Ｓ１Ｃ及びＳ１Ｄ、Ｓ２Ａ及びＳ２Ｂ、Ｓ３Ｃ及びＳ３Ｄ、並びにＳ４Ａ、Ｓ４Ｂ、Ｓ４Ｃ及びＳ４Ｄをそれぞれ増幅し、信号処理部４へ供給する。
【０１２９】
またヘッドアンプ２２は、迷光受光信号Ｓ１Ｐ、Ｓ１Ｑ、Ｓ１Ｒ及びＳ１Ｓ、Ｓ２Ｐ及びＳ２Ｑ、並びにＳ３Ｒ及びＳ３Ｓについてもそれぞれ増幅し、信号処理部４へ供給する。
【０１３０】
［１−４−１．フォーカスエラー信号ＳＦＥ１］
信号処理部４は、フォーカスエラー信号演算回路４Ｆによりフォーカスエラー信号ＳＦＥ１を生成する。このフォーカスエラー信号演算回路４Ｆの構成を図９Ａに示す。
【０１３１】
図９Ａに示すように、フォーカスエラー信号演算回路４Ｆは、例えば、加算回路４Ｆ１、４Ｆ２と減算回路４Ｆ３を有する。そして、フォーカスエラー信号演算回路４Ｆは、これらの構成により、次の（１Ａ）式に従った演算を行い、非点収差法によるフォーカスエラー信号ＳＦＥ１を算出し、これをサーボ制御部３Ａのフォーカス制御部３ＡＦへ供給する。
【０１３２】
【数１】
2010170604.tif 000003
…（１Ａ）
【０１３３】
このフォーカスエラー信号ＳＦＥ１は、光ディスク１００において、光ビームＬ１の焦点Ｆ１と対象記録層ＹＴとのずれ量を表すことになる。
【０１３４】
なお、フォーカスエラー信号演算回路４Ｆは、図９Ａに示す構成に加え、更に２の加算回路・２の減算回路・１の係数乗算回路を有することにより、次の（１Ｂ）式に従った演算を行ってもよい。そして、フォーカスエラー信号演算回路４Ｆは、上記同様非点収差法によるフォーカスエラー信号ＳＦＥ１を算出し、これをサーボ制御部３Ａのフォーカス制御部３ＡＦへ供給する。
【０１３５】
【数２】
2010170604.tif 000004
…（１Ｂ）
【０１３６】
因みに（１Ｂ）式において、係数ｋは所定の係数を表しており、ｋ×｛（Ｓ１Ｐ＋Ｓ１Ｒ）−（Ｓ１Ｑ＋Ｓ１Ｓ）｝の項については、迷光により受光信号に不均一さが生じる場合に当該不均一さを補正するために設けられている。
【０１３７】
［１−４−２．トラッキングエラー信号ＳＴＥ１］
また信号処理部４は、トラッキングエラー信号の生成については、ＤＰＤ（Ｄｉｆｆｅｒｅｎｔｉａｌ  Ｐｈａｓｅ  Ｄｅｔｅｃｔｉｏｎ）法等の位相差法又は１ビームプッシュプル法のいずれかを用いる。
【０１３８】
具体的に信号処理部４は、光ディスク１００の種類に応じて、当該光ディスク１００が記録層Ｙにピット列が予め形成されたＢＤ−ＲＯＭ（Ｒｅａｄ  Ｏｎｌｙ  Ｍｅｍｏｒｙ）などのような光ディスクの場合には位相差法を用いる。また信号処理部４は、当該光ディスク１００が記録可能なＢＤ−Ｒ（Ｒｅｃｏｒｄａｂｌｅ）又はＢＤ−ＲＥ（Ｒｅｗｒｉｔａｂｌｅ）等であった場合には、１ビームプッシュプル法を用いる。
【０１３９】
信号処理部４は、１ビームプッシュプル法を用いる場合、トラッキングエラー信号演算回路４Ｔによって次の（２Ａ）式に従った演算を行うことによりトラッキングエラー信号ＳＴＥ１を算出する。さらに信号処理部４は、当該トラッキングエラー信号ＳＴＥ１をサーボ制御部３Ａのトラッキング制御部３ＡＴへ供給する。
【０１４０】
なお図９Ｂに示すように、トラッキングエラー信号演算回路４Ｔは、この（２Ａ）式に従った演算をする場合、減算回路４Ｔ１、４Ｔ２と係数乗算回路４Ｔ３と減算回路４Ｔ４とにより構成されうる。
【０１４１】
【数３】
2010170604.tif 000005
…（２Ａ）
【０１４２】
このトラッキングエラー信号ＳＴＥ１は、光ディスク１００において、光ビームＬ１の焦点Ｆ１と対象記録層ＹＴにおける所望のトラックとのずれ量を表すことになる。
【０１４３】
なお、トラッキングエラー信号演算回路４Ｔは、図９Ｂに示す構成に加えて、更に４の減算回路と２の係数乗算回路を有することにより、次の式（２Ｂ）式に従った演算を行ってもよい。そして、トラッキングエラー信号演算回路４Ｔは、演算したトラッキングエラー信号ＳＴＥ１をサーボ制御部３Ａのトラッキング制御部３ＡＴへ供給する。
【０１４４】
【数４】
2010170604.tif 000006
…（２Ｂ）
【０１４５】
因みに（２Ａ）式及び（２Ｂ）式において、係数α及びｊはそれぞれ所定の係数を表している。また（Ｓ２Ａ−Ｓ２Ｂ）の項は、プッシュプル成分（すなわち光ビームＬ１の焦点Ｆ１と所望のトラックとの相対的な変位）にレンズシフト成分（すなわち対物レンズ８のトラッキング方向への変位）が加算された値に相当する。さらにα×（Ｓ３Ｃ−Ｓ３Ｄ）の項は、レンズシフト成分の値に相当する。
【０１４６】
すなわち（２Ａ）式及び（２Ｂ）式の前半部分では、レンズシフト成分が加算されたプッシュプル成分の値から、レンズシフト成分のみを減算することにより、プッシュプル成分を算出している。
【０１４７】
さらに（２Ｂ）式の後半部分であるｊ×｛（Ｓ２Ｐ−Ｓ２Ｑ）−α×（Ｓ３Ｒ−Ｓ３Ｓ）｝の項については、フォーカスエラー信号ＳＦＥ１の場合と同様、迷光により受光信号に不均一さが生じる場合に当該不均一さを補正するために設けられている。
【０１４８】
一方信号処理部４は、位相差法を用いる場合、受光信号Ｓ１Ａ、Ｓ１Ｂ、Ｓ１Ｃ及びＳ１Ｄを基に、次に示す（３）式に従った演算処理を行うことによりトラッキングエラー信号ＳＴＥ１を生成し、これをサーボ制御部３Ａのトラッキング制御部３ＡＴへ供給する。
【０１４９】
【数５】
2010170604.tif 000007
…（３）
【０１５０】
因みに、この際、トラッキングエラー信号演算回路４Ｔは、２の加算回路と１の減算回路と２の位相抽出回路を有する。そして、この構成で演算される（３）式では、演算子φは信号位相を表しており、式全体としては位相差を算出している。
【０１５１】
［１−４−３．フォーカス制御及びトラッキング制御］
サーボ制御部３Ａのフォーカス制御部３ＡＦ（図２）は、フォーカスエラー信号ＳＦＥ１を基にフォーカス駆動信号ＳＦＤ１を生成し、これをフォーカスアクチュエータ９Ｆへ供給する。フォーカスアクチュエータ９Ｆは、フォーカス駆動信号ＳＦＤ１に基づき対物レンズ８をフォーカス方向へ駆動する（以下これをフォーカス制御と呼ぶ）。
【０１５２】
光ディスク装置１は、このフォーカス制御を繰り返し行う（すなわちフィードバック制御を行う）ことにより、光ビームＬ１の焦点Ｆ１と対象記録層ＹＴとのフォーカス方向に関するずれ量を任意の目標値に収束させていく。
【０１５３】
またサーボ制御部３Ａのトラッキング制御部３ＡＴ（図２）は、トラッキングエラー信号ＳＴＥ１を基に、トラッキング駆動信号ＳＴＤ１を生成し、これをトラッキングアクチュエータ９Ｔへ供給する。トラッキングアクチュエータ９Ｔは、トラッキング駆動信号ＳＴＤ１に基づき対物レンズ８をトラッキング方向へ駆動する（以下これをトラッキング制御と呼ぶ）。
【０１５４】
光ディスク装置１は、このトラッキング制御についても繰り返し行う（すなわちフィードバック制御を行う）ことにより、光ビームＬ１の焦点Ｆ１と対象記録層ＹＴにおける所望のトラックとのトラッキング方向に関するずれ量を任意の目標値に収束させていく。
【０１５５】
かくして光ディスク装置１は、フォーカス制御及びトラッキング制御を行うことにより、光ビームＬ１の焦点Ｆ１を対象記録層ＹＴにおける所望のトラックに合わせることができる。
【０１５６】
［１−４−４．再生ＲＦ信号ＳＲＦ］
また光ディスク装置１は、信号処理部４の再生信号演算回路４Ｒにより再生ＲＦ信号ＳＲＦを算出する。この再生信号演算回路４Ｒの構成を図９Ｃに示す。
【０１５７】
図９Ｃに示すように、再生信号演算回路４Ｒは、１の加算回路４Ｒ１（３の加算回路で構成されてもよい。）を有する。そして、再生信号演算回路４Ｒは、これらの構成により、次の（４）式に従って受光信号Ｓ１Ａ〜Ｓ１Ｄを加算することにより再生ＲＦ信号ＳＲＦを算出する。
【０１５８】
【数６】
2010170604.tif 000008
…（４）
【０１５９】
この再生ＲＦ信号ＳＲＦは、０次光でなる反射光ビームＬＲ０全体の光量に相当すると共に、光ディスク１００に記録された信号を表している。その後再生信号演算回路４Ｒは、再生ＲＦ信号ＳＲＦに対し所定の復調処理や復号化処理等を施すことにより、光ディスク１００に記録されている情報を再生する。
【０１６０】
［１−４−５．プリフォーマット信号］
上述の通り、光ディスク１００上には、アドレス情報や時間情報などが、予めウォブル又はプリピット等として埋め込まれ、光ディスク１００はプリフォーマットされている。そこで、光ディスク装置１は、信号処理部４のプリフォーマット信号演算回路（例えばウォブル信号演算回路４Ｗ）を使用して、ウォブル信号又はプリピット信号等のプリフォーマット信号を抽出する。なお、以下では、説明の便宜上、プリフォーマット信号の一例として、ウォブル信号を抽出する場合について説明するが、プリフォーマット信号は特に限定されるものではない。プリピット信号やウォブル付き情報ピット列による信号等を抽出する場合も同様の構成を使用することが可能である。
【０１６１】
図９Ｂに示すように、信号処理部４のウォブル信号演算回路４Ｗは、プリフォーマット信号演算回路の一例であり、トラッキングエラー信号演算回路４Ｔから、減算回路４Ｔ１の出力信号をタッピングする。その結果、ウォブル信号ＳＷＢＬ１としては、次の（５）式により演算された信号が抽出される。
【０１６２】
【数７】
2010170604.tif 000009
…（５）
【０１６３】
なお、ウォブル信号演算回路４Ｗは、上記のように信号をタッピングする場合、減算回路４Ｔ１を有しているとも言える。また、タッピングする代りに、ウォブル信号演算回路４Ｗは、自ら減算回路を有し、（５）式を演算して、ウォブル信号ＳＷＢＬ１を算出してもよい。
【０１６４】
このウォブル信号ＳＷＢＬ１は、上述の通り、プッシュプル成分（すなわち光ビームＬ１の焦点Ｆ１と所望のトラックとの相対的な変位）を含む
【０１６５】
このウォブル信号ＳＷＢＬ１は、（５）式を参照すれば判るとおり、層間迷光ビームＬＮが回避された受光部Ｄ２の受光領域Ｄ２Ａ及びＤ２Ｂからの受光信号Ｓ２Ａ及びＳ２Ｂから生成される。従って、ウォブル信号演算回路４Ｗは、迷光による影響を受けないウォブル信号ＳＷＢＬ１を生成することができる。この際、受光信号Ｓ２Ａ及びＳ２Ｂは、信号光の中央部からの信号（受光信号Ｓ１Ａ、Ｓ１Ｂ、Ｓ１Ｃ及びＳ１Ｄ）でもない。よって、ウォブル信号演算回路４Ｗは、ビートによる影響も受けないウォブル信号ＳＷＢＬ１を生成することができる。
【０１６６】
このウォブル信号演算回路４Ｗは、その後、ウォブル信号ＳＷＢＬ１に対して、所定の復調処理や復号処理等を施すことにより、光ディスク１００に予め埋め込まれているアドレス情報や時間情報等のプリフォーマットされた情報を抽出することができる。
【０１６７】
なお、このウォブル信号ＳＷＢＬ１は、受光領域Ｄ２Ａ及びＤ２Ｂからの受光信号Ｓ２Ａ及びＳ２Ｂを使用し、この受光信号Ｓ２Ａ及びＳ２Ｂは、反射光ビームＬＲ１Ａ及びＬＲ１Ｂから生成される（図６）。また、反射光ビームＬＲ１Ａ及びＬＲ１Ｂは、ホログラム素子１７の領域１７Ａ及び１７Ｂにより回折された反射光ビームＬＲである。よって、反射光ビームＬＲ１Ａ及びＬＲ１Ｂは、図４に示すように、光ディスク１００のトラックのプッシュプル成分を含む。従って、ウォブル信号演算回路４Ｗは、トラックのプッシュプル成分を含む受光信号Ｓ２Ａ及びＳ２Ｂから、ウォブル信号ＳＷＢＬ１を生成することができる。このようにウォブル信号ＳＷＢＬ１を生成することにより、ウォブル信号演算回路４Ｗは、アドレス情報や時間情報などのプリフォーマットされた情報を正確かつ確実に抽出可能なウォブル信号ＳＷＢＬ１を生成することができる。
【０１６８】
［１−５．光ディスクの種類判別］
ところで光検出器１９に形成される迷光パターンＷは、図７（Ａ）及び（Ｂ）に示したように、層間迷光ビームＬＮが反射された記録層Ｙと対象記録層ＹＴとの間隔に応じて、その照射範囲が変化する。
【０１６９】
具体的に光検出器１９では、記録層Ｙと対象記録層ＹＴとの間隔が広い場合には、迷光パターンＷの照射範囲が広がり、反対に当該間隔が狭い場合には、迷光パターンＷの照射範囲が狭まる。
【０１７０】
これを換言すれば、光ディスク１００が装填された直後等、当該光ディスク１００に形成されている記録層Ｙの数が不明であるときに、迷光パターンＷの形成範囲を基に、光ディスク１００における記録層Ｙの数をある程度判別できることになる。
【０１７１】
特に光検出器１９は、図７（Ａ）及び（Ｂ）に示したように、迷光パターンＷ１０及びＷ３０のいずれもが、受光部Ｄ１の迷光受光領域Ｄ１Ｐ、Ｄ１Ｑ、Ｄ１Ｒ、Ｄ１Ｓにかかるよう照射されている。
【０１７２】
一方、光検出器１９は、光ディスク１００が記録層Ｙを１層のみ有している場合、原理的に層間迷光ビームＬＮが発生しないため、受光部Ｄ１の迷光受光領域Ｄ１Ｐ、Ｄ１Ｑ、Ｄ１Ｒ、Ｄ１Ｓに迷光パターンがかかることはない。
【０１７３】
そこで信号処理部４のメディア判別信号演算回路４Ｍは、受光部Ｄ１の迷光受光領域Ｄ１Ｐ、Ｄ１Ｑ、Ｄ１Ｒ、Ｄ１Ｓにより生成された受光信号Ｓ１Ｐ、Ｓ１Ｑ、Ｓ１Ｒ及びＳ１Ｓが、所定の閾値以上であるか否かを判別する。
【０１７４】
メディア判別信号演算回路４Ｍは、受光信号Ｓ１Ｐ、Ｓ１Ｑ、Ｓ１Ｒ及びＳ１Ｓが閾値以上であった場合、迷光受光領域Ｄ１Ｐ、Ｄ１Ｑ、Ｄ１Ｒ、Ｄ１Ｓに迷光パターンＷが形成されており、光ディスク１００が記録層Ｙを２層以上有していると判別する。
【０１７５】
一方メディア判別信号演算回路４Ｍは、受光信号Ｓ１Ｐ、Ｓ１Ｑ、Ｓ１Ｒ及びＳ１Ｓが閾値未満であった場合、迷光受光領域Ｄ１Ｐ、Ｄ１Ｑ、Ｄ１Ｒ、Ｄ１Ｓに迷光パターンＷが形成されておらず、光ディスク１００が記録層Ｙを１層のみ有していると判別する。
【０１７６】
かくして光ディスク装置１の信号処理部４は、受光信号Ｓ１Ｐ、Ｓ１Ｑ、Ｓ１Ｒ及びＳ１Ｓを基に、迷光パターンＷの有無を判別し、その判別結果から光ディスク１００の記録層Ｙが１層であるか、或いは２層以上であるかを判別することが可能である。
【０１７７】
［１−６．動作及び効果］
［１−６−１．動作］
以上の構成において光ディスク装置１の光ピックアップ７は、光ビームＬ１を光ディスク１００へ照射し、当該光ディスク１００により反射されてなる反射光ビームＬＲをホログラム素子１７により分離する。
【０１７８】
ホログラム素子１７は、０次光でなる反射光ビームＬＲ０をほぼ直進させると共に、領域１７Ａ〜１７Ｅ（図４（Ａ））ごとに、１次光でなる反射光ビームＬＲ１を回折させる。
【０１７９】
このときホログラム素子１７は、反射光ビームＬＲ１Ａ及びＬＲ１Ｂをそれぞれ縦方向へ回折させ、反射光ビームＬＲ１Ｃ及びＬＲ１Ｄをそれぞれ横方向へ回折させ、さらに反射光ビームＬＲ１Ｅを斜め方向へ回折させる。
【０１８０】
これに応じて光検出器１９は、受光部Ｄ１の受光領域Ｄ１Ａ〜Ｄ１Ｄにより反射光ビームＬＲ０を受光し、受光信号Ｓ１Ａ〜Ｓ１Ｄを生成する。また光検出器１９は、受光部Ｄ２の受光領域Ｄ２Ａ及びＤ２Ｂにより反射光ビームＬＲ１Ａ及びＬＲ１Ｂをそれぞれ受光し、受光信号Ｓ２Ａ及びＳ２Ｂを生成する。さらに光検出器１９は、受光部Ｄ３の受光領域Ｄ３Ｃ及びＤ３Ｄにより反射光ビームＬＲ１Ｃ及びＬＲ１Ｄをそれぞれ受光し、受光信号Ｓ３Ｃ及びＳ３Ｄを生成する。
【０１８１】
信号処理部４は、ヘッドアンプ２２により増幅された各受光信号を基に、フォーカスエラー信号演算回路４Ｆにより（１Ａ）式又は（１Ｂ）式に従ってフォーカスエラー信号ＳＦＥ１を算出する。また信号処理部４は、トラッキングエラー信号演算回路４Ｔにより（２Ａ）式又は（２Ｂ）式に従ってトラッキングエラー信号ＳＴＥ１を算出して、これらをサーボ制御部３Ａへ供給する。
【０１８２】
サーボ制御部３Ａは、フォーカス制御部３ＡＦによってフォーカスエラー信号ＳＦＥ１を基にフォーカス駆動信号ＳＦＤ１を生成しフォーカスアクチュエータ９Ｆへ供給することにより、フォーカス制御を行う。
【０１８３】
またサーボ制御部３Ａは、トラッキング制御部３ＡＴによってトラッキングエラー信号ＳＴＥ１を基にトラッキング駆動信号ＳＴＤ１を生成しトラッキングアクチュエータ９Ｔへ供給することにより、トラッキング制御を行う。
【０１８４】
更に信号処理部４は、ヘッドアンプ２２により増幅された各受光信号を基に、ウォブル信号演算回路４Ｗにより（５）式に従ったウォブル信号ＳＷＢＬ１を算出するか抽出する。そして、この信号処理部４は、ウォブル信号ＳＷＢＬ１から、アドレス情報や時間情報等のプリフォーマットされた情報を生成し、統括制御部２に出力する。統括制御部２は、アドレス情報や時間情報等に基づいて、記録又は再生動作を制御することができる。
【０１８５】
［１−６−２．効果］
従って光ディスク装置１は、光検出器１９の受光部Ｄ２及びＤ３によって反射光ビームＬＲ１Ａ、ＬＲ１Ｂ、ＬＲ１Ｃ及びＬＲ１Ｄをそれぞれ受光できる。そして、光ディスク装置１は、その受光結果である受光信号Ｓ２Ａ、Ｓ２Ｂ、Ｓ３Ｃ及びＳ３Ｄを用いて生成したトラッキングエラー信号ＳＴＥ１を基にトラッキング制御を行うことができる。
【０１８６】
１ビームプッシュプル法では、一般に、再生ＲＦ信号ＳＲＦの信号レベルを高めるべく、ホログラム素子１７の回折作用により、０次光でなる反射光ビームＬＲ０の光強度を１次光でなる反射光ビームＬＲ１の光強度よりも高めている。
【０１８７】
これに伴い光検出器１９では、１次光でなる反射光ビームＬＲ１Ａ、ＬＲ１Ｂ、ＬＲ１Ｃ１、ＬＲ１Ｃ２、ＬＲ１Ｄ１及びＬＲ１Ｄ２の照射強度が相対的に弱くなり、受光信号Ｓ１Ａ等のＳ／Ｎ（Ｓｉｇｎａｌ／Ｎｏｉｓｅ）比等も比較的低くなってしまう。
【０１８８】
このため光ディスク装置１では、光検出器１９において１次光を受光するための受光領域Ｄ２Ａ、Ｄ２Ｂ、Ｄ３Ｃ及びＤ３Ｄに迷光パターンＷがかかった場合、ウォブル信号ＳＷＢＬ１やトラッキングエラー信号ＳＴＥ１の精度が大幅に低下してしまうおそれがあった。
【０１８９】
これに対しホログラム素子１７は、プッシュプル成分を多く含む反射光ビームＬＲ１Ａ及びＬＲ１Ｂと、レンズシフト成分を多く含む反射光ビームＬＲ１Ｃ及びＬＲ１Ｄとを、互いに異なる方向へ回折させている。これにより光検出器１９では、領域１７Ａ及び１７Ｂによる迷光パターンが受光部Ｄ３に照射されることを回避できると共に、領域１７Ｃ及び１７Ｄによる迷光パターンが受光部Ｄ２に照射されることも回避できる。
【０１９０】
このため光検出器１９では、受光部Ｄ２については、０次光並びに領域１７Ａ及び１７Ｂに起因した迷光パターンＷを回避するよう設計すれば良い。また、受光部Ｄ３については、０次光並びに領域１７Ｃ及び１７Ｄに起因した迷光パターンＷを回避するよう設計すれば良い。従って、設計上の難易度を緩和することができる。
【０１９１】
さらに光検出器１９では、受光部Ｄ２が基準点Ｐから見て縦方向に配置されている。また受光領域Ｄ２Ａ及びＤ２Ｂは、互いに縦方向に並べて配置され、横方向に関して間隔ｕ２（図７（Ｂ））未満に収まるように設定されている。
【０１９２】
このため光検出器１９は、図７（Ａ）及び（Ｂ）に示したように、層間迷光ビームＬＮがホログラム素子１７の領域１７Ａ及び１７Ｂによりそれぞれ回折され形成された迷光パターンＷが、受光領域Ｄ２Ａ及びＤ２Ｂにかかることはない。因みにこの迷光パターンＷとは、迷光パターンＷ３Ａ及びＷ３Ｂ（図７（Ａ））やＷ１Ａ及びＷ１Ｂ（図７（Ｂ））等をいう。
【０１９３】
特に光検出器１９は、仮にホログラム素子１７における格子ピッチの誤差や光ビームＬ１における波長のずれ等の要因により回折角が設計上の値からずれたとしても、迷光パターンＷが受光領域Ｄ２Ａ及びＤ２Ｂにかかることはない。
【０１９４】
すなわち光検出器１９では、基本的に、受光信号Ｓ２Ａ及びＳ２Ｂに層間迷光ビームＬＮの影響が表れることはない。
【０１９５】
また光検出器１９は、受光部Ｄ３が基準点Ｐから見て横方向に配置されている。また受光領域Ｄ３Ｃ及びＤ３Ｄは、互いに横方向に並べて配置され、縦方向に関して間隔ｕ３（図７（Ｂ））未満に収まるようになされている。
【０１９６】
このため光検出器１９では、図７（Ａ）及び（Ｂ）に示したように、層間迷光ビームＬＮがホログラム素子１７の領域１７Ｃ１、１７Ｃ２、１７Ｄ１及び１７Ｄ２によりそれぞれ回折され形成された迷光パターンＷが、受光領域Ｄ３Ｃ及びＤ３Ｄにかかることはない。因みにこの迷光パターンＷとは、迷光パターンＷ３Ｃ１、Ｗ３Ｃ２、Ｗ３Ｄ１及びＷ３Ｄ２（図７（Ａ））やＷ１Ｃ１、Ｗ１Ｃ２、Ｗ１Ｄ１及びＷ１Ｄ２（図７（Ｂ））等をいう。
【０１９７】
特に光検出器１９は、仮にホログラム素子１７における格子ピッチの誤差や光ビームＬ１における波長のずれ等の要因により回折角が設計上の値からずれたとしても、迷光パターンＷが受光領域Ｄ３Ｃ及びＤ３Ｄにかかることはない。
【０１９８】
すなわち光検出器１９では、基本的に、受光信号Ｓ３Ｃ及びＳ３Ｄについても層間迷光ビームＬＮの影響が表れることはない。
【０１９９】
従って、受光信号Ｓ２Ａ、Ｓ２Ｂを用いて算出されるウォブル信号ＳＷＢＬ１（プリフォーマット信号の一例）について、層間迷光ビームＬＮの影響が表れることは殆どないといえる。また、受光信号Ｓ２Ａ、Ｓ２Ｂ、Ｓ３Ｃ及びＳ３Ｄを用いて算出されるトラッキングエラー信号ＳＴＥ１についても、層間迷光ビームＬＮの影響が表れることは殆どないといえる。
【０２００】
かくして光検出器１９は、光ディスク１００における対象記録層ＹＴからの層間距離が相違する複数の記録層Ｙに起因した種々の迷光パターンＷを効果的に回避し得るよう受光領域Ｄ２Ａ、Ｄ２Ｂ、Ｄ３Ｃ及びＤ３Ｄが配置されている。このため光ディスク装置１は、ウォブル信号ＳＷＢＬ１及びトラッキングエラー信号ＳＴＥ１の精度を殆ど低下させずに済む。
【０２０１】
さらに光検出器の受光部Ｄ２には、迷光検出用の迷光受光領域Ｄ２Ｐ及びＤ２Ｑが設けられており、受光部Ｄ３には、迷光検出用の迷光受光領域Ｄ３Ｒ及びＤ３Ｓが設けられている。
【０２０２】
これに応じて信号処理部４のトラッキングエラー信号演算回路４Ｔでは、（２Ｂ）式の後半部分にｊ×｛（Ｓ２Ｐ−Ｓ２Ｑ）−α×（Ｓ３Ｒ−Ｓ３Ｓ）｝の項が設けられている。
【０２０３】
このため信号処理部４では、何らかの要因により受光領域Ｄ２Ａ及びＤ２Ｂ又はＤ３Ｃ及びＤ３Ｄに迷光パターンＷがかかり、層間迷光ビームＬＮによる影響が受光信号Ｓ２Ａ、Ｓ２Ｂ、Ｓ３Ｃ又はＳ３Ｄに含まれた場合でも、その影響を効果的に排除可能である。
【０２０４】
さらに光ピックアップ７は、集光レンズ１６及びホログラム素子１７の設計により、光検出器１９の受光部Ｄ２、Ｄ３及びＤ４へ照射される反射光ビームＬＲ１Ａ等を点状のビームスポットとするよう集光している。このため光ピックアップ７は、光検出器１９における各受光領域の面積を小さく抑えることができると共に、対物レンズ８のレンズシフトが生じた際の各ビームスポットの移動量も小さく抑えることができる。
【０２０５】
このとき光ピックアップ７は、迷光パターンＷについても極力小さく集光することになるため、当該迷光パターンＷの照射範囲をできるだけ狭めることができる。
【０２０６】
以上の構成によれば、光ディスク装置１の光ピックアップ７は、ホログラム素子１７により回折されない０次光でなる反射光ビームＬＲ０をほぼ直進させ、光検出器１９の受光部Ｄ１により検出して受光信号Ｓ１Ａ〜Ｓ１Ｄを生成する。
また光ピックアップ７は、ホログラム素子１７により回折される１次光でなる反射光ビームＬＲ１のうち反射光ビームＬＲ１Ａ及びＬＲ１Ｂをそれぞれ縦方向へ回折させて受光部Ｄ２の受光領域Ｄ２Ａ及びＤ２Ｂによりそれぞれ受光し、受光信号Ｓ２Ａ及びＳ２Ｂを生成する。
さらに光ピックアップ７は、ホログラム素子１７により回折される１次光でなる反射光ビームＬＲ１のうち反射光ビームＬＲ１Ｃ及びＬＲ１Ｄをそれぞれ横方向へ回折させて受光部Ｄ３の受光領域Ｄ３Ｃ及びＤ３Ｄによりそれぞれ受光し、受光信号Ｓ３Ｃ及びＳ３Ｄを生成する。
これにより光ディスク装置１は、複数の記録層Ｙからの層間迷光ビームＬＮによりそれぞれ形成される迷光パターンＷの影響を排除したウォブル信号ＳＷＢＬ１を生成できる。よって、光ディスク装置１は、アドレス情報や時間情報などのプリフォーマットされた情報を正確かつ安定して抽出することができる。
更に、光ディスク装置１は、複数の記録層Ｙからの層間迷光ビームＬＮによりそれぞれ形成される迷光パターンＷの影響を排除したトラッキングエラー信号ＳＴＥ１を生成でき、精度良くトラッキング制御を行うことができる。
【０２０７】
［１−６−３．関連技術との比較］
ここで、第１の実施形態による光ディスク装置１を、関連技術による光ディスク装置と比較することにより、上記の効果を更に具体的に説明する。
【０２０８】
関連技術による光ディスク装置は、例えば上記特許文献５に記載されているように、３ビームプッシュプル法により、ウォブル信号等を算出する。この場合、例えば、図２に示す光ピックアップの構成において、例えば、ビームスプリッタ１３の上流側に、入射光の光ビームＬ１を回折させて３本の光束に分割する回折光学素子（図示せず。第６の実施形態のグレーティング１３２に対応。）を有する。この３本の光束のうち、回折されずに直進する光束は、上記光ビームＬ１に相当し、ここでは主光ビームＬ１−Ｍと呼ぶ。一方、その他の回折された２本の光束を、ここでは副光ビームＬ１−Ｓ１及びＬ１−Ｓ２と呼ぶことにする。
【０２０９】
主光ビームＬ１−Ｍは、上記光ビームＬ１と同様に、光ディスク１００で反射して、主反射ビームＬＲ−Ｍとなる。副光ビームＬ１−Ｓ１及びＬ１−Ｓ２は、上記光ビームＬ１−Ｍとずれた光路を通過し、同じく光ディスク１００で反射して、副反射光ビームＬＲ−Ｓ１及びＬ１−Ｓ２となる。この関連技術による光ディスク装置では、上記第１の実施形態の光ディスク装置１と異なり、ホログラム素子１７を備えず、かつ、光検出器１９及び信号処理部４の変りに、光検出器９９及び他の信号処理部を有する。なお、その他の構成等は、上記第１の実施形態の光ディスク装置１とほぼ同様に構成可能であるため、以下では相違点を中心に説明する。
【０２１０】
図１０Ａに、この光検出器９９の受光部の構成を示す。
光検出器９９は、主反射光ビームＬＲ−Ｍと副反射光ビームＬＲ−Ｓ１及びＬ１−Ｓ２それぞれに対して、受光部ＤＭ１と受光部ＤＳ１及びＤＳ２を有する。
【０２１１】
受光部ＤＭ１は、上記受光部Ｄ１と同様に、３ビームに分割する回折光学素子で回折されていない０次光でなる主反射光ビームＬＲ−Ｍ（上記反射光ビームＬＲ０に相当）の光軸に対応する基準点Ｐを中心に、縦方向及び横方向にそれぞれ２分割されている。つまり、受光部ＤＭ１は、格子状に４分割された受光領域ＤＭ１Ａ、ＤＭ１Ｂ、ＤＭ１Ｃ及びＤＭ１Ｄにより当該反射光ビームＬＲを受光する。受光領域ＤＭ１Ａ、ＤＭ１Ｂ、ＤＭ１Ｃ及びＤＭ１Ｄは、それぞれの受光量に応じた受光信号ＳＭ１Ａ、ＳＭ１Ｂ、ＳＭ１Ｃ及びＳＭ１Ｄを生成して、これらをヘッドアンプ２２（図２）へ送出する。
【０２１２】
受光部ＤＳ１は、基準点Ｐからほぼ縦方向一側に離隔した箇所に設けられており、互いに縦方向に並べて、すなわち基準点Ｐから縦方向へ延長される仮想的な直線ＶＬ１にほぼ沿って、受光領域ＤＳ１Ａ及びＤＳ１Ｂが配置されている。
【０２１３】
受光領域ＤＳ１Ａ及びＤＳ１Ｂは、副反射光ビームＬＲ−Ｓ１をそれぞれ受光し、それぞれの受光量に応じた受光信号ＳＳ１Ａ及びＳＳ１Ｂを生成して、これらをヘッドアンプ２２（図２）へ送出する。
【０２１４】
受光部ＤＳ２は、基準点Ｐからほぼ縦方向他側に離隔した箇所に設けられており、互いに縦方向に並べて、すなわち基準点Ｐから縦方向へ延長される仮想的な直線ＶＬ１にほぼ沿って、受光領域ＤＳ２Ａ及びＤＳ２Ｂが配置されている。
【０２１５】
受光領域ＤＳ２Ａ及びＤＳ２Ｂは、副反射光ビームＬＲ−Ｓ２をそれぞれ受光し、それぞれの受光量に応じた受光信号ＳＳ２Ａ及びＳＳ２Ｂを生成して、これらをヘッドアンプ２２（図２）へ送出する。
【０２１６】
この関連技術による光ディスク装置の場合、信号処理部は、図９Ｂに示したウォブル信号演算回路４Ｗ及びトラッキングエラー信号演算回路４Ｔの代りに、図１０Ｂに示すウォブル信号演算回路４Ｗ−Ｍ及びトラッキングエラー信号演算回路４Ｔ−Ｍ等を有する。なお、フォーカスエラー信号演算回路及び再生信号演算回路については、上記フォーカスエラー信号演算回路４Ｆ及び再生信号演算回路４Ｒと同様に構成される。ただし、このフォーカスエラー信号演算回路及び再生信号演算回路では、受光信号Ｓ１Ａ〜Ｓ１Ｄの代りに、上記受光信号ＳＭ１Ａ〜ＳＭ１Ｄが使用される。
【０２１７】
図１０Ｂに示すように、関連技術の信号処理部は、更に、主プッシュプル演算回路４Ｐ−Ｍと副プッシュプル演算回路４Ｐ−Ｓを有する。主プッシュプル演算回路４Ｐ−Ｍは、加算回路４Ｐ１及び４Ｐ２と減算回路４Ｐ３を有し、主プッシュプル信号を生成する。副プッシュプル演算回路４Ｐ−Ｓは、加算回路４Ｐ４及び４Ｐ５と減算回路４Ｐ６を有し、副プッシュプル信号を生成する。
【０２１８】
一方、ウォブル信号演算回路４Ｗ−Ｍは、主プッシュプル信号をタッピングして、ウォブル信号ＳＷＬ０を生成する。つまり、ウォブル信号演算回路４Ｗ−Ｍは、これらの構成により、次の（５Ｍ）式に従って演算されたウォブル信号ＳＷＢＬ０を生成することになる。
【０２１９】
【数８】
2010170604.tif 000010
…（５Ｍ）
【０２２０】
トラッキングエラー信号演算回路４Ｔ−Ｍは、係数乗算回路４Ｔ３と減算回路４Ｔ４を有し、主プッシュプル信号及び副プッシュプル信号から、トラッキングエラー信号ＳＴＥ０を生成する。つまり、トラッキングエラー信号演算回路４Ｔ−Ｍは、これらの構成により、次の（２Ｍ）式に従って演算し、トラッキングエラー信号ＳＴＥ０を算出することになる。
【０２２１】
【数９】
2010170604.tif 000011
…（２Ｍ）
【０２２２】
この関連技術による光ディスク装置が使用する受光信号ＳＭ１Ａ〜ＳＭ１Ｄ、ＳＳ１Ａ及びＳＳ１Ｂ、ＳＳ２Ａ及びＳＳ２Ｂは、図１０Ａに示すように、迷光ビームＷ−Ｍ、Ｗ−Ｓ１、Ｗ−Ｓ２が重畳している。従って、ここで計算されるウォブル信号ＳＷＬ０等は、上記第１実施形態の光ディスク装置１のように迷光の影響を受けないウォブル信号ＳＷＬ１と異なり、迷光の影響を受けてしまう。従って、多層の光ディスク１００を使用する場合、この関連技術による光ディスク装置では、安定かつ確実なプリフォーマット信号の抽出が難しかった。これに対して、上記第１の実施形態による光ディスク装置１は、迷光の影響を受けないプリフォーマット信号の抽出が可能である。
【０２２３】
また、一般に、ウォブル信号は、トラッキングエラー信号よりも高い帯域が使用されるため、ウォブル信号を生成する各回路は、トラッキングエラー信号を生成する各回路よりも高い帯域に許容しうるものが使用される。従って、関連技術による信号処理部は、ウォブル信号ＳＷＢＬ０を生成する際に、加算回路４Ｐ１及び４Ｐ２、減算回路４Ｐ３、ウォブル信号演算回路４Ｗ−Ｍの４つの回路に、高い帯域が許容される回路を使用する必要がある。一方、第１の実施形態による信号処理部４は、図９Ｂに示すように、ウォブル信号ＳＷＢＬ１を生成する際に、減算回路４Ｔ１及びウォブル信号演算回路４Ｗの２つの回路に、高い帯域が許容される回路を使用するだけですむ。従って、第１の実施形態による光ディスク装置１では、高価な高い帯域が許容される回路の使用個数を減らしつつ、安定したウォブル信号ＳＷＢＬ１を生成することが可能である。
【０２２４】
＜２．第２の実施形態＞
第２の実施形態による光ディスク装置３０は、第１の実施形態による光ディスク装置１と比較して、信号処理部４、光ピックアップ７、ホログラム素子１７及び光検出器１９に代えて、信号処理部３４、光ピックアップ３７、ホログラム素子４７及び光検出器４９が設けられている点が異なっている。
【０２２５】
信号処理部３４は、信号処理部４と同様に所定の演算処理を行うことによりフォーカスエラー信号及びトラッキングエラー信号をそれぞれ生成し、これらを駆動制御部３へ供給するものの、信号処理部４とは演算処理の内容が一部相違している（詳しくは後述する）。なお、他の構成等については基本的には第１の実施形態の信号処理部４と同様に構成される。
【０２２６】
光ピックアップ３７のホログラム素子４７は、図４と対応する図１１に示すように、光ピックアップ７のホログラム素子１７と比較して、同様の分割パターンにより分割されているものの、領域４７Ａ及び４７Ｂに形成される回折素子の種類が相違している。
【０２２７】
すなわち領域４７Ａ及び４７Ｂは、いわゆるブレーズドホログラムでなり、反射光ビームＬＲのうち当該領域４７Ａ及び４７Ｂにかかる部分について、そのほぼ全てを１次光として回折させ反射光ビームＬＲ１Ａ及びＬＲ１Ｂとするようになされている。
【０２２８】
また領域４７Ｃ１、４７Ｃ２、４７Ｄ１及び４７Ｄ２は、第１の実施形態と比較して、それぞれ１次光でなる反射光ビームＬＲ１Ｃ１、ＬＲ１Ｃ２、ＬＲ１Ｄ１及びＬＲ１Ｄ２の回折角度が小さくなるよう設計されている。図１２に、反射光ビームＬＲ１Ａ〜ＬＲ１Ｄが照射される様子を模式的に示している。
【０２２９】
光検出器４９は、図７と対応する図１３に示すように、光検出器１９と比較して、受光部Ｄ３が受光部Ｄ１に近接した箇所に設けられている。
【０２３０】
実際上、光検出器４９には、例えば層間迷光ビームＬＮ３が照射された場合、図７の迷光パターンＷ３と対応する迷光パターンＷ５が形成される。
【０２３１】
この迷光パターンＷ５を迷光パターンＷ３（図７（Ａ））と比較すると、０次光による迷光パターンＷ５０については、これと対応する迷光パターンＷ３０からホログラム素子４７の領域４７Ａ及び４７Ｂに相当する部分が欠落したような形状となっている。これは、領域４７Ａ及び４７Ｂにおいて０次光が殆ど発生しないことによるものである。
【０２３２】
また迷光パターンＷ５０は、迷光パターンＷ３０と比較して、横方向への広がりが抑えられた形状となっている。このため光検出器４９は、受光部Ｄ３が受光部Ｄ１に近接しているものの、当該受光部Ｄ３に当該迷光パターンＷ５０がかからないように形成されている。
【０２３３】
一方、信号処理部３４では、上述した（４）式に代えて、所定の係数γを用い、次に示す（６）式により再生ＲＦ信号ＳＲＦを算出する。
【０２３４】
【数１０】
2010170604.tif 000012
…（６）
【０２３５】
この第２の実施形態では、反射光ビームＬＲのうちいわゆるプッシュプル成分については、そのほぼ全てが１次光でなる反射光ビームＬＲ１Ａ及びＬＲ１Ｂとして受光部Ｄ２の受光領域Ｄ２Ａ及びＤ２Ｂに照射される。
【０２３６】
このため（６）式では、（４）式と比較してγ×（Ｓ２Ａ＋Ｓ２Ｂ）の項が加算されている。
【０２３７】
因みに光ディスク装置３０は、その他の点については、第１の実施形態による光ディスク装置１とほぼ同様に構成されている。
【０２３８】
以上の構成において、第２の実施形態による光ディスク装置３０の光ピックアップ３７は、光ビームＬ１を光ディスク１００へ照射し、当該光ディスク１００により反射されてなる反射光ビームＬＲをホログラム素子４７により分離する。
【０２３９】
ホログラム素子４７は、領域４７Ａ及び４７Ｂ（図１１（Ａ））以外の部分について０次光でなる反射光ビームＬＲ０をほぼ直進させると共に、領域４７Ａ〜４７Ｅごとに、１次光でなる反射光ビームＬＲ１を回折させる。
【０２４０】
このときホログラム素子４７は、反射光ビームＬＲ１Ａ及びＬＲ２Ａをそれぞれ縦方向へ回折させ、反射光ビームＬＲ１Ｃ及びＬＲ１Ｄをそれぞれ横方向へ回折させ、さらに反射光ビームＬＲ１Ｅを斜め方向へ回折させる。
【０２４１】
これに応じて光検出器４９は、受光部Ｄ１の受光領域Ｄ１Ａ〜Ｄ１Ｄにより反射光ビームＬＲ０を受光し、受光信号Ｓ１Ａ〜Ｓ１Ｄを生成する。また光検出器４９は、受光部Ｄ２の受光領域Ｄ２Ａ及びＤ２Ｂにより反射光ビームＬＲ１Ａ及びＬＲ１Ｂをそれぞれ受光し、受光信号Ｓ２Ａ及びＳ２Ｂを生成する。さらに光検出器４９は、受光部Ｄ３の受光領域Ｄ３Ｃ及びＤ３Ｄにより反射光ビームＬＲ１Ｃ及びＬＲ１Ｄをそれぞれ受光し、受光信号Ｓ３Ｃ及びＳ３Ｄを生成する。
【０２４２】
信号処理部３４は、フォーカスエラー信号演算回路４Ｆにより（１Ａ）式又は（１Ｂ）式に従ってフォーカスエラー信号ＳＦＥ１を算出する。また信号処理部３４は、トラッキングエラー信号演算回路４Ｔにより（２Ａ）式又は（２Ｂ）式に従ってトラッキングエラー信号ＳＴＥ１を算出して、これらをサーボ制御部３Ａへ供給する。
【０２４３】
サーボ制御部３Ａは、第１の実施形態と同様、フォーカス制御及びトラッキング制御を行う。
【０２４４】
従って光ディスク装置３０は、光検出器４９の受光部Ｄ２及びＤ３によって反射光ビームＬＲ１Ａ、ＬＲ１Ｂ、ＬＲ１Ｃ及びＬＲ１Ｄをそれぞれ受光できる。そして、光ディスク装置３０は、その受光結果である受光信号Ｓ２Ａ、Ｓ２Ｂ、Ｓ３Ｃ及びＳ３Ｄを用いて生成したトラッキングエラー信号ＳＴＥ１を基にトラッキング制御を行うことができる。
【０２４５】
また、信号処理部３４は、ヘッドアンプ２２により増幅された各受光信号を基に、ウォブル信号演算回路４Ｗにより（５）式に従ったウォブル信号ＳＷＢＬ１を算出するか抽出する。そして、この信号処理部３４は、ウォブル信号ＳＷＢＬ１から、アドレス情報や時間情報等のプリフォーマットされた情報を生成し、統括制御部２に出力する。統括制御部２は、アドレス情報や時間情報等に基づいて、記録又は再生動作を制御することができる。
【０２４６】
このとき光検出器４９では、受光部Ｄ３が受光部Ｄ１に近接して配置されているものの、０次光に起因する迷光パターンＷ５０のうち、ホログラム素子４７の領域４７Ａ及び４７Ｂに相当する部分が欠落していることから、当該迷光パターンＷ５０がかかることはない。
【０２４７】
すなわちホログラム素子４７の領域４７Ｃ１、４７Ｃ２、４７Ｄ１及び４７Ｄ２は、第１の実施形態におけるホログラム素子１７の領域１７Ｃ１、１７Ｃ２、１７Ｄ１及び１７Ｄ２と比較して、１次光の回折角度を小さくすることができる。
【０２４８】
一般に、ホログラム素子は、回折角度を大きくする場合、格子のピッチを細かくする必要があり、設計上或いは製造上の制約となる可能性がある。これに対し第２の実施形態によるホログラム素子４７では、領域４７Ｃ１、４７Ｃ２、４７Ｄ１及び４７Ｄ２について格子のピッチを荒くすることができるので、設計上或いは製造上の制約を緩和することができる。
【０２４９】
さらに光ディスク装置３０は、受光部Ｄ１の受光領域Ｄ１Ａ〜Ｄ１Ｄによりプッシュプル成分が殆ど含まれない反射光ビームＬＲ０を受光できる。よって、光ディスク装置３０は、その受光結果である受光信号Ｓ１Ａ〜Ｓ１Ｄを用いて生成したフォーカスエラー信号ＳＦＥ１を基に、プッシュプル成分による外乱が抑制された安定したフォーカス制御を実行することができる。なお、プッシュプル成分による外乱とは、いわゆるフォーカスエラー信号へのトラッキングエラー信号の漏れ込み等を意味する。その他の点について、この光ディスク装置３０は、第１の実施形態と同様の作用効果を奏し得る。
【０２５０】
以上の構成によれば、光ディスク装置３０の光ピックアップ３７は、反射光ビームＬＲをホログラム素子４７により直進又は回折させる。その結果、光ピックアップ３７は、領域４７Ａ及び４７Ｂに相当する部分を除いた０次光でなる反射光ビームＬＲ０をほぼ直進させ、光検出器４９の受光部Ｄ１により検出して受光信号Ｓ１Ａ〜Ｓ１Ｄを生成する。
また光ピックアップ３７は、ホログラム素子４７により回折される１次光でなる反射光ビームＬＲ１のうち反射光ビームＬＲ１Ａ及びＬＲ２Ａをそれぞれ縦方向へ回折させて受光部Ｄ２の受光領域Ｄ２Ａ及びＤ２Ｂによりそれぞれ受光し、受光信号Ｓ２Ａ及びＳ２Ｂを生成する。
さらに光ピックアップ３７は、ホログラム素子４７により回折される１次光でなる反射光ビームＬＲ１のうち反射光ビームＬＲ１Ｃ及びＬＲ１Ｄをそれぞれ横方向へ回折させて受光部Ｄ３の受光領域Ｄ３Ｃ及びＤ３Ｄによりそれぞれ受光し、受光信号Ｓ３Ｃ及びＳ３Ｄを生成する。
これにより光ディスク装置３０は、第１の実施形態と同様、複数の記録層Ｙからの層間迷光ビームＬＮによりそれぞれ形成される迷光パターンＷの影響を排除したウォブル信号ＳＷＢＬ１を生成できる。よって、光ディスク装置３０は、アドレス情報や時間情報などのプリフォーマットされた情報を正確かつ安定して抽出することができる。なお、この際、第２の実施形態では、上記のように、ホログラム素子４７の領域４７Ａ及び４７Ｂがいわゆるブレーズドホログラムで形成される。従って、反射光ビームＬＲのうち当該領域４７Ａ及び４７Ｂにかかる部分は、そのほぼ全てを１次光として回折させ反射光ビームＬＲ１Ａ及びＬＲ１Ｂとなる。従って、ウォブル信号演算回路４Ｗにより算出又は抽出される上記（５）式に従ったウォブル信号ＳＷＢＬ１として、第１の実施形態に比べて、ホログラム素子による減衰を受けないため、より強い強度の信号を得ることができる。
更に、光ディスク装置３０は、第１の実施形態と同様、複数の記録層Ｙからの層間迷光ビームＬＮによりそれぞれ形成される迷光パターンＷの影響を排除したトラッキングエラー信号ＳＴＥ１を生成でき、精度良くトラッキング制御を行うことができる。
【０２５１】
＜３．第３の実施形態＞
［３−１．光ディスク装置の構成］
第３の実施形態による光ディスク装置５０（図１）は、第１の実施形態による光ディスク１と比較して、サーボ制御部３Ａ、信号処理部４及び光ピックアップ７に代えて、サーボ制御部５３Ａ、信号処理部５４及び光ピックアップ５７が設けられている点が異なっている。
【０２５２】
サーボ制御部５３Ａは、図１４に示すように、第１の実施形態におけるサーボ制御部３Ａ（図２）と比較して、球面収差制御部３ＡＳに代えて球面収差制御部５３ＡＳが設けられている点が異なっているものの、他は同様に構成されている。
【０２５３】
信号処理部５４は、信号処理部４の各演算回路とそれぞれ対応する各演算回路を有しているものの、その演算処理は信号処理部４における演算処理と一部相違している（詳しくは後述する）。
【０２５４】
［３−２．光ピックアップの構成］
光ピックアップ５７は、光ピックアップ７（図２）と比較して、球面収差補正部１４、ホログラム素子１７及び光検出器１９に代えて、球面収差補正部６４、複合ホログラム素子６７及び光検出器６９が設けられている点で異なっている。
【０２５５】
球面収差補正部６４は、凸レンズでなりその位置が固定された固定レンズ６４Ｆと、凹レンズでなり光ビームＬ１の光軸に沿った方向へ移動し得る可動レンズ６４Ｍとにより、いわゆるガリレオ式のビームエクスパンダとして構成されている。この可動レンズ６４Ｍは、サーボ制御部５３Ａの球面収差制御部５３ＡＳからの制御に基づき移動する。
【０２５６】
実際上球面収差補正部６４は、可動レンズ６４Ｍにより光ビームＬ１を一度拡散し、続いて固定レンズ６４Ｆにより当該光ビームＬ１を集光する。
【０２５７】
これにより球面収差補正部６４は、第１の実施形態における球面収差補正部１４と同様に、光ビームＬ１に対し、当該光ビームＬ１が集光され光ディスク１００の対象記録層ＹＴに到達した際に生じる球面収差と逆特性となるような球面収差を予め与えることができる。
【０２５８】
複合ホログラム素子６７は、光ピックアップ７（図２）におけるホログラム素子１７に代わるものであり、偏光ビームスプリッタ１３から見て集光レンズ１６の手前に配置されている。
【０２５９】
この複合ホログラム素子６７は、図１５に模式的な断面図を示すように、１／２波長板６７Ａ、偏光ホログラム６７Ｂ及び偏光ホログラム６７Ｃが積層されたような一体化したような構成となっている。
【０２６０】
実際上、反射光ビームＬＲは、偏光ビームスプリッタ１３からＳ偏光の光ビームとして入射される。図１５では、Ｓ偏光でなる反射光ビームＬＲの偏光方向を、紙面に垂直な方向として表している。
【０２６１】
１／２波長板６７Ａは、反射光ビームＬＲの偏光方向を所定角度回転させることにより、Ｓ偏光成分を所定の割合まで低下させると共にその残りをＰ偏光成分として、偏光ホログラム６７Ｂへ入射させる。
【０２６２】
偏光ホログラム６７Ｂは、光ビームのうち特定の偏光方向成分に対して回折作用を呈するようになされており、実際上反射光ビームＬＲのうちＰ偏光成分に対してのみ回折作用を呈し、Ｓ偏光成分については何ら作用せず透過させる。
【０２６３】
また偏光ホログラム６７Ｂは、図４（Ａ）と対応する図１６（Ａ）に示すように、ホログラム素子１７と同様の分割パターンにより、領域６７ＢＡ、６７ＢＢ、６７ＢＣ１、６７ＢＣ２、６７ＢＤ１、６７ＢＤ２及び６７ＢＥに分割されている。
【０２６４】
領域６７ＢＡ〜６７ＢＥは、図４（Ｂ）と対応する図１６（Ｂ）に示すように、それぞれ回折格子が形成されると共にその回折方向が設定されている。領域６７ＢＡ、６７ＢＢ、６７ＢＥにおける１次光の回折方向は、領域１７Ａ、１７Ｂ及び１７Ｅと同様に構成されている。そして、領域６７ＢＣ１、６７ＢＣ２、６７ＢＤ１及び６７ＢＤ２における１次光の回折方向は、領域１７Ｃ１、１７Ｃ２、１７Ｄ１及び１７Ｄ２とそれぞれ反転している。
【０２６５】
すなわち偏光ホログラム６７Ｂは、反射光ビームＬＲをほぼ１次光のみに回折させるブレーズド型のホログラムでなり、反射光ビームＬＲのうちＳ偏光成分をそのまま透過させ、Ｐ偏光成分を領域ごとに回折させるようになされている。
【０２６６】
偏光ホログラム６７Ｃは、偏光ホログラム６７Ｂと異なる偏光方向成分に対して回折作用を呈するようになされており、反射光ビームＬＲのうちＳ偏光成分に対してのみ回折作用を呈し、Ｐ偏光成分については何ら作用せず透過させる。
【０２６７】
この偏光ホログラム６７Ｃは、図１７（Ａ）に示すように、全体が一様な回折格子として構成されており、図１７（Ｂ）に示すように斜め方向、すなわち偏光ホログラム６７Ｂの領域６７ＢＥと直交する方向に１次光を回折させるようになされている。因みに偏光ホログラム６７Ｃは、いわゆるバイナリ型のホログラムでなり、光ビームを０次光及び±１次光に分離するようになされている。
【０２６８】
実際上偏光ホログラム６７Ｃは、図１８に示すように、反射光ビームＬＲのうち偏光ホログラム６７Ｂを透過したＳ偏光成分（以下これを反射光ビームＬＲＳと呼ぶ）に対し回折作用を呈する。
【０２６９】
このとき偏光ホログラム６７Ｃは、０次光でなる反射光ビームＬＲＳ０をそのまま直進させる。更に、偏光ホログラム６７Ｃは、＋１次光でなる反射光ビームＬＲＳ＋１及び−１次光でなる反射光ビームＬＲＳ−１をそれぞれ斜め方向、すなわち縦方向及び横方向のいずれとも相違する方向に回折させる。
【０２７０】
因みに偏光ホログラム６７Ｃは、反射光ビームＬＲのうちＰ偏光成分、すなわち偏光ホログラム６７Ｂにより領域ごとに回折された反射光ビームＬＲＰＡ〜ＬＲＰＥについては、回折作用を呈することなくそのまま透過させる。
【０２７１】
集光レンズ１６は、複合ホログラム素子６７から出射された反射光ビームＬＲＰＡ〜ＬＲＰＥ、ＬＲＳ０、ＬＲＳ＋１及びＬＲＳ−１をそれぞれ集光し、シリンドリカルレンズ１８へ入射させる。
【０２７２】
シリンドリカルレンズ１８は、第１の実施形態と同様、０次光でなる反射光ビームＬＲＳ０、＋１次光でなる反射光ビームＬＲＳ＋及び−１次光でなる反射光ビームＬＲＳ−１に非点収差を持たせ、光検出器６９へ照射する。
【０２７３】
因みにシリンドリカルレンズ１８は、その光学的性質により、１次光でなる反射光ビームＬＲＰＡ〜ＬＲＰＥについても同様に非点収差を持たせることになる。しかしながら反射光ビームＬＲＰＡ〜ＬＲＰＥは、偏光ホログラム６７Ｂにおいて回折される際に、予め当該非点収差を相殺するような収差が与えられている。
【０２７４】
このため反射光ビームＬＲＰＡ〜ＬＲＰＥは、シリンドリカルレンズ１８から出射される時点で収差を持たないことになる。
【０２７５】
光検出器６９は、図１９に示すように、光検出器１９（図７）と一部類似した構成となっており、当該光検出器１９と同様の受光部Ｄ１、Ｄ２及びＤ４が設けられている。
【０２７６】
すなわち光検出器６９は、受光部Ｄ１の受光領域Ｄ１Ａ〜Ｄ１Ｄにより反射光ビームＬＲＳ０を受光し、受光部Ｄ２の受光領域Ｄ２Ａ及びＤ２Ｂにより反射光ビームＬＲＰＡ及びＬＲＰＢをそれぞれ受光する。また光検出器６９は、受光部Ｄ４の受光領域Ｄ４Ａ〜Ｄ４Ｄにより反射光ビームＬＲＰＥを受光する。
【０２７７】
ところで光検出器６９は、光検出器１９の受光部Ｄ３に代わる受光部Ｄ１３が設けられている。この受光部Ｄ１３は、受光部Ｄ３と同様に基準点Ｐの横方向に配置されているものの、仮想的な直線ＶＬ１を対称中心として当該受光部Ｄ３と対称な位置に配置されている。
【０２７８】
また受光部Ｄ１３は、受光領域Ｄ３Ｃ及びＤ３Ｄとそれぞれ対応する受光領域Ｄ１３Ｃ及びＤ１３Ｄと、迷光受光領域Ｄ３Ｒ及びＤ３Ｓとそれぞれ対応する受光領域Ｄ１３Ｒ及びＤ１３Ｓとが設けられている。
【０２７９】
受光領域Ｄ１３Ｃは、反射光ビームＬＲＰＣ１及びＬＲＰＣ２（以下これらをまとめて反射光ビームＬＲＰＣと呼ぶ）を受光して受光信号Ｓ３Ｃを生成する。また受光領域Ｄ１３Ｄは、反射光ビームＬＲＰＤ１及びＬＲＰＤ２（以下これらをまとめて反射光ビームＬＲＰＤと呼ぶ）を受光して受光信号Ｓ３Ｄを生成する。
【０２８０】
さらに光検出器６９は、仮想的な直線ＶＬ１を対称中心として受光部Ｄ４とおおよそ対称となる位置、すなわち基準点Ｐからみて斜め方向となり、受光部Ｄ２及びＤ１３からほぼ等距離となるような位置に、受光部Ｄ１１が設けられている。
【０２８１】
受光部Ｄ１１は単一の受光領域Ｄ１１により反射光ビームＬＲＳ＋１を受光し、その光量に応じた受光信号Ｓ１１を生成してヘッドアンプ７２（図１４）へ供給する。
【０２８２】
また光検出器６９は、基準点Ｐを中心として受光部Ｄ１１とほぼ対称な位置に受光部Ｄ１２が設けられている。
【０２８３】
受光部Ｄ１２は単一の受光領域Ｄ１２により反射光ビームＬＲＳ−１を受光し、その光量に応じた受光信号Ｓ１２を生成してヘッドアンプ７２（図１４）へ供給する。
【０２８４】
このように光検出器６９は、受光部Ｄ１、Ｄ２、Ｄ４、Ｄ１３、Ｄ１１及びＤ１２の各受光領域により反射光ビームＬＲＳ０、ＬＲＰＡ〜ＬＲＰＥ、ＬＲＳ＋１及びＬＲＳ−１をそれぞれ受光する。そして、光検出器６９は、それぞれの受光量に応じた受光信号をそれぞれ生成してヘッドアンプ７２へ供給する。
【０２８５】
ところで光検出器６９は、図２０に示すように、第１の実施形態と同様の原理により、層間迷光ビームＬＮ上によって迷光パターンＷ１３が形成される。因みに迷光パターンＷ１３は、迷光パターンＷ３と同様に、照射範囲が最も広がったときの迷光パターンを表している。
【０２８６】
この迷光パターンＷ１３は、図２０に示すように、図７（Ａ）に示した迷光パターンＷ３と比較して、仮想的な直線ＶＬ１（図１９）を対称中心として迷光パターンＷ３Ｃ１、Ｗ３Ｃ２、Ｗ３Ｄ１及びＷ３Ｄ２とそれぞれ対称に迷光パターンＷ１３Ｃ１、Ｗ１３Ｃ２、Ｗ１３Ｄ１及びＷ１３Ｄ２が形成されている。
【０２８７】
また迷光パターンＷ１３には、層間迷光ビームＬＮが偏光ホログラム６７Ｃにより回折されてなる迷光パターンＷ１３Ｓ＋１及びＷ１３Ｓ−１がそれぞれ形成される。
【０２８８】
この光検出器６９では、受光部Ｄ２及びＤ１３について、光検出器１９の受光部Ｄ２及びＤ３と同様に、迷光パターンＷ１３０、迷光パターンＷ１３Ａ及びＷ１３Ｂ、並びに迷光パターンＷ１３Ｃ１、Ｗ１３Ｃ２、Ｗ１３Ｄ１及びＷ１３Ｄ２のいずれもがかからないよう配置されている。
【０２８９】
このため光検出器６９では、受光領域Ｄ２Ａ、Ｄ２Ｂ、Ｄ１３Ｃ及びＤ１３Ｄによりそれぞれ生成する受光信号Ｓ２Ａ、Ｓ２Ｂ、Ｓ３Ｃ及びＳ３Ｄに対し、層間迷光ビームＬＮによる誤差を殆ど生じさせることがない。
【０２９０】
［３−３．プリフォーマット信号等の生成］
実際上、光ディスク装置５０は、サーボ制御部５３Ａにより、第１の実施形態における光ディスク装置１と同様のフォーカス制御及びトラッキング制御を行い得るようになされている。
【０２９１】
すなわち信号処理部５４のフォーカスエラー信号演算回路５４Ｆは、上述した（１Ａ）式又は（１Ｂ）式に従った演算を行うことによりフォーカスエラー信号ＳＦＥ１を算出し、これをサーボ制御部５３Ａのフォーカス制御部５３ＡＦへ供給する。
【０２９２】
また信号処理部５４のトラッキングエラー信号演算回路５４Ｔは、１ビームプッシュプル法によりトラッキングエラー信号を生成する場合、上述した（２Ａ）式又は（２Ｂ）式に従った演算を行うことによりトラッキングエラー信号ＳＴＥ１を算出する。そして、トラッキングエラー信号演算回路５４Ｔは、このトラッキングエラー信号ＳＴＥ１をサーボ制御部５３Ａのトラッキング制御部５３ＡＴへ供給する。
【０２９３】
一方信号処理部５４のトラッキングエラー信号演算回路５４Ｔは、位相差法によりトラッキングエラー信号を生成する場合、上述した（３）式に従った演算を行うことによりトラッキングエラー信号ＳＴＥ１を算出する。そして、トラッキングエラー信号演算回路５４Ｔは、このトラッキングエラー信号ＳＴＥ１をサーボ制御部５３Ａのトラッキング制御部５３ＡＴへ供給する。
【０２９４】
さらに信号処理部５４は、第１の実施形態と異なり、次に示す（７）式に従って受光信号Ｓ１１及びＳ１２を加算することにより再生ＲＦ信号ＳＲＦを算出する。
【０２９５】
【数１１】
2010170604.tif 000013
…（７）
【０２９６】
すなわち光ディスク装置５０では、反射光ビームＬＲＳ＋１及びＬＲＳ−１の受光結果を基に再生ＲＦ信号ＳＲＦを生成する。
【０２９７】
その後再生信号演算回路５４Ｒは、再生信号演算回路４Ｒ（図２）と同様、再生ＲＦ信号ＳＲＦに対し所定の復調処理や復号化処理等を施すことにより、光ディスク１００に記録されている情報を再生する。
【０２９８】
また、信号処理部５４のウォブル信号演算回路５４Ｗは、上述した（５）式に従ったウォブル信号ＳＷＢＬ１を算出するか抽出する。そして、この信号処理部５４は、ウォブル信号ＳＷＢＬ１から、アドレス情報や時間情報等のプリフォーマットされた情報を生成し、統括制御部２に出力する。統括制御部２は、アドレス情報や時間情報等に基づいて、記録又は再生動作を制御することができる。
【０２９９】
［３−４．動作及び効果］
［３−４−１．動作］
以上の構成において光ディスク装置５０の光ピックアップ５７は、光ビームＬ１を光ディスク１００へ照射し、当該光ディスク１００により反射されＳ偏光でなる反射光ビームＬＲを複合ホログラム素子６７により分離する。
【０３００】
複合ホログラム素子６７は、１／２波長板６７Ａにより反射光ビームＬＲにおけるＳ偏光成分及びＰ偏光成分の割合を変化させる。その後、複合ホログラム素子６７は、偏光ホログラム６７Ｂにより反射光ビームＬＲにおけるＳ偏光成分を透過させて反射光ビームＬＲＳとし、当該反射光ビームＬＲにおけるＰ偏光成分に対し領域６７ＢＡ〜６７ＢＥごとに回折させる。
【０３０１】
このとき偏光ホログラム６７Ｂは、反射光ビームＬＲＰＡ及びＬＲＰＢをそれぞれ縦方向へ回折させ、反射光ビームＬＲＰＣ及びＬＲＰＤをそれぞれ横方向へ回折させ、さらに反射光ビームＬＲＰＥを斜め方向へ回折させる。
【０３０２】
さらに複合ホログラム素子６７は、偏光ホログラム６７ＣによりＳ偏光でなる反射光ビームＬＲＳを回折させると共に、Ｐ偏光でなる反射光ビームＬＲＰＡ〜ＬＲＰＥを透過させる。このとき偏光ホログラム６７Ｃは、０次光でなる反射光ビームＬＲＳ０をほぼ直進させ、＋１次光及び−１次光でなる反射光ビームＬＲＳ＋１及びＬＲＳ−１をそれぞれ反射光ビームＬＲＰＥとほぼ直交する斜め方向へ回折させる。
【０３０３】
これに応じて光検出器６９は、受光部Ｄ１の受光領域Ｄ１Ａ〜Ｄ１Ｄにより反射光ビームＬＲＳ０を受光し、受光信号Ｓ１Ａ〜Ｓ１Ｄを生成する。また光検出器６９は、受光部Ｄ２の受光領域Ｄ２Ａ及びＤ２Ｂにより反射光ビームＬＲＰＡ及びＬＲＰＢをそれぞれ受光し、受光信号Ｓ２Ａ及びＳ２Ｂを生成する。さらに光検出器６９は、受光部Ｄ１３の受光領域Ｄ１３Ｃ及びＤ１３Ｄにより反射光ビームＬＲＰＣ及びＬＲＰＤをそれぞれ受光し、受光信号Ｓ３Ｃ及びＳ３Ｄを生成する。
【０３０４】
信号処理部５４は、ヘッドアンプ７２により増幅された各受光信号を基に、フォーカスエラー信号演算回路５４Ｆにより（１Ａ）式又は（１Ｂ）式に従ってフォーカスエラー信号ＳＦＥ１を算出する。また信号処理部５４は、トラッキングエラー信号演算回路５４Ｔにより（２Ａ）式又は（２Ｂ）式に従ってトラッキングエラー信号ＳＴＥ１を算出して、これらをサーボ制御部５３Ａへ供給する。
【０３０５】
サーボ制御部５３Ａは、トラッキング制御部５３ＡＴによってトラッキングエラー信号ＳＴＥ１を基にトラッキング駆動信号ＳＴＤ１を生成しトラッキングアクチュエータ９Ｔへ供給することにより、トラッキング制御を行う。
【０３０６】
更に信号処理部５４は、ヘッドアンプ７２により増幅された各受光信号を基に、ウォブル信号演算回路５４Ｗにより（５）式に従ったウォブル信号ＳＷＢＬ１を算出するか抽出する。そして、この信号処理部５４は、ウォブル信号ＳＷＢＬ１から、アドレス情報や時間情報等のプリフォーマットされた情報を生成し、統括制御部５２に出力する。統括制御部５２は、アドレス情報や時間情報等に基づいて、記録又は再生動作を制御することができる。
【０３０７】
［３−４−２．効果］
従って光ディスク装置５０は、光検出器６９の受光部Ｄ２及びＤ１３によって反射光ビームＬＲＰＡ、ＬＲＰＢ、ＬＲＰＣ及びＬＲＰＤをそれぞれ受光できる。そして、光ディスク装置５０は、その受光結果である受光信号Ｓ２Ａ、Ｓ２Ｂ、Ｓ３Ｃ及びＳ３Ｄを用いて生成したトラッキングエラー信号ＳＴＥ１を基にトラッキング制御を行うことができる。
【０３０８】
ここで光検出器６９では、光検出器１９と同様、受光部Ｄ２が基準点Ｐから見て縦方向に配置され、且つ受光領域Ｄ２Ａ及びＤ２Ｂが互いに縦方向に並べて配置されているため、種々の迷光パターンＷを回避することができる。
【０３０９】
また光検出器６９では、受光部Ｄ１３が基準点Ｐから見て横方向に配置され、且つ受光領域Ｄ１３Ｃ及びＤ１３Ｄが互いに横方向に並べて配置されているため、種々の迷光パターンＷを回避することができる。
【０３１０】
すなわち光検出器６９は、光ディスク１００における対象記録層ＹＴからの層間距離が相違する複数の記録層Ｙにより生成される種々の迷光パターンＷを効果的に回避し得るよう受光領域Ｄ２Ａ、Ｄ２Ｂ、Ｄ１３Ｃ及びＤ１３Ｄが配置されている。このため、光ディスク装置５０は、正確なウォブル信号ＳＷＢＬ１を抽出することができ、かつ、トラッキングエラー信号ＳＴＥ１の精度を殆ど低下させずに済む。
【０３１１】
また光ディスク装置５０は、信号処理部５４の再生信号演算回路５４Ｒにおいて、２つの受光信号Ｓ１１及びＳ１２を加算することにより再生ＲＦ信号ＳＲＦを算出することができる。
【０３１２】
このため光ディスク装置５０は、４つの受光信号Ｓ１Ａ〜Ｓ１Ｄを加算することにより再生ＲＦ信号ＳＲＦを算出する光ディスク１と比較して、介在するアンプ回路（ヘッドアンプ７２内）の数を削減することができる。よって、光ディスク装置５０は、再生ＲＦ信号ＳＲに含まれるアンプノイズ成分を低減することができる。
【０３１３】
さらに光ディスク装置５０では、球面収差補正部６４により光ビームＬ１及び反射光ビームＬＲに生じる球面収差を補正する。これにより光ディスク装置５０は、例えばコリメータレンズ１２を光軸方向に移動させて当該球面収差を補正する構成の光ディスク装置と比較して、対物レンズ８から出射される光ビームＬ１の光量を変動させることなく安定化することができる。
【０３１４】
その他、光ディスク装置５０は、第１の実施形態における光ディスク装置１と同様の作用効果も奏し得る。
【０３１５】
以上の構成によれば、光ディスク装置５０の光ピックアップ５７は、反射光ビームＬＲを複合ホログラム素子６７によって回折させることにより反射光ビームＬＲＳ０をほぼ直進させ、光検出器６９の受光部Ｄ１により検出して受光信号Ｓ１Ａ〜Ｓ１Ｄを生成する。
また光ピックアップ５７は、反射光ビームＬＲＰＡ及びＬＲＰＢをそれぞれ縦方向へ回折させて受光部Ｄ２の受光領域Ｄ２Ａ及びＤ２Ｂによりそれぞれ受光し、受光信号Ｓ２Ａ及びＳ２Ｂを生成する。
さらに光ピックアップ５７は、反射光ビームＬＲＰＣ及びＬＲＰＤをそれぞれ横方向へ回折させて受光部Ｄ１３の受光領域Ｄ１３Ｃ及びＤ１３Ｄによりそれぞれ受光し、受光信号Ｓ３Ｃ及びＳ３Ｄを生成する。
これにより光ディスク装置５０は、複数の記録層Ｙからの層間迷光ビームＬＮによりそれぞれ形成される迷光パターンＷの影響を排除したウォブル信号ＳＷＢＬ１を生成できる。よって、光ディスク装置５０は、アドレス情報や時間情報などのプリフォーマットされた情報を正確かつ安定して抽出することができる。
更に、光ディスク装置５０は、複数の記録層Ｙからの層間迷光ビームＬＮによりそれぞれ形成される迷光パターンＷの影響を排除したトラッキングエラー信号ＳＴＥ１を生成でき、精度良くトラッキング制御を行うことができる。
【０３１６】
＜４．第４の実施形態＞
［４−１．光ディスク装置の構成］
第４の実施形態による光ディスク装置７０（図１）は、第３の実施形態による光ディスク５０と比較して、信号処理部５４及び光ピックアップ５７に代えて、信号処理部７４及び光ピックアップ７７が設けられている点が異なっている。
【０３１７】
信号処理部７４は、信号処理部５４と比較して、再生信号演算回路５４Ｒに代えて再生信号演算回路７４Ｒが設けられている点が異なるものの、他の演算処理は信号処理部５４における各演算回路と同様に構成されている。
【０３１８】
［４−２．光ピックアップの構成］
図２１に示すように、光ピックアップ７７は、光ピックアップ５７（図１４）と比較して、複合ホログラム素子６７及び光検出器６９に代えて、複合ホログラム素子８７及び光検出器８９が設けられている点で異なっている。
【０３１９】
複合ホログラム素子８７は、図１５と対応する図２２に示すように、第３の実施形態における複合ホログラム素子６７と比較して、偏光ホログラム６７Ｂに代えて偏光ホログラム８７Ｂが設けられている。そして、複合ホログラム素子８７は、偏光ホログラム６７Ｃに代えて偏光ホログラム８７Ｃが設けられている。なお、１／２波長板６７Ａについては同様に構成されている。
【０３２０】
偏光ホログラム８７Ｂは、反射光ビームＬＲを０次光及び１次光に回折させるバイナリ型のホログラムでなり、偏光ホログラム６７Ｂと同様に領域６７ＢＡ〜６７ＢＥ（図１６）に分割されている。
【０３２１】
偏光ホログラム８７Ｃは、偏光ホログラム６７Ｃ（図１７）と同様、反射光ビームＬＲのうちＳ偏光成分に対してのみ回折作用を呈し、Ｐ偏光成分については何ら作用せず透過させるようになされている。
【０３２２】
この偏光ホログラム８７Ｃは、図１７（Ａ）と対応する図２３（Ａ）に示すように、全体が一様な回折格子として構成されているものの、偏光ホログラム６７Ｃと異なり、光ビームをほぼ１次光にのみ回折する、いわゆるブレーズドホログラムが形成されている。
【０３２３】
このため偏光ホログラム８７Ｃは、図２３（Ｂ）に示すように、縦方向及び横方向のいずれとも相違する斜め方向のうちの一方、すなわち図の左上方向へのみ１次光を回折させる。
【０３２４】
実際上偏光ホログラム８７Ｃは、図２４に示すように、反射光ビームＬＲのうち偏光ホログラム８７Ｂを透過した反射光ビームＬＲＳに対し回折作用を呈する。
【０３２５】
このとき偏光ホログラム８７Ｃは、１次光でなる反射光ビームＬＲＳ１を斜め方向に回折させる。
【０３２６】
因みに偏光ホログラム８７Ｃは、反射光ビームＬＲのうちＰ偏光成分、すなわち偏光ホログラム８７Ｂを直進する反射光ビームＬＲＰ０及び偏光ホログラム８７Ｂにより領域ごとに回折された反射光ビームＬＲＰＡ〜ＬＲＰＥについては、偏光ホログラム６７Ｃと同様、回折作用を呈することなくそのまま透過させる。
【０３２７】
集光レンズ１６は、複合ホログラム素子８７から出射された反射光ビームＬＲＰ０、ＬＲＰＡ〜ＬＲＰＥ及びＬＲＳ１をそれぞれ集光し、シリンドリカルレンズ１８へ入射させる。
【０３２８】
シリンドリカルレンズ１８は、第１の実施形態と同様、０次光でなる反射光ビームＬＲＰ０に非点収差を持たせ、光検出器８９へ照射する。
【０３２９】
因みにシリンドリカルレンズ１８は、その光学的な性質により、１次光でなる反射光ビームＬＲＰＡ〜ＬＲＰＥ及びＬＲＳ１についても同様に非点収差を持たせることになる。しかしながら反射光ビームＬＲＰＡ〜ＬＲＰＥ及びＬＲＳ１は、偏光ホログラム８７Ｂ及び８７Ｃにおいて回折される際に、予め当該非点収差を相殺するような収差が与えられている。
【０３３０】
このため反射光ビームＬＲＰＡ〜ＬＲＰＥ及びＬＲＳ１は、シリンドリカルレンズ１８から出射される時点で収差を持たないことになる。
【０３３１】
一方、光検出器６９と対応する光検出器８９は、図１９と対応する図２５に示すように、光検出器６９から受光部Ｄ１１が省略された構成となっている。
【０３３２】
受光部Ｄ１２は受光領域Ｄ１２Ａにより反射光ビームＬＲＳ１を受光し、その光量に応じた受光信号Ｓ１２を生成してヘッドアンプ７２（図２１）へ供給するようになされている。
【０３３３】
このように光検出器８９は、受光部Ｄ１、Ｄ２、Ｄ４、Ｄ１３及びＤ１２の各受光領域により反射光ビームＬＲＰ０、ＬＲＰＡ〜ＬＲＰＥ及びＬＲＳ１をそれぞれ受光する。そして、光検出器８９は、それぞれの受光量に応じた受光信号をそれぞれ生成してヘッドアンプ７２へ供給する。
【０３３４】
ところで光検出器８９は、図２２と対応する図２６に示すように、層間迷光ビームＬＮ上によって迷光パターンＷ２３が形成される。因みに迷光パターンＷ２３は、迷光パターンＷ１３と同様に、照射範囲が最も広がったときの迷光パターンを表している。
【０３３５】
この迷光パターンＷ２３は、迷光パターンＷ１３と比較して、迷光パターンＷ１３Ｓ＋１の部分が省略された形状となっている。偏光ホログラム８７Ｃがブレーズドホログラムでなり、光ビームを回折させる際に１次光を１本のみ生成することによるものである。
【０３３６】
このため光検出器８９では、第３の実施形態における光検出器６９と同様、受光部Ｄ２及びＤ１３について、迷光パターンＷ２３Ｐ０、Ｗ２３Ｓ１及びＷ２３ＰＡ〜Ｗ２３ＰＥのいずれもがかからないよう配置されている。
【０３３７】
このため光検出器８９では、受光領域Ｄ２Ａ、Ｄ２Ｂ、Ｄ１３Ｃ及びＤ１３Ｄによりそれぞれ生成する受光信号Ｓ２Ａ、Ｓ２Ｂ、Ｓ３Ｃ及びＳ３Ｄに対し、層間迷光ビームＬＮによる誤差を殆ど生じさせることがない。
【０３３８】
［４−３．プリフォーマット信号等の生成］
実際上、光ディスク装置７０は、第３の実施形態における光ディスク装置５０と同様、サーボ制御部５３Ａによりフォーカス制御及びトラッキング制御を行い得るようになされている。
【０３３９】
また信号処理部７４は、第３の実施形態と異なり、次に示す（８）式に従って受光信号Ｓ１２を再生ＲＦ信号ＳＲＦとする。
【０３４０】
【数１２】
2010170604.tif 000014
…（８）
【０３４１】
すなわち光ディスク装置７０では、反射光ビームＬＲＳ１の受光結果を基に再生ＲＦ信号ＳＲＦを生成する。
【０３４２】
その後再生信号演算回路７４Ｒは、再生信号演算回路５４Ｒ（図１２）と同様、再生ＲＦ信号ＳＲＦに対し所定の復調処理や復号化処理等を施すことにより、光ディスク１００に記録されている情報を再生する。
【０３４３】
［４−４．動作及び効果］
［４−４−１．動作］
以上の構成において、光ディスク装置７０の光ピックアップ７７は、光ビームＬ１を光ディスク１００へ照射し、当該光ディスク１００により反射されＳ偏光でなる反射光ビームＬＲを複合ホログラム素子８７により分離する。
【０３４４】
複合ホログラム素子８７の１／２波長板６７Ａは、第３の実施形態と同様、まず反射光ビームＬＲにおけるＳ偏光成分及びＰ偏光成分の割合を変化させる。続いて偏光ホログラム８７Ｂは、反射光ビームＬＲにおけるＳ偏光成分を透過させて反射光ビームＬＲＳとし、当該反射光ビームＬＲにおけるＰ偏光成分に対し領域６７ＢＡ〜６７ＢＥごとに回折させる。
【０３４５】
このとき偏光ホログラム８７Ｂは、反射光ビームＬＲＰＡ及びＬＲＰＢをそれぞれ縦方向へ回折させ、反射光ビームＬＲＰＣ及びＬＲＰＤをそれぞれ横方向へ回折させ、さらに反射光ビームＬＲＰＥを斜め方向へ回折させる。さらに偏光ホログラム８７Ｂは、反射光ビームＬＲＰのうち回折しなかった０次光を反射光ビームＬＲＰ０としてそのまま直進させる。
【０３４６】
さらに複合ホログラム素子８７の偏光ホログラム８７Ｃは、Ｓ偏光でなる反射光ビームＬＲＳを回折させると共に、Ｐ偏光でなる反射光ビームＬＲＰ０及びＬＲＰＡ〜ＬＲＰＥを透過させる。このとき偏光ホログラム８７Ｃは、１次光でなる反射光ビームＬＲＳ１を反射光ビームＬＲＰＥとほぼ直交する斜め方向へ回折させる。
【０３４７】
これに応じて光検出器８９は、受光部Ｄ１の受光領域Ｄ１Ａ〜Ｄ１Ｄにより反射光ビームＬＲＰ０を受光し、受光信号Ｓ１Ａ〜Ｓ１Ｄを生成する。また光検出器８９は、受光部Ｄ２の受光領域Ｄ２Ａ及びＤ２Ｂにより反射光ビームＬＲＰＡ及びＬＲＰＢをそれぞれ受光し、受光信号Ｓ２Ａ及びＳ２Ｂを生成する。さらに光検出器８９は、受光部Ｄ１３の受光領域Ｄ１３Ｃ及びＤ１３Ｄにより反射光ビームＬＲＰＣ及びＬＲＰＤをそれぞれ受光し、受光信号Ｓ３Ｃ及びＳ３Ｄを生成する。
【０３４８】
信号処理部７４は、第３の実施形態と同様、ヘッドアンプ７２により増幅された各受光信号を基に、フォーカスエラー信号演算回路５４Ｆにより（１Ａ）式又は（１Ｂ）式に従ってフォーカスエラー信号ＳＦＥ１を算出する。また信号処理部７４は、ヘッドアンプ７２により増幅された各受光信号を基に、トラッキングエラー信号演算回路５４Ｔにより（２Ａ）式又は（２Ｂ）式に従ってトラッキングエラー信号ＳＴＥ１を算出する。そして、信号処理部７４は、これらの信号をサーボ制御部５３Ａへ供給する。
【０３４９】
サーボ制御部５３Ａは、トラッキング制御部５３ＡＴによってトラッキングエラー信号ＳＴＥ１を基にトラッキング駆動信号ＳＴＤ１を生成しトラッキングアクチュエータ９Ｔへ供給することにより、トラッキング制御を行う。
【０３５０】
更に信号処理部７４は、ヘッドアンプ７２により増幅された各受光信号を基に、ウォブル信号演算回路５４Ｗにより（５）式に従ったウォブル信号ＳＷＢＬ１を算出するか抽出する。そして、この信号処理部７４は、ウォブル信号ＳＷＢＬ１から、アドレス情報や時間情報等のプリフォーマットされた情報を生成し、統括制御部５２に出力する。統括制御部５２は、アドレス情報や時間情報等に基づいて、記録又は再生動作を制御することができる。
【０３５１】
［４−４−２．効果］
従って光ディスク装置７０は、光検出器８９の受光部Ｄ２及びＤ１３によって反射光ビームＬＲＰＡ、ＬＲＰＢ、ＬＲＰＣ及びＬＲＰＤをそれぞれ受光できる。そして、光ディスク装置７０は、その受光結果である受光信号Ｓ２Ａ、Ｓ２Ｂ、Ｓ３Ｃ及びＳ３Ｄを用いて生成したトラッキングエラー信号ＳＴＥ１を基にトラッキング制御を行うことができる。
【０３５２】
ここで光検出器８９では、光検出器６９と同様、受光部Ｄ２が基準点Ｐから見て縦方向に配置され、且つ受光領域Ｄ２Ａ及びＤ２Ｂが互いに縦方向に並べて配置されているため、種々の迷光パターンＷを回避することができる。
【０３５３】
また光検出器８９では、光検出器６９と同様、受光部Ｄ１３が基準点Ｐから見て横方向に配置され、且つ受光領域Ｄ１３Ｃ及びＤ１３Ｄが互いに横方向に並べて配置されているため、種々の迷光パターンＷを回避することができる。
【０３５４】
すなわち光検出器８９は、光ディスク１００における対象記録層ＹＴからの層間距離が相違する複数の記録層Ｙにより生成される種々の迷光パターンＷを効果的に回避し得るよう受光領域Ｄ２Ａ、Ｄ２Ｂ、Ｄ１３Ｃ及びＤ１３Ｄが配置されている。このため、光ディスク装置７０は、正確なウォブル信号ＳＷＢＬ１を抽出することができ、かつ、トラッキングエラー信号ＳＴＥ１の精度を殆ど低下させずに済む。
【０３５５】
また光ディスク装置７０は、信号処理部７４の再生信号演算回路７４Ｒにおいて、受光信号Ｓ１２を基に再生ＲＦ信号ＳＲＦを算出することができる。
【０３５６】
このため光ディスク装置７０は、２つの受光信号Ｓ１１及びＳ１２を加算することにより再生ＲＦ信号ＳＲＦを算出する光ディスク装置５０と比較して、介在するアンプ回路（ヘッドアンプ７２内）の数をさらに削減することができる。このため、再生ＲＦ信号ＳＲに含まれるアンプノイズ成分を一段と低減することができる。
【０３５７】
また光ディスク装置７０は、複合ホログラム素子８７の偏光ホログラム８７Ｃにより１次光でなる反射光ビームＬＲＳ１の非点収差を抑制しているので、反射光ビームＬＲＳ１を受光部Ｄ１２の受光領域Ｄ１２Ａにほぼ点状に収束させて照射できる。このため、受光部Ｄ１２の受光領域の総面積を小さくすることができ、受光領域の電気的な容量を低減して、再生ＲＦ信号ＳＲＦの周波数特性を改善することができる。
【０３５８】
その他、光ディスク装置７０は、第３の実施形態における光ディスク装置５０と同様の作用効果も奏し得る。
【０３５９】
以上の構成によれば、光ディスク装置７０の光ピックアップ７７は、反射光ビームＬＲを複合ホログラム素子７７によって回折させることにより反射光ビームＬＲＰ０をほぼ直進させ、光検出器８９の受光部Ｄ１により検出して受光信号Ｓ１Ａ〜Ｓ１Ｄを生成する。
また光ピックアップ７７は、反射光ビームＬＲＰＡ及びＬＲＰＢをそれぞれ縦方向へ回折させて受光部Ｄ２の受光領域Ｄ２Ａ及びＤ２Ｂによりそれぞれ受光し、受光信号Ｓ２Ａ及びＳ２Ｂを生成する。
さらに光ピックアップ７７は、反射光ビームＬＲＰＣ及びＬＲＰＤをそれぞれ横方向へ回折させて受光部Ｄ１３の受光領域Ｄ１３Ｃ及びＤ１３Ｄによりそれぞれ受光し、受光信号Ｓ３Ｃ及びＳ３Ｄを生成する。
これにより光ディスク装置７０は、複数の記録層Ｙからの層間迷光ビームＬＮによりそれぞれ形成される迷光パターンＷの影響を排除したウォブル信号ＳＷＢＬ１を生成できる。よって、光ディスク装置７０は、アドレス情報や時間情報などのプリフォーマットされた情報を正確かつ安定して抽出することができる。
更に、光ディスク装置７０は、複数の記録層Ｙからの層間迷光ビームＬＮによりそれぞれ形成される迷光パターンＷの影響を排除したトラッキングエラー信号ＳＴＥ１を生成でき、精度良くトラッキング制御を行うことができる。
【０３６０】
＜５．第５の実施形態＞
［５−１．光ディスク装置の構成］
第５の実施形態による光ディスク装置９０（図１）は、第４の実施形態による光ディスク７０と比較して、光ピックアップ７７に代えて光ピックアップ９１が設けられている点が異なっているものの、他は同様に構成されている。
【０３６１】
［５−２．光ピックアップの構成］
図２１との対応部分に同一符号を付した図２７に示すように、光ピックアップ９１は、光ピックアップ７７と比較して、複合ホログラム素子８７に代えて、１／２波長板９５、ロションプリズム９６及びホログラム素子９７が設けられている点で異なっている。
【０３６２】
１／２波長板９５は、複合ホログラム素子８７の１／２波長板６７Ａと同様、反射光ビームＬＲの偏光方向を所定角度回転させることにより、Ｓ偏光成分を所定の割合まで低下させると共にその残りをＰ偏光成分として、ロションプリズム９６へ入射させる。
【０３６３】
ロションプリズム９６は、複屈折性結晶を用いたニコルプリズムと呼ばれる偏光子の一種であり、入射された光ビームのうち所定の偏光方向成分を屈折させると共に、他の偏光方向成分を透過させ直進させる。
【０３６４】
またロションプリズム９６は、縦方向及び横方向のいずれとも約４５度をなす斜め方向、すなわち図２３における左斜め上方向へ光ビームを屈折させるようになされている。
【０３６５】
因みにロションプリズム９６は、屈折作用により光ビームの進行方向を変化させるため、ホログラム素子等による回折作用の場合と比較して、その進行方向を大きく変化させることができる。
【０３６６】
実際上ロションプリズム９６は、図２８に示すように、反射光ビームＬＲのうちＳ偏光成分を屈折させて反射光ビームＬＲＳとすると共に、Ｐ偏光成分をそのまま透過させて反射光ビームＬＲＳとして、これらをホログラム素子９７へ入射させる。
【０３６７】
ホログラム素子９７は、複合ホログラム素子８７の偏光ホログラム８７Ｂとほぼ同様に構成されており、Ｓ偏光成分の光ビームはそのまま透過する一方、Ｐ偏光成分の光ビームに対し回折作用を呈し、０次光及び１次光に分離することができる。
【０３６８】
またホログラム素子９７は、偏光ホログラム８７Ｂと同様に複数の領域に分割されており、反射光ビームＬＲＰに対して領域ごとに回折作用を呈することにより、反射光ビームＬＲＰＡ〜ＬＲＰＥに分割する。
【０３６９】
このとき反射光ビームＬＲＰＡ及びＬＲＰＢはそれぞれ縦方向へ回折され、反射光ビームＬＲＰＣ及びＬＲＰＤはそれぞれ横方向へ回折され、また反射光ビームＬＲＰＥは斜め方向（図２５における左斜め下方向）へ回折される。
【０３７０】
さらにホログラム素子９７は、反射光ビームＬＲＰのうち回折しなかった０次光を反射光ビームＬＲＰ０としてそのまま直進させる。
【０３７１】
このように第５の実施形態では、第４の実施形態における複合ホログラム素子８７に代わり、１／２波長板９５、ロションプリズム９６及びホログラム素子９７により、反射光ビームＬＲを複数の反射光ビームＬＲＳ、ＬＲＰＡ〜ＬＲＰＥ及びＬＲＰ０に分離する。
【０３７２】
光検出器８９は、第４の実施形態と同様、受光部Ｄ２の受光領域Ｄ２Ａ及びＤ２Ｂにより反射光ビームＬＲＰＡ及びＬＲＰＢをそれぞれ受光し、受光部Ｄ１３の受光領域Ｄ１３Ｃ及びＤ１３Ｄにより反射光ビームＬＲＰＣ及びＬＲＰＤをそれぞれ受光する。また光検出器８９は、受光部Ｄ４の受光領域Ｄ４Ａ〜Ｄ４Ｄにより反射光ビームＬＲＰＥを受光する。
【０３７３】
さらに光検出器８９は、受光部Ｄ１の受光領域Ｄ１Ａ〜Ｄ１Ｄにより、反射光ビームＬＲＰ０を受光し、受光部Ｄ１２により、第４の実施形態における反射光ビームＬＲＳ１に代えて反射光ビームＬＲＳを受光する。
【０３７４】
このとき光検出器８９では、第４の実施形態と同様、図２６に示したように、受光部Ｄ２及びＤ１３について、迷光パターンＷ２３Ｐ０、Ｗ２３Ｓ１及びＷ２３ＰＡ〜Ｗ２３ＰＥのいずれもがかからない。
【０３７５】
このため光検出器８９では、第４の実施形態と同様、受光領域Ｄ２Ａ、Ｄ２Ｂ、Ｄ１３Ｃ及びＤ１３Ｄによりそれぞれ生成する受光信号Ｓ２Ａ、Ｓ２Ｂ、Ｓ３Ｃ及びＳ３Ｄに対し、層間迷光ビームＬＮによる誤差を殆ど生じさせないようになされている。
【０３７６】
また光ディスク装置９０は、第４の実施形態における光ディスク装置７０と同様、ウォブル信号演算回路５４Ｗによりウォブル信号を算出でき、かつ、サーボ制御部５３Ａによりフォーカス制御及びトラッキング制御を行うことができる。
【０３７７】
さらに光ディスク装置９０は、第４の実施形態と同様、信号処理部７４により（８）式に従って再生ＲＦ信号ＳＲＦを生成し、所定の復調処理や復号化処理等を施すことにより、光ディスク１００に記録されている情報を再生することができる。
【０３７８】
［５−３．動作及び効果］
［５−３−１．動作］
以上の構成において、光ディスク装置９０の光ピックアップ９１は、光ビームＬ１を光ディスク１００へ照射する。そして、光ピックアップ９１は、当該光ディスク１００により反射されＳ偏光でなる反射光ビームＬＲを１／２波長板９５、ロションプリズム９６及びホログラム素子９７により分離する。
【０３７９】
１／２波長板９５は、まず反射光ビームＬＲにおけるＳ偏光成分及びＰ偏光成分の割合を変化させる。続いてロションプリズム９６は、Ｐ偏光成分を透過させて反射光ビームＬＲＰとする一方、Ｓ偏光成分を屈折させて反射光ビームＬＲＳとし、斜め方向へ進行させる。
【０３８０】
ホログラム素子９７は、Ｓ偏光でなる反射光ビームＬＲＳを透過させる一方、Ｐ偏光でなる反射光ビームＬＲＰに対し領域ごとに回折させ、反射光ビームＬＲＰ０及びＬＲＰＡ〜ＬＲＰＥに分離する。
【０３８１】
これに応じて光検出器８９は、受光部Ｄ１の受光領域Ｄ１Ａ〜Ｄ１Ｄにより反射光ビームＬＲＰ０を受光し、受光信号Ｓ１Ａ〜Ｓ１Ｄを生成する。また光検出器８９は、受光部Ｄ２の受光領域Ｄ２Ａ及びＤ２Ｂにより反射光ビームＬＲＰＡ及びＬＲＰＢをそれぞれ受光し、受光信号Ｓ２Ａ及びＳ２Ｂを生成する。さらに光検出器８９は、受光部Ｄ１３の受光領域Ｄ１３Ｃ及びＤ１３Ｄにより反射光ビームＬＲＰＣ及びＬＲＰＤをそれぞれ受光し、受光信号Ｓ３Ｃ及びＳ３Ｄを生成する。
【０３８２】
信号処理部７４は、第３の実施形態と同様、ヘッドアンプ７２により増幅された各受光信号を基に、フォーカスエラー信号演算回路５４Ｆにより（１Ａ）式又は（１Ｂ）式に従ってフォーカスエラー信号ＳＦＥ１を算出する。また信号処理部７４は、ヘッドアンプ７２により増幅された各受光信号を基に、トラッキングエラー信号演算回路５４Ｔにより（２）式に従ってトラッキングエラー信号ＳＴＥ１を算出する。そして、信号処理部７４は、これらの信号をサーボ制御部５３Ａへ供給する。
【０３８３】
サーボ制御部５３Ａは、トラッキング制御部５３ＡＴによってトラッキングエラー信号ＳＴＥ１を基にトラッキング駆動信号ＳＴＤ１を生成しトラッキングアクチュエータ９Ｔへ供給することにより、トラッキング制御を行う。
【０３８４】
更に信号処理部７４は、ヘッドアンプ７２により増幅された各受光信号を基に、ウォブル信号演算回路５４Ｗにより（５）式に従ったウォブル信号ＳＷＢＬ１を算出するか抽出する。そして、この信号処理部７４は、ウォブル信号ＳＷＢＬ１から、アドレス情報や時間情報等のプリフォーマットされた情報を生成し、統括制御部５２に出力する。統括制御部５２は、アドレス情報や時間情報等に基づいて、記録又は再生動作を制御することができる。
【０３８５】
［５−３−２．効果］
従って光ディスク装置９０は、第４の実施形態と同様、光検出器８９の受光部Ｄ２及びＤ１３によって反射光ビームＬＲＰＡ、ＬＲＰＢ、ＬＲＰＣ及びＬＲＰＤをそれぞれ受光できる。そして、光ディスク装置９０は、その受光結果である受光信号Ｓ２Ａ、Ｓ２Ｂ、Ｓ３Ｃ及びＳ３Ｄを用いて生成したトラッキングエラー信号ＳＴＥ１を基にトラッキング制御を行うことができる。
【０３８６】
また光ディスク装置９０の光ピックアップ９１では、ロションプリズム９６による屈折作用により反射光ビームＬＲＳの進行方向を変化させることができる。このため光ディスク装置９０は、第４の実施形態による光ディスク装置７０のように、回折角度を大きくするために偏光ホログラム８７Ｃにおけるホログラムの格子ピッチを小さくするといった設計上の制約を考慮する必要がない。
【０３８７】
その他、光ディスク装置９０は、第４の実施形態における光ディスク装置７０と同様の作用効果も奏し得る。
【０３８８】
以上の構成によれば、光ディスク装置９０の光ピックアップ９１は、反射光ビームＬＲをロションプリズム９６によって屈折させることにより反射光ビームＬＲＳを斜め方向に屈折させる。そして、光ピックアップ９１は、更に、ホログラム素子９７によって反射光ビームＬＲＰ０をほぼ直進させ、光検出器８９の受光部Ｄ１により検出して受光信号Ｓ１Ａ〜Ｓ１Ｄを生成する。
また光ピックアップ９１は、ホログラム素子９７によって反射光ビームＬＲＰＡ及びＬＲＰＢをそれぞれ縦方向へ回折させて受光部Ｄ２の受光領域Ｄ２Ａ及びＤ２Ｂによりそれぞれ受光し、受光信号Ｓ２Ａ及びＳ２Ｂを生成する。
さらに光ピックアップ７７は、反射光ビームＬＲＰＣ及びＬＲＰＤをそれぞれ横方向へ回折させて受光部Ｄ１３の受光領域Ｄ１３Ｃ及びＤ１３Ｄによりそれぞれ受光し、受光信号Ｓ３Ｃ及びＳ３Ｄを生成する。
これにより光ピックアップ９１は、複数の記録層Ｙからの層間迷光ビームＬＮによりそれぞれ形成される迷光パターンＷの影響を排除したウォブル信号ＳＷＢＬ１を生成できる。よって、光ディスク装置９０は、アドレス情報や時間情報などのプリフォーマットされた情報を正確かつ安定して抽出することができる。
更に、これにより光ディスク装置９０は、複数の記録層Ｙからの層間迷光ビームＬＮによりそれぞれ形成される迷光パターンＷの影響を排除したトラッキングエラー信号ＳＴＥ１を生成でき、精度良くトラッキング制御を行うことができる。
【０３８９】
＜６．第６の実施形態＞
［６−１．光ディスク装置の構成］
第６の実施形態では、光ディスク装置１１０が方式が異なる複数種類の光ディスク１００に対応可能に形成される点が、上記各実施形態と異なる。ここでは、複数種類の光ディスク１００の例として、例えば、ＢＤ方式でなる光ディスク１００（以下、これを光ディスク１００Ｂと呼ぶ）、ＤＶＤ方式でなる光ディスク１００（以下これを光ディスク１００Ｄと呼ぶ）及びＣＤ方式でなる光ディスク１００（以下これを光ディスク１００Ｃと呼ぶ）を挙げて説明する。
【０３９０】
図１との対応部分に同一符号を付した図２９に示すように、光ディスク装置１１０は、第１の実施形態における統括制御部２、駆動制御部３、信号処理部４及び光ピックアップ７に代えて、統括制御部１１２、駆動制御部１１３、信号処理部１１４及び光ピックアップ１１７が設けられている。
【０３９１】
統括制御部１１２は、統括制御部２と同様、図示しないＣＰＵと、各種プログラム等が格納されるＲＯＭと、当該ＣＰＵのワークメモリとして用いられるＲＡＭとによって構成されており、光ディスク装置１１０全体を統括制御する。
【０３９２】
具体的に統括制御部１１２は、統括制御部２の各機能に加え、光ディスク１００の種類を判別すると共に、駆動制御部１１３、信号処理部１１４、光ピックアップ１１７等に対し、当該光ディスク１００の種類に応じた切換命令等を供給する。
【０３９３】
光ピックアップ１１７は、光ディスク１００の種類に応じて、当該光ディスク１００に対応した光ビームを照射し、また当該光ビームが当該光ディスク１００により反射されてなる反射光ビームを受光することができる（詳しくは後述する）。
【０３９４】
信号処理部１１４は、信号処理部４と同様、供給された受光信号を用いた所定の演算処理を行うことによりウォブル信号、フォーカスエラー信号及びトラッキングエラー信号等をそれぞれ生成する。そして、信号処理部１１４は、ウォブル信号からアドレス情報等のプリフォーマットされた情報を生成して統括制御部１１２に供給すると共に、フォーカスエラー信号及びトラッキングエラー信号を、駆動制御部１１３へ供給する。
【０３９５】
統括制御部１１２は、信号処理部１１４からプリフォーマットされた情報を取得し、その情報に基づいて、記録開始位置や記録・再生タイミング等を制御する。駆動制御部１１３のサーボ制御部１１３Ａは、第１の実施形態におけるサーボ制御部３Ａと同様に、対物レンズ８又は１３５のフォーカス制御及びトラッキング制御を行う（詳しくは後述する）。
【０３９６】
このように光ディスク装置１１０は、光ディスク１００に対し光ピックアップ１１７から光ビームを照射させ、その反射光を基にフォーカス制御及びトラッキング制御を行いながら、情報の再生処理や記録処理を行うことができる。
【０３９７】
［６−２．光ピックアップの構成］
図２との対応部分に同一符号を付した図３０に示すように、光ピックアップ１１７は、光ディスク１００Ｂ、光ディスク１００Ｄ及び光ディスク１００Ｃに対してそれぞれに適した波長である光ビームを照射すると共に、それぞれの反射光ビームを受光する。なお、この波長の例としては、光ディスク１００Ｂでは波長約４０５［ｎｍ］、光ディスク１００Ｄでは波長約６６０［ｎｍ］、光ディスク１００Ｃでは波長約７８０［ｎｍ］が挙げられる。
【０３９８】
因みに光ディスク装置１１０は、所定のメディア判別処理を行うことにより、光ディスク１００がＢＤ方式の光ディスク１００Ｂ、ＤＶＤ方式の光ディスク１００Ｄ又はＣＤ方式の１００Ｃのいずれであるかを判別することができる。
【０３９９】
［６−２−１．ＢＤ方式の光ディスク１００Ｂへの光ビームの照射及び受光］
光ディスク１００がＢＤ方式の光ディスク１００Ｂであった場合、光ディスク装置１１０の統括制御部１１２は、光ピックアップ１１７から、当該光ディスク１００Ｂに適した波長の光ビームを照射させるようになされている。
【０４００】
具体的に光ピックアップ１１７のレーザダイオード１１は、光源制御部１２０の制御の基で、第１の実施形態と同様、波長約４０５［ｎｍ］の青紫色レーザ光でなる光ビームＬＢを発散光として出射することができる。またレーザダイオード１１は、光ビームＬＢがＰ偏光となるようにその取付角度等が調整されている。
【０４０１】
実際上統括制御部１１２は、光源制御部１２０を制御することにより、レーザダイオード１１から光ビームＬＢを発射させ、コリメータレンズ１２へ入射させる。コリメータレンズ１２は、光ビームＬＢを発散光から平行光に変換し、偏光プリズム１２１へ入射させる。
【０４０２】
偏光プリズム１２１は、偏光方向に応じて透過率が相違する反射透過面１２１Ｂにより、Ｐ偏光の光ビームを約９０％の割合で透過し残りを反射すると共に、Ｓ偏光の光ビームをほぼ１００％の割合で反射するようになされている。
【０４０３】
また反射透過面１２１Ｂは、波長約４０５［ｎｍ］の光ビームＬＢに関して作用し、波長約６６０［ｎｍ］及び波長約７８０［ｎｍ］の光ビームに関しては作用せず通過させるようになされている。
【０４０４】
実際上偏光プリズム１２１は、反射透過面１２１Ｂにより光ビームＬＢを約９０％の割合で透過させて球面収差補正部６４へ入射させると共に、残りの約１０％を反射させてフロントモニタ光ビームＬＢＭとし、フロントモニタ光検出器１２２へ入射させる。
【０４０５】
フロントモニタ光検出器１２２は、フロントモニタ光ビームＬＢＭを受光し、その光量に応じたフロントモニタ受光信号ＳＦＭを生成して光源制御部１２０へ供給する。これに応じて光源制御部１２０は、フロントモニタ受光信号ＳＦＭを基に、レーザダイオード１１から出射する光ビームＬＢの光量が所望の値となるようフィードバック制御する。
【０４０６】
一方、球面収差補正部６４は、光ビームＬＢに対し、第３の実施形態と同様に、当該光ビームＬＢが集光され光ディスク１００Ｂの対象記録層ＹＴに到達した際に生じる球面収差と逆特性となるような球面収差を予め与える。
【０４０７】
１／４波長板１５は、第１の実施形態と同様、例えばＰ偏光でなる光ビームＬＢを左円偏光に変換し、対物レンズ８へ入射させる。
【０４０８】
対物レンズ８は、第１の実施形態と同様、光ビームＬＢを集光する。ここで統括制御部１１２は、フォーカス制御部１１３ＡＦを介して、フォーカスアクチュエータ９Ｆにより対物レンズ８のフォーカス方向に関する位置を調整している。このため対物レンズ８は、光ビームＬＢの焦点ＦＢを光ディスク１００Ｂの対象記録層ＹＴにおおよそ合わせるよう照射する。
【０４０９】
このとき光ビームＬＢは、対象記録層ＹＴで反射されることにより、反射光ビームＬＢＲとなり、対物レンズ８へ入射される。また反射光ビームＬＢＲは、円偏光における回転方向が反射時に反転されるため、右円偏光となる。
【０４１０】
この後反射光ビームＬＢＲは、第１の実施形態における反射光ビームＬＲと同様、対物レンズ８により発散光から平行光に変換され、１／４波長板１５により右円偏光からＳ偏光（直線偏光）へ変換され、さらに球面収差補正部６４へ入射される。
【０４１１】
球面収差補正部６４は、反射光ビームＬＢＲが対象記録層ＹＴにより反射されてから対物レンズ８を通過するまでの間に生じた球面収差を補正し、当該反射光ビームＬＢＲを偏光プリズム１２１へ入射させる。
【０４１２】
偏光プリズム１２１は、Ｓ偏光でなる反射光ビームＬＢＲを反射透過面１２１Ｂにおいて反射し、ホログラム素子１２３へ入射させる。
【０４１３】
ホログラム素子１２３は、波長約４０５［ｎｍ］でなる反射光ビームＬＢＲに対し回折素子としての性質により反射光ビームＬＢＲを少なくとも０次光及び１次光に分離し、両者をアナモルフィックレンズ１２４へ入射させる。
【０４１４】
またホログラム素子１２３は、図４と対応する図３１に示すように、複数の領域１２３Ａ〜１２３Ｅに分割されている。そして、ホログラム素子１２３は、各領域によりホログラム素子１７の領域１７Ａ〜１７Ｅと同様の回折角度でそれぞれ反射光ビームＬＢＲを回折させ、０次光でなる反射光ビームＬＢＲ０とは異なる方向へ進行させる。
【０４１５】
すなわちホログラム素子１２３は、領域１２３Ａ及び１２３Ｂにより反射光ビームＬＢＲ１Ａ及びＬＢＲ１Ｂをそれぞれ縦方向へ回折させる。またホログラム素子１２３は、領域１２３Ｃ１、１２３Ｃ２、１２３Ｄ１及び１２３Ｄ２により反射光ビームＬＢＲ１Ｃ１、ＬＢＲＣ２、ＬＢＲＤ１及びＬＢＲＤ２をそれぞれ横方向へ回折させる。さらにホログラム素子１２３は、領域１２３Ｅにより反射光ビームＬＢＲ１Ｅを斜め方向へ回折させる。
【０４１６】
アナモルフィックレンズ１２４は、第１の実施形態における集光レンズ１６及びシリンドリカルレンズ１８の機能を有しており、０次光でなる反射光ビームＬＢＲ０に非点収差を持たせ、光検出器１２５へ照射する。
【０４１７】
因みにアナモルフィックレンズ１２４は、１次光でなる反射光ビームＬＢＲ１Ａ〜ＬＢＲ１Ｅについても非点収差を与えることになる。しかしながら１次光でなる反射光ビームＬＢＲ１Ａ〜ＬＢＲ１Ｅは、ホログラム素子１２３により回折された際、当該非点収差を相殺するような光学的特性が与えられる。
【０４１８】
すなわち１次光でなる反射光ビームＬＢＲ１Ａ〜ＬＢＲ１Ｅは、アナモルフィックレンズ１２４から出射される時点において、非点収差を有しない。
【０４１９】
また光ピックアップ１１７では、光検出器１２５からアナモルフィックレンズ１２４までの間隔ｕ８が、次に示す（９）式により算出される間隔ｕ７よりも大きくなるように設計されている。
【０４２０】
【数１３】
2010170604.tif 000015
…（９）
【０４２１】
（９）式において、間隔ｕ１は光ディスク１００Ｂにおける記録層Ｙ同士の間隔の最大値、例えば図３における記録層Ｙ０及びＹ３の間隔を表しており、横倍率Ｍは、光ディスク１００Ｂから光検出器１２５に至る光路における光学系の横倍率を表している。
【０４２２】
すなわち光ピックアップ１１７では、反射光ビームＬＢＲ等の光路上における光検出器１２５から間隔ｕ７の範囲内には、他の光学部品等が設けられていない。
【０４２３】
光検出器１２５は、図３２に示すように、第１の実施形態における光検出器１９（図５）と一部類似した構成を有しており、当該光検出器１９と同様の受光部Ｄ１〜Ｄ４が形成されている。
【０４２４】
すなわち光検出器１２５は、受光部Ｄ１〜Ｄ４において反射光ビームＬＢＲ０、ＬＢＲ１Ａ、ＬＢＲ１Ｂ、ＬＢＲ１Ｃ、ＬＢＲ１Ｄ及びＬＢＲ１Ｅをそれぞれ受光し、その受光結果に応じてそれぞれ各受光信号を生成して、ヘッドアンプ１２６（図３０）へ供給する。
【０４２５】
さらに光検出器１２５は、受光部Ｄ１を縦方向から挟むように受光部Ｄ２１及びＤ２２が追加されると共に、受光部Ｄ１、Ｄ２１及びＤ２２から横方向へそれぞれ所定距離だけ離隔した箇所に受光部Ｄ３１、Ｄ３２及びＤ３３が設けられている。
【０４２６】
受光部Ｄ２１は、縦方向に関して２分割された受光領域Ｄ２１Ａ及びＤ２１Ｂを有している。受光領域Ｄ２１Ａ及びＤ２１Ｂは、それぞれの受光量に応じた受光信号Ｓ２１Ａ及びＳ２１Ｂを生成し、これらをヘッドアンプ１２６へ送出する。
【０４２７】
受光部Ｄ２２は、受光部Ｄ２１と同様、縦方向に関して２分割された受光領域Ｄ２２Ａ及びＤ２２Ｂを有している。受光領域Ｄ２２Ａ及びＤ２２Ｂは、それぞれの受光量に応じた受光信号Ｓ２２Ａ及びＳ２２Ｂを生成し、これらをヘッドアンプ１２６へ送出する。
【０４２８】
この場合、光ディスク装置１１０では、光ディスク装置１の場合と同様に、信号処理部１１４によりウォブル信号ＳＷＢＬ１、フォーカスエラー信号ＳＦＥ１及びトラッキングエラー信号ＳＴＥ１等を算出する。そして、これらの信号は、それぞれ対応する統括制御部１１２又はサーボ制御部１１３Ａ等へ供給される。また信号処理部１１４は、再生ＲＦ信号ＳＲＦ等も同様に算出する。
【０４２９】
統括制御部１１２は、光ディスク装置１の統括制御部１２と同様に、信号処理部１１４でウォブル信号ＳＦＥ１から抽出されるプリフォーマットされた情報を取得し、その情報に基づいて、記録開始位置や記録・再生タイミング等を制御する。サーボ制御部１１３Ａは、光ディスク装置１のサーボ制御部３Ａと同様に、フォーカスエラー信号ＳＦＥ１に基づいたフォーカス制御及びトラッキングエラー信号ＳＴＥ１に基づいたトラッキング制御を行う。
【０４３０】
［ウォブル信号の切替］
この際、第６の実施形態による光ディスク１１０では、上記（５）式により算出されるウォブル信号ＳＷＢＬ１と、次の（１０）式により算出されるウォブル信号ＳＷＢＬ２とを切替えることが可能である。なお、この（１０）式によるウォブル信号の演算は、上記（５Ｍ）に示した関連技術にかかるウォブル信号演算式に対応する。
【０４３１】
【数１４】
2010170604.tif 000016
…（１０）
【０４３２】
この切替を行うために、信号処理部１１４は、図３３に示すような切替回路１１４Ｓを有することが望ましい。ここで、図３３を参照しつつ、このウォブル信号の切替について詳しく説明する。
【０４３３】
光ディスク装置１１０が有する信号処理部１１４のトラッキングエラー信号演算回路１１４Ｔと、ウォブル信号演算回路１１４Ｗと、切替回路１１４Ｓとの構成の例を、図３３に示す。
【０４３４】
図３３に示すように、トラッキングエラー信号演算回路１１４Ｔは、図９Ｂに示した第１の実施形態のトラッキングエラー信号演算回路４Ｔに対応する第１トラッキングエラー信号演算回路１１４Ｔ１を有する。また、トラッキングエラー信号演算回路１１４Ｔは、図１０Ｂに示した関連技術のトラッキングエラー信号演算回路４Ｔ−Ｍ、主プッシュプル演算回路４Ｐ−Ｍ及び副プッシュプル演算回路４Ｐ−Ｓにそれぞれ対応する第２トラッキングエラー信号演算回路１１４ＴＭ、主プッシュプル演算回路１１４ＰＭ及び副プッシュプル演算回路１１４ＰＭを、更に有する。
【０４３５】
そして、切替回路１１４Ｓは、ウォブル信号演算回路１１４Ｗがタッピングするプッシュプル信号を、第１トラッキングエラー信号演算回路１１４Ｔ１による信号と、主プッシュプル演算回路１１４ＰＭによる信号との間で切替えることができる。従って、ウォブル信号演算回路１１４Ｗは、切替回路１１４Ｓにより、上記（５）式により演算されたウォブル信号ＳＷＢＬ１、又は、関連技術の（５Ｍ）式に対応する上記（１０）式より演算されたウォブル信号ＳＷＢＬ２を選択的に生成することになる。
【０４３６】
この切替回路１１４Ｓは、統括制御部１１２により制御される。
統括制御部１１２は、例えば、光ディスク１００Ｂが単層光ディスクの場合には、ウォブル信号ＳＷＢＬ２が出力され、多層光ディスクの場合には、ウォブル信号ＳＷＢＬ１が出力されるように、切替回路１１４Ｓを制御してもよい。
【０４３７】
単層光ディスクであれば、迷光による影響はほとんどなく、かつ、ホログラム素子１２３で回折された反射光ビームによる受光信号Ｓ２Ａ及びＳ２Ｂよりも、回折されてない反射光ビームによる受光信号Ｓ１Ａ〜Ｓ１Ｄの方が信号強度は強い。従って、この場合、単層光ディスクであれば、信号強度の強いウォブル信号ＳＷＢＬ２を使用することができ、プリフォーマットされた情報をより確実に生成することが可能となる。一方、多層光ディスクの場合には、ウォブル信号ＳＷＢＬ１を使用することにより、迷光の影響を低減させて、より確実にプリフォーマットされた情報を生成することが可能となる。
【０４３８】
ただし、この際、統括制御部１１２は、［１−５．光ディスクの種類判別］で説明したように、光ディスクの種類を自動的に判定し、自動的に切替回路１１４Ｓを制御することも可能である。
【０４３９】
なお、統括制御部１１２による切替回路１１４Ｓの制御は、この例に限定されるものではなく、例えば、光ディスク１００の種類（例えば光ディスク１００Ｃ及び１００Ｄ）や光ディスク装置１１０の性質等を考慮して、適宜変更されてもよい。例えば、光ディスク装置１１０の性質や設計等によれば、使用するウォブル信号に制約を受けたり、利便性を考えるとウォブル信号を選択したい場合がある。第６の実施形態による光ピックアップ１１７によれば、このような場合にも利用者の利便性又は光ディスク装置１１０の性質や設計等を考慮したウォブル信号の切替が可能である。
【０４４０】
また、図３３に示すウォブル信号を切替える構成によれば、上記第１の実施形態の（１Ａ）式によるトラッキングエラー信号ＳＴＥ１だけでなく、上記関連技術の（２Ｍ）式に相当する次の式（１１）で演算されるトラッキングエラー信号ＳＴＥ２も生成できる。
【０４４１】
【数１５】
2010170604.tif 000017
…（１１）
従って、信号処理部１１４は、ウォブル信号だけでなく、トラッキングエラー信号も、第１の実施形態によるものと、関連技術によるものとの間で切替えることが可能である。ただし、この場合、関連技術で説明した回折光学素子（図示せず）がレーザダイオード１１の下流に配置されることとなる。
【０４４２】
［６−２−２．ＣＤ方式の光ディスク１００Ｃへの光ビームの照射及び受光］
光ディスク１００がＣＤ方式の光ディスク１００Ｃであった場合、光ディスク装置１１０の統括制御部１１２は、光ピックアップ１１７から、当該光ディスク１００Ｃに適した波長の光ビームを照射させるようになされている。
【０４４３】
因みに光ディスク１００Ｃは、その規格上、記録層Ｙは１層のみとなっている。以下の説明では、便宜上、この記録層Ｙを対象記録層ＹＴと呼ぶ。
【０４４４】
光ピックアップ１１７のレーザダイオード１３１は、図３４に示すように、波長約７８０［ｎｍ］の光ビームを出射するレーザチップ１３１Ｃと波長約６６０［ｎｍ］の光ビームを出射するレーザチップ１３１Ｄが所定の間隔ｕ５だけ離隔した状態で設けられている。またレーザダイオード１３１は、光ビームＬＣがＰ偏光となるようにその取付角度等が調整されている。
【０４４５】
実際上統括制御部１１２は、光源制御部１２０を制御することにより、レーザダイオード１３１のレーザチップ１３１Ｃから波長約７８０［ｎｍ］の赤外色レーザ光でなる光ビームＬＣを発散光として出射させ、グレーティング１３２へ入射させる。
【０４４６】
グレーティング１３２（回折光学素子の一例）は、光ビームＬＣを回折させることにより、０次光でなる光ビームＬＣＡ、＋１次光でなる光ビームＬＣＢ及び−１次光でなる光ビームＬＣＣに分離し、これらをコリメータレンズ１３３へ入射させる。
【０４４７】
この光ビームＬＣＢ及びＬＣＣは、その光軸が光ビームＬＣＡの光軸から僅かに離れた状態で光ビームＬＣＡとほぼ平行に進行し、当該光ビームＬＣＡと同様に収束・発散・反射等されることになる。このため、以下では光ビームＬＣＡを中心に説明し、光ビームＬＣＢ及びＬＣＣの説明については一部省略する。
【０４４８】
コリメータレンズ１３３は、光ビームＬＣＡを発散光から平行光に変換し、偏光プリズム１２１へ入射させる。
【０４４９】
偏光プリズム１２１は、偏光方向に応じて透過率が相違する反射透過面１２１ＤＣにより、Ｐ偏光の光ビームを約９０％の割合で透過し残りを反射すると共に、Ｓ偏光の光ビームをほぼ１００％の割合で反射する。また反射透過面１２１Ｂは、波長約６６０［ｎｍ］及び波長約７８０［ｎｍ］の光ビームに関して作用し、波長約４０５［ｎｍ］の光ビームに関しては作用せず通過させる。
【０４５０】
実際上偏光プリズム１２１は、反射透過面１２１ＤＣにより光ビームＬＣＡを約９０％の割合で透過させて１／４波長版１３４へ入射させると共に、残りの約１０％を透過させてフロントモニタ光ビームＬＣＭとしてフロントモニタ光検出器１２２へ入射させる。
【０４５１】
フロントモニタ光検出器１２２は、フロントモニタ光ビームＬＢＭの場合と同様、フロントモニタ光ビームＬＣＡＭを受光し、その光量に応じたフロントモニタ受光信号ＳＦＭを生成して光源制御部１２０へ供給する。これに応じて光源制御部１２０は、フロントモニタ受光信号ＳＦＭを基に、レーザダイオード１３１から出射する光ビームＬＣの光量が所望の光量となるようフィードバック制御するようになされている。
【０４５２】
１／４波長板１３４は、１／４波長板１５と同様、光ビームを直線偏光と円偏光との間で相互変換し得るようになされており、例えばＰ偏光でなる光ビームＬＣＡを左円偏光に変換し、対物レンズ１３５へ入射させる。
【０４５３】
対物レンズ１３５は、光ビームＬＣＡを集光する。ここで統括制御部１１２は、フォーカス制御部１１３ＡＦを介して、フォーカスアクチュエータ９Ｆにより対物レンズ１３５のフォーカス方向に関する位置を調整している。このため対物レンズ１３５は、光ビームＬＣＡの焦点ＦＣＡを光ディスク１００Ｃの対象記録層ＹＴにおおよそ合わせるよう照射する。
【０４５４】
このとき光ビームＬＣＡは、対象記録層ＹＴで反射されることにより反射光ビームＬＣＡＲとなり、対物レンズ１３５へ入射される。また反射光ビームＬＣＡＲは、円偏光における回転方向が反射時に反転されるため、右円偏光となる。
【０４５５】
因みに光ビームＬＣＢ及びＬＣＣは、それぞれ対物レンズ１３５により集光され、その焦点ＦＣＢ及びＦＣＣが焦点ＦＣＡから１／２トラックずつトラッキング方向へずれた位置に形成される。
【０４５６】
すなわち光ビームＬＣＡは、いわゆるメインビームとしてその焦点ＦＣＡが所望トラックに合うよう照射される。光ビームＬＣＢ及びＬＣＣは、いわゆるサイドビームとしてそれぞれの焦点ＦＣＢ及びＦＣＣが所望トラックから１／２トラックずつ離隔した箇所に照射される。
【０４５７】
このとき光ビームＬＣＢ及びＬＣＣは、対象記録層ＹＴにおいてそれぞれ反射され、反射光ビームＬＣＢＲ及びＬＣＣＲとなる。反射光ビームＬＣＢＲ及びＬＣＣＲは、それぞれの光軸が、光ビームＬＣＡの反射光である反射光ビームＬＣＡＲの光軸から僅かに離れた状態で、当該反射光ビームＬＣＡＲとほぼ平行に進行していくことになる。なお、反射光ビームＬＣＢＲ及びＬＣＣＲの説明についても、光ビームＬＣＢ及びＬＣＣの場合と同様に一部省略する。
【０４５８】
この後反射光ビームＬＣＡＲは、反射光ビームＬＢＲと同様、対物レンズ１３５により発散光から平行光に変換され、１／４波長板１３４により右円偏光からＳ偏光（直線偏光）へ変換され、さらに偏光プリズム１２１へ入射される。
【０４５９】
偏光プリズム１２１は、Ｓ偏光でなる反射光ビームＬＣＡＲを反射透過面１２１ＤＣにおいて反射し、反射透過面１２１Ｂを透過させてホログラム素子１２３へ入射させる。
【０４６０】
ホログラム素子１２３は、波長約７８０［ｎｍ］でなる反射光ビームＬＣＡＲを少なくとも０次光及び１次光に分離し、アナモルフィックレンズ１２４へ入射させる。
【０４６１】
なお、ホログラム素子１２３により回折された反射光ビームＬＣＡＲの０次光以外の成分については、最終的にはＣＤ方式の信号検出に関わる受光部Ｄ１、Ｄ２１及びＤ２２には照射されないため、以下では説明を省略する。ホログラム素子１２３により回折された反射光ビームＬＣＢＲ及びＬＣＣＲの０次光以外の成分についても同様に省略する。
【０４６２】
アナモルフィックレンズ１２４は、反射光ビームＬＣＡＲをメイン反射光ビームとして集光すると共に非点収差を持たせ、光検出器１２５へ照射する。このとき反射光ビームＬＣＢＲ及びＬＣＣＲもそれぞれサブ反射光ビームとして集光される。
【０４６３】
光検出器１２５は、受光部Ｄ１の受光領域Ｄ１Ａ〜Ｄ１Ｄにより反射光ビームＬＣＡＲを受光し、その受光結果に応じてそれぞれ受光信号Ｓ１Ａ〜Ｓ１Ｄを生成して、ヘッドアンプ１２６へ供給する。
【０４６４】
また光検出器１２５は、受光部Ｄ２１により反射光ビームＬＣＢＲを受光し、その受光結果に応じて受光信号Ｓ２１Ａ及びＳ２１Ｂを生成して、これらをヘッドアンプ１２６へ送出する。
【０４６５】
これと同様に光検出器１２５は、受光部Ｄ２２により反射光ビームＬＣＣＲを受光し、その受光結果に応じて受光信号Ｓ２２Ａ及びＳ２２Ｂを生成して、これらをヘッドアンプ１２６へ送出する。
【０４６６】
ヘッドアンプ１２６は、ヘッドアンプ２２と同様、各受光信号をそれぞれ増幅し、信号処理部１１４へ供給する。
【０４６７】
信号処理部１１４のトラッキングエラー信号演算回路１１４Ｔは、所定の係数δを用い次の（１２）式に従った演算を行うことにより、ＤＰＰ（Ｄｉｆｆｅｒｅｎｔｉａｌ  Ｐｕｓｈ  Ｐｕｌｌ）法に従ったトラッキングエラー信号ＳＴＥ２を算出する。
【０４６８】
【数１６】
2010170604.tif 000018
…（１２）
【０４６９】
信号処理部１１４は、このトラッキングエラー信号ＳＴＥ２をサーボ制御部１１３Ａのトラッキング制御部１１３ＡＴへ供給する。
【０４７０】
サーボ制御部１１３Ａのトラッキング制御部１１３ＡＴは、トラッキングエラー信号ＳＴＥ２を基にトラッキング駆動信号ＳＴＤ２を生成し、これをトラッキングアクチュエータ９Ｔへ供給する。トラッキングアクチュエータ９Ｔは、トラッキング駆動信号ＳＴＤ２に基づき対物レンズ１３５をトラッキング方向へ駆動する。かくしてサーボ制御部１１３Ａは、ＤＰＰ法によるトラッキング制御を行う。
【０４７１】
またサーボ制御部１１３Ａは、光ディスク装置１のサーボ制御部３Ａと同様に、非点収差法に従ってフォーカスエラー信号ＳＦＥ１を算出し、これに基づいたフォーカス制御を行う。
【０４７２】
さらに信号処理部１１４の再生信号演算回路１１４Ｒは、第１の実施形態と同様、上述した（４）式に従って受光信号Ｓ１Ａ〜Ｓ１Ｄを加算することにより再生ＲＦ信号ＳＲＦを算出する。
【０４７３】
そして信号処理部１１４のウォブル信号演算回路１１４Ｗは、上記（１０）式に従った演算を行うか、その演算結果をタッピングすることにより、ウォブル信号ＳＷＢＬ２を生成する。そして、ウォブル信号演算回路１１４Ｗは、ウォブル信号ＳＷＢＬ２からアドレス情報等のプリフォーマットされた情報を生成して、統括制御部１１２に供給する。統括制御部１１２は、光ディスク装置１の統括制御部１２と同様に、信号処理部１１４でウォブル信号から抽出されるプリフォーマットされた情報を取得し、その情報に基づいて、記録開始位置や記録・再生タイミング等を制御する。なお、この（１０）式によるウォブル信号の演算は、上記（５Ｍ）に示した関連技術にかかるウォブル信号演算式に対応する。
【０４７４】
このように光ディスク装置１１０の光ピックアップ１１７では、光検出器１２５の受光部Ｄ１により、ＢＤ方式の光ディスク１００Ｂによる反射光ビームＬＢＲ０及びＣＤ方式の光ディスク１００Ｃによる反射光ビームＬＣＡＲの双方を受光することができる。
【０４７５】
［６−２−３．ＤＶＤ方式の光ディスク１００Ｄへの光ビームの照射及び受光］
光ディスク１００がＤＶＤ方式の光ディスク１００Ｄであった場合、光ディスク装置１１０の統括制御部１１２は、光ピックアップ１１７から、当該光ディスク１００Ｄに適した波長の光ビームを照射させる。
【０４７６】
実際上統括制御部１１２は、光源制御部１２０を制御することにより、レーザダイオード１３１のレーザチップ１３１Ｄから波長約６６０［ｎｍ］の赤色レーザ光でなる光ビームＬＣを発散光として出射させ、グレーティング１３２へ入射させる。
【０４７７】
この光ビームＬＤは、光ビームＬＣと発光点が距離ｕ５だけ離隔していることから、光ビームＬＣの光軸から僅かに離隔した光軸に沿って進行することになる。
【０４７８】
グレーティング１３２は、光ビームＬＤを回折させることにより、０次光でなる光ビームＬＤＡ、＋１次光でなる光ビームＬＤＢ及び−１次光でなる光ビームＬＤＣに分離し、これらをコリメータレンズ１３３へ入射させる。
【０４７９】
この光ビームＬＤＢ及びＬＤＣは、光ビームＬＣＢ及びＬＣＣの場合と同様、その光軸が光ビームＬＤＡの光軸から僅かに離れた状態で光ビームＬＤＡとほぼ平行に進行し、当該光ビームＬＤＡと同様に収束・発散・反射等されることになる。このため、以下では光ビームＬＤＡを中心に説明し、光ビームＬＤＢ及びＬＤＣの説明については一部省略する。
【０４８０】
光ビームＬＤＡ、ＬＤＢ及びＬＤＣは、それぞれ光ビームＬＣＡ、ＬＣＢ及びＬＣＣと同様に、偏光プリズム１２１及び１／４波長版１３４を介して対物レンズ１３５に入射され、光ディスク１００Ｄの対象記録層ＹＴに焦点を合わせて集光される。
【０４８１】
このとき光ビームＬＤＡ、ＬＤＢ及びＬＤＣは、光ビームＬＣＡ、ＬＣＢ及びＬＣＣの場合と同様、対象記録層ＹＴにおいてそれぞれ反射され、反射光ビームＬＤＡＲ、ＬＤＢＲ及びＬＤＣＲとなる。
【０４８２】
反射光ビームＬＤＢＲ及びＬＤＣＲは、それぞれの光軸が反射光ビームＬＤＡＲの光軸から僅かに離れた状態で、当該反射光ビームＬＤＡＲとほぼ平行に進行していく。なお、反射光ビームＬＤＢＲ及びＬＤＣＲの説明についても、光ビームＬＣＢ及びＬＣＣの場合と同様に一部省略する。
【０４８３】
この後反射光ビームＬＤＡＲは、反射光ビームＬＣＡＲと同様、対物レンズ１３５により発散光から平行光に変換され、１／４波長板１３４により右円偏光からＳ偏光（直線偏光）へ変換され、さらに偏光プリズム１２１へ入射される。
【０４８４】
偏光プリズム１２１は、Ｓ偏光でなる反射光ビームＬＤＡＲを反射透過面１２１ＤＣにおいて反射し、反射透過面１２１Ｂを透過させてホログラム素子１２３へ入射させる。
【０４８５】
ホログラム素子１２３は、波長約６６０［ｎｍ］でなる反射光ビームＬＤＡＲを少なくとも０次光及び１次光に分離し、アナモルフィックレンズ１２４へ入射させる。
【０４８６】
なお、ホログラム素子１２３により回折された反射光ビームＬＤＡＲの０次光以外の成分については、最終的にはＤＶＤ方式の信号検出に関わる受光部Ｄ３１〜Ｄ３３には照射されないため、以下では説明を省略する。ホログラム素子１２３により回折された反射光ビームＬＤＢＲ及びＬＤＣＲについても同様に省略する。
【０４８７】
アナモルフィックレンズ１２４は、反射光ビームＬＤＡＲを集光すると共に非点収差を持たせ、光検出器１２５へ照射する。このとき反射光ビームＬＤＢＲ及びＬＤＣＲもそれぞれ集光される。
【０４８８】
光検出器１２５の受光部Ｄ１は、レーザダイオード１３１のレーザチップ１３１Ｃを光源とする反射光ビームＬＣＡの照射位置に合わせてある。このため、当該レーザチップ１３１Ｃから所定の距離ｕ５だけ離隔したレーザチップ１３１Ｄを光源とする反射光ビームＬＤＡは、当該受光部Ｄ１から所定の距離ｕ６だけ離隔した箇所、すなわち受光部Ｄ３１上に照射される。因みに距離ｕ６は、距離ｕ５及び光ピックアップ１１７における光学設計等を基に定められる値となる。
【０４８９】
光検出器１２５は、受光部Ｄ３１の受光領域Ｄ３１Ａ〜Ｄ３１Ｄにより反射光ビームＬＤＡＲを受光し、その受光結果に応じてそれぞれ受光信号Ｓ３１Ａ〜Ｓ３１Ｄを生成して、ヘッドアンプ１２６へ供給する。
【０４９０】
また光検出器１２５は、受光部Ｄ３２の受光領域Ｄ３２Ａ及びＤ３２Ｂにより反射光ビームＬＤＢＲを受光し、その受光結果に応じて受光信号Ｓ３２Ａ及びＳ３２Ｂを生成して、これらをヘッドアンプ１２６へ送出する。
【０４９１】
これと同様に光検出器１２５は、受光部Ｄ３３の受光領域Ｄ３３Ａ及びＤ３３Ｂにより反射光ビームＬＤＣＲを受光し、その受光結果に応じて受光信号Ｓ３３Ａ及びＳ３３Ｂを生成して、これらをヘッドアンプ１２６へ送出する。ヘッドアンプ１２６は、各受光信号をそれぞれ増幅して信号処理部１１４へ供給する。
【０４９２】
信号処理部１１４のトラッキングエラー信号演算回路１１４Ｔは、上述した（１２）式と対応する（１３）式に従った演算を行うことにより、ＤＰＰ法に従ったトラッキングエラー信号ＳＴＥ２を算出する。そして、トラッキングエラー信号演算回路１１４Ｔは、このトラッキングエラー信号ＳＴＥ２をサーボ制御部１１３Ａのトラッキング制御部１１３ＡＴへ供給する。
【０４９３】
【数１７】
2010170604.tif 000019
…（１３）
【０４９４】
信号処理部１１４は、このトラッキングエラー信号ＳＴＥ２をサーボ制御部１１３Ａのトラッキング制御部１１３ＡＴへ供給する。
【０４９５】
サーボ制御部１１３Ａのトラッキング制御部１１３ＡＴは、トラッキングエラー信号ＳＴＥ２を基にトラッキング駆動信号ＳＴＤ２を生成し、これをトラッキングアクチュエータ９Ｔへ供給する。トラッキングアクチュエータ９Ｔは、トラッキング駆動信号ＳＴＤ２に基づき対物レンズ１３５をトラッキング方向へ駆動する。かくしてサーボ制御部１１３Ａは、ＤＰＰ法によるトラッキング制御を行う。
【０４９６】
またサーボ制御部１１３Ａは、非点収差法に従ってフォーカスエラー信号ＳＦＥ１を算出し、これに基づいたフォーカス制御を行うようになされている。
【０４９７】
さらに信号処理部１１４の再生信号演算回路１１４Ｒは、上述した（４）式に従って受光信号Ｓ３１Ａ〜Ｓ３１Ｄを加算することにより再生ＲＦ信号ＳＲＦを算出する。
【０４９８】
そして信号処理部１１４のウォブル信号演算回路１１４Ｗは、上記（１０）式に対応する次の（１４）式に従った演算を行うか、その演算結果をタッピングすることにより、ウォブル信号ＳＷＢＬ２を生成する。そして、ウォブル信号演算回路１１４Ｗは、ウォブル信号ＳＷＢＬ２からアドレス情報等のプリフォーマットされた情報を生成して、統括制御部１１２に供給する。統括制御部１１２は、光ディスク装置１の統括制御部１２と同様に、信号処理部１１４でウォブル信号から抽出されるプリフォーマットされた情報を取得し、その情報に基づいて、記録開始位置や記録・再生タイミング等を制御する。なお、この（１４）式によるウォブル信号の演算は、上記（５Ｍ）に示した関連技術にかかるウォブル信号演算式に対応する。
【０４９９】
【数１８】
2010170604.tif 000020
…（１４）
【０５００】
このように光ディスク装置１１０の光ピックアップ１１７では、光検出器１２５の受光部Ｄ３１、Ｄ３２及びＤ３３により、ＤＶＤ方式の光ディスク１００Ｄによる反射光ビームＬＤＡＲ、ＬＤＢＲ及びＬＤＣＲをそれぞれ受光することができる。
【０５０１】
［６−３．動作及び効果］
［６−３−１．動作］
以上の構成において、光ディスク装置１１０の光ピックアップ１１７は、光ディスク１００がＢＤ方式の光ディスク１００Ｂであった場合、光検出器１２５により、第１の実施形態における光検出器１９と同様に各受光信号を生成する。
【０５０２】
これにより光ディスク装置１１０は、第１の実施形態と同様、層間迷光ビームＬＮの影響を受けることなく、アドレス情報等を抽出し、かつ、フォーカス制御及びトラッキング制御を行うことができる。
【０５０３】
一方、光ディスク装置１１０の光ピックアップ１１７は、光ディスク１００がＣＤ方式の光ディスク１００Ｃであった場合、グレーティング１３２により光ビームＬＣを０次光及び±１次光に分離する。そして、光ピックアップ１１７は、０次光及び±１次光のそれぞれを光ディスク１００Ｃの対象記録層ＹＴにより反射させる。
【０５０４】
さらに光ピックアップ１１７は、光検出器１２５の受光部Ｄ１、Ｄ２１及びＤ２２により反射光ビームＬＣＡＲ、ＬＣＢＲ及びＬＣＣＲをそれぞれ受光し、受光信号をそれぞれ生成する。
【０５０５】
信号処理部１１４は、関連技術による３ビームプッシュプル法によりウォブル信号ＳＷＢＬ２を生成し、そのウォブル信号ＳＷＢＬ２からプリフォーマットされた情報を抽出して、統括制御部１１２に提供する。統括制御部１１２は、その情報に基づき記録開始位置や記録・再生タイミング等を制御する。
【０５０６】
更に信号処理部１１４は、ＤＰＰ法に従い受光信号を用いてトラッキングエラー信号ＳＴＥ２を算出し、これをサーボ制御部１１３Ａへ供給する。サーボ制御部１１３Ａは、トラッキングエラー信号ＳＴＥ２に基づきトラッキング制御を行う。
【０５０７】
［６−３−２．効果］
従って光ディスク装置１１０は、光ピックアップ１１７の光検出器１２５において、第１の実施形態における光検出器１９に受光部Ｄ２１及びＤ２２を追加した構成とすることにより、ＤＰＰ法に対応した受光信号を生成することができる。
【０５０８】
すなわち光ディスク装置１１０では、光ディスク１００がＢＤ方式又はＣＤ方式のいずれの場合であっても、光検出器１２５の受光部Ｄ１による受光信号Ｓ１Ａ〜Ｓ１Ｄを用いて、ウォブル信号ＳＷＢＬ２を生成することができる。そして、更に光ディスク装置１１０では、このような場合でも、同様にフォーカスエラー信号ＳＦＥ１又は再生ＲＦ信号ＳＲＦを生成することができる。更に、光ディスク１００がＢＤ方式の場合、光検出器１２５の受光部Ｄ２による受光信号Ｓ２Ａ及びＳ２Ｂを用いて、ウォブル信号ＳＷＢＬ１を生成することもできる。
【０５０９】
このとき光検出器１２５は、受光部Ｄ１の受光領域Ｄ１Ａ〜Ｄ１Ｄにより反射光ビームＬＢＲＳ０及び反射光ビームＬＣＲＡの双方を受光することができる。これにより光ディスク装置１１０では、両者をそれぞれ独立した受光領域により受光する場合と比較して、光検出器１２５の小型化を図ることができ、ヘッドアンプ１２６内のアンプ回路数を削減することができる。
【０５１０】
また光ディスク装置１１０は、レーザダイオード１３１においてレーザチップ１３１Ｃ及び１３１Ｄを間隔ｕ５だけ離隔させる。そして、光ディスク装置１１０は、光検出器１２５において受光部Ｄ１、Ｄ２１及びＤ２２と受光部Ｄ３１、Ｄ３２及びＤ３３との中心同士がそれぞれ間隔ｕ６だけ離隔している。
【０５１１】
これにより光ディスク装置１１０は、１個の光検出器１２５によりＢＤ方式、ＤＶＤ方式及びＣＤ方式それぞれの反射光ビームを受光することができ、部品点数の削減や装置構成の小型化を図ることができる。
【０５１２】
特にレーザダイオード１３１は、その製造工程により、レーザチップ１３１Ｄ及び１３１Ｃの間隔のばらつきをほぼ皆無とすることができる。これにより光検出器１２５については、間隔ｕ６をほぼ一定の値として設計することができる。
【０５１３】
またホログラム素子１２３は、波長選択性を有することにより、波長約４０５［ｎｍ］でなる反射光ビームＬＢＲを回折させることができる。それと共に、ホログラム素子１２３は、波長約６６０［ｎｍ］でなる反射光ビームＬＤＡＲ、ＬＤＢＲ及びＬＤＣＲ並びに波長約７８０［ｎｍ］でなる反射光ビームＬＣＡＲ、ＬＣＢＲ及びＬＣＣＲをいずれも回折させずに透過させることができる。
【０５１４】
すなわちホログラム素子１２３は、反射光ビームＬＤＡＲ、ＬＤＢＲ及びＬＤＣＲ並びに反射光ビームＬＣＡＲ、ＬＣＢＲ及びＬＣＣＲを不必要に回折させることがないため、光検出器１２５上に不必要な迷光を照射させずに済む。
【０５１５】
さらに光ディスク装置１１０では、アナモルフィックレンズ１２４と光検出器１２５との間にホログラム素子１２３を設けず、当該ホログラム素子１２３をアナモルフィックレンズ１２４の手前に配置している。
【０５１６】
一般に、アナモルフィックレンズ１２４等により反射光ビームＬＢＲを集光させたとき、層間迷光ビームＬＮ等も集光される。ここで、層間迷光ビームＬＮの焦点は、反射光ビームＬＢＲの手前又は奥に形成されることになる。
【０５１７】
ここで光ピックアップの構成としては、集光レンズの焦点距離等を考慮した上で小型化したい場合に、第１の実施形態のように、集光レンズ１６と光検出器１９との間にホログラム素子１７を設ける構成も考えられる。
【０５１８】
しかしながらこのような構成の場合、層間迷光ビームＬＮは、光ディスク１００における層間隔等によっては、ホログラム素子１７等のように介在する光学部品の表面付近や異なる素材の境界面付近で焦点を形成する可能性がある。
【０５１９】
仮にホログラム素子１７の表面に微少な異物が付着し、或いは傷付けられ、さらには気泡が混入していた場合、層間迷光ビームＬＮは小さく集光されているため、その大部分が遮られることになる。この状態でレンズシフトが生じると、層間迷光ビームＬＮがこれに連れて動くことになり、当該層間迷光ビームＬＮの透過・遮断状態が大幅に変化する。この結果、迷光パターンＷの明るさが大きく変動され、各種受光信号に影響が生じるおそれがある。
【０５２０】
これに対し光ディスク装置１１０では、アナモルフィックレンズ１２４と光検出器１２５との間における、層間迷光ビームＬＮの焦点が形成され得る位置に光学部品の表面や境界面等を何ら設けていないため、このような問題を未然に防止することができる。
【０５２１】
また光ディスク装置１１０の場合、ホログラム素子１２３は、平行光である反射光ビームＬＢＲ等について回折作用を呈すれば良い。このためホログラム素子１２３は、収束光でなる当該反射光ビームＬＢＲに対し回折作用を呈する場合と比較して、設計難易度や製造難易度を緩和することができる。さらに光ディスク装置１１０は、これと同様に、偏光プリズム１２１等の他の光学部品についても、平行光でなる光ビームに対し所定の作用を行い得れば良いため、収束光中に設けられる場合と比較してその設計難易度や製造難易度等を緩和することができる。
【０５２２】
さらに光ディスク装置１１０では、第３の実施形態と同様、球面収差補正部６４により光ビームＬＢ及び反射光ビームＬＢＲに生じる球面収差を補正するため、対物レンズ８から出射される光ビームＬＢの光量を変動させることなく安定化することができる。
【０５２３】
以上の構成によれば、第６の実施形態による光ディスク装置１１０は、ＢＤ方式の光ディスク１００Ｂについては第１の実施形態と同様に、アドレス情報や時間情報などのプリフォーマットされた情報を正確かつ安定して抽出することができる。この際、やはり層間迷光ビームの影響を殆ど受けることはない。更に、第６の実施形態による光ディスク装置１１０は、ＢＤ方式の光ディスク１００Ｂについては第１の実施形態と同様に、トラッキング制御及びフォーカス制御を行うことができる。この際もやはり層間迷光ビームの影響を殆ど受けることはない。これに加えて光ディスク装置１１０は、ＤＶＤ方式の光ディスク１００Ｄ及びＣＤ方式の光ディスク１００Ｃについては、光検出器１２５の受光部Ｄ１、Ｄ２１及びＤ２２又は受光部Ｄ３１、Ｄ３２及びＤ３３による受光結果を基に、ウォブル信号を生成できる。同様に、光ディスク装置１１０は、ＤＰＰ法によるトラッキング制御を行うことができる。
【０５２４】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【０５２５】
＜７．他の実施形態＞
例えば、上述した第１の実施形態においては、反射光ビームＬＲ１Ａ及びＬＲ１Ｂを縦方向、すなわち光ディスク１００に形成されているトラック溝の像における走行方向と略平行な方向へ回折させるようにした場合について述べた。
【０５２６】
しかしながら本発明はこれに限らず、反射光ビームＬＲ１Ａ及びＬＲ１Ｂを他の方向へそれぞれ回折させるようにしても良い。この場合、少なくとも反射光ビームＬＲ１Ｃ及びＬＲ１Ｄと異なる方向であることが望ましく、また光検出器１９の受光部Ｄ２を、当該他の方向と対応するよう設ければ良い。第２〜第６の実施形態においても同様である。
【０５２７】
また上述した第１の実施形態においては、反射光ビームＬＲ１Ｃ及びＬＲ１Ｄを横方向、すなわち光ディスク１００に形成されているトラック溝の像における走行方向と略直交する方向へ回折させるようにした場合について述べた。
【０５２８】
しかしながら本発明はこれに限らず、反射光ビームＬＲ１Ｃ及びＬＲ１Ｄを他の方向へそれぞれ回折させるようにしても良い。この場合、この場合、少なくとも反射光ビームＬＲ１Ａ及びＬＲ１Ｂと異なる方向であることが望ましく、また光検出器１９の受光部Ｄ３を、当該他の方向と対応するよう設ければ良い。第２〜第６の実施形態においても同様である。
【０５２９】
さらに上述した第１の実施形態においては、光検出器１９の受光部Ｄ２において、受光領域Ｄ２Ａ及びＤ２Ｂを互いに縦方向に並べて配置するようにした場合について述べた。
【０５３０】
しかしながら本発明はこれに限らず、例えば迷光パターンＷ１Ａ及びＷ１Ｂ（図７（Ｂ））の形成範囲に入らないよう配置可能な場合に、受光領域Ｄ２Ａ及びＤ２Ｂを互いに横方向や他の方向に並べて配置するようにしても良い。第２〜第６の実施形態においても同様である。この場合、ホログラム素子１７における領域１７Ａ及び１７Ｂにおける回折角度については、それぞれ適宜設定されていれば良い。
【０５３１】
さらに上述した第１の実施形態においては、光検出器１９の受光部Ｄ３において、受光領域Ｄ３Ｃ及びＤ３Ｄを互いに横方向に並べて配置するようにした場合について述べた。
【０５３２】
しかしながら本発明はこれに限られない。例えば迷光パターンＷ１Ｃ１及びＷ１Ｃ２（図７（Ｂ））の形成範囲に入らず、且つ迷光パターンＷ１Ｄ１及びＷ１Ｄ２の形成範囲に入らないよう配置可能な場合に、受光領域Ｄ３Ｃ及びＤ３Ｄを互いに縦方向や他の方向に並べて配置するようにしても良い。この場合、ホログラム素子１７における領域１７Ｃ１及び１７Ｃ２並びに領域１７Ｄ１及び１７Ｄ２における回折角度については、それぞれ適宜設定されていれば良い。
【０５３３】
さらに上述した第１の実施形態においては、反射光ビームＬＲ１Ａ及びＬＲ１Ｂを図５及び図６等における下方向へ回折させ、受光部Ｄ２を基準点Ｐの下側に設けるようにした場合について述べた。
【０５３４】
しかしながら本発明はこれに限らず、例えば反射光ビームＬＲ１Ａ及びＬＲ１Ｂを図５及び図６等における上方向へ回折させ、受光部Ｄ２を基準点Ｐの上側に設けるようにしても良い。また、例えば反射光ビームＬＲ１Ａを上方向へ、反射光ビームＬＲ１Ｂを下方向へそれぞれ回折させ、受光領域Ｄ２Ａを基準点Ｐの上側に設け、受光領域Ｄ２Ｂを基準点Ｐの下側に設けるようにしても良い。第２〜第６の実施形態についても同様である。
【０５３５】
さらに上述した第１の実施形態においては、反射光ビームＬＲ１Ｃ１、ＬＲ１Ｃ２、ＬＲ１Ｄ１及びＬＲ１Ｄ２を図５及び図６等における左方向へ回折させ、受光部Ｄ３を基準点Ｐの左側に設けるようにした場合について述べた。
【０５３６】
しかしながら本発明はこれに限らず、例えば反射光ビームＬＲ１Ｃ１、ＬＲ１Ｃ２、ＬＲ１Ｄ１及びＬＲ１Ｄ２を図５及び図６等における右方向へ回折させ、受光部Ｄ２を基準点Ｐの右側に設けるようにしても良い。また、例えば反射光ビームＬＲ１Ｃ１及びＬＲ１Ｃ２を左方向へ、反射光ビームＬＲ１Ｄ１及びＬＲ１Ｄ２を右方向へそれぞれ回折させ、受光領域Ｄ３Ｃを基準点Ｐの左側に設け、受光領域Ｄ３Ｄを基準点Ｐの右側に設けるようにしても良い。第２〜第６の実施形態についても同様である。
【０５３７】
さらに上述した第１の実施形態においては、光検出器１９の受光部Ｄ２及びＤ３を、対象記録層ＹＴから最も離隔した記録層Ｙによる層間迷光ビームＬＮがホログラム素子１７により回折されたときの０次光ビームの照射範囲外に配置する場合について述べた。つまり、迷光検出器１９の受光部Ｄ２及びＤ３を、光パターンＷ３０（図７（Ａ））の形成範囲外に配置するようにした場合について述べた。
【０５３８】
しかしながら本発明はこれに限らず、例えば迷光パターンＷ３０による影響を無視し得るような場合に、光検出器１９における当該迷光パターンＷ３０の形成範囲内にＤ２及びＤ３を配置するようにしても良い。第２〜第６の実施形態においても同様である。特に第３及び第４の実施形態においては、受光部Ｄ１１及びＤ１２についても同様である。
【０５３９】
さらに上述した第１の実施形態においては、光検出器１９における受光部Ｄ４の受光領域Ｄ４Ａ、Ｄ４Ｂ、Ｄ４Ｃ及びＤ４Ｄを、受光部Ｄ１の受光領域Ｄ１Ａ〜Ｄ１Ｄを約４５度回転させたような形状とした。
【０５４０】
しかしながら本発明はこれに限らず、当該受光部Ｄ４及び各受光領域Ｄ４Ａ〜Ｄ４Ｄが種々の形状であっても良く、さらには任意数の受光領域に分割されていても良い。この場合、要は種々の演算処理により光検出器１９の取付角度を算出し得るような受光信号を生成し得れば良い。
【０５４１】
さらに上述した第１の実施形態においては、受光部Ｄ４により反射光ビームＬＲ１Ｅを検出し、その検出結果を基に光検出器１９の取付角度調整に用いるようにした場合について述べた。
【０５４２】
しかしながら本発明はこれに限らず、設計精度により取付角度の調整が不要の場合や他の手法により取付角度の調整を行い得る場合等に、受光部Ｄ４における受光信号を何ら用いないようにし、或いは当該受光部Ｄ４を省略しても良い。
【０５４３】
さらに上述した第１の実施形態においては、各領域１７Ａ〜１７Ｅにいわゆるバイナリ型のホログラムを形成するようにした場合について述べた。
【０５４４】
しかしながら本発明はこれに限らず、各領域１７Ａ〜１７Ｅにいわゆるブレーズ型のホログラムを形成するようにしても良い。これにより、１次回折光の利用効率を高めることができる。第２〜第６の実施形態についても同様である。
【０５４５】
さらに上述した第１の実施形態においては、反射光ビームＬＲ１Ａ〜ＬＲ１Ｅをそれぞれ光検出器１９に焦点を結ぶよう照射する場合について述べた。
【０５４６】
しかしながら本発明はこれに限らず、反射光ビームＬＲ１Ａ〜ＬＲ１Ｅが光検出器１９において焦点を結んだ状態とならなくとも良い。この場合、受光領域Ｄ２Ａ、Ｄ２Ｂ、Ｄ３Ｃ及びＤ３Ｄ等において各反射光ビームを漏れなく受光し得れば良い。第２〜第６の実施形態についても同様である。
【０５４７】
さらに上述した第１の実施形態においては、図５に示したように、受光部Ｄ１において、受光領域Ｄ１Ａ〜Ｄ１Ｄを略正方形と見なしたときの対角線の延長線上に相当する箇所に、それぞれ略正方形状でなる４個の迷光受光領域Ｄ１Ｐ〜Ｄ１Ｓを設けた。
【０５４８】
しかしながら本発明はこれに限らず、各迷光受光領域Ｄ１Ｐ〜Ｄ１Ｓを受光領域Ｄ１Ａ〜Ｄ１Ｄの周囲における任意の箇所に配置し、或いは各迷光受光領域Ｄ１Ｐ〜Ｄ１Ｓを種々の形状や大きさとし、さらには任意数の迷光受光領域を設けるようにしても良い。この場合、迷光受光領域の位置、形状や面積等に応じて（１Ｂ）式の係数ｋ等を適宜設定すれば良い。
【０５４９】
また、トラッキングエラー信号ＳＴＥ１において迷光による影響を無視できる場合には、光検出器１９の受光部Ｄ２における迷光受光領域Ｄ２Ｐ及びＤ２Ｑ並びに受光部Ｄ３における迷光受光領域Ｄ３Ｒ及びＤ３Ｓを省略しても良い。この場合、（２Ａ）式に示したように、（２Ｂ）式の後半部分を省略することができる。
【０５５０】
さらに、フォーカスエラー信号ＳＦＥ１において迷光による影響を無視できる場合には、光検出器１９の受光部Ｄ１における迷光受光領域Ｄ１Ｐ〜Ｄ１Ｓを省略しても良い。この場合、（１Ａ）式に示したように、（１Ｂ）式の後半部分を省略することができる。
【０５５１】
さらに上述した第１の実施形態においては、迷光受光領域Ｄ１Ｐ〜Ｄ１Ｓにより生成する受光信号Ｓ１Ｐ〜Ｓ１Ｓを基に、光ディスク１００が記録層Ｙを１層のみ有しているか否かを判別するようにした場合について述べた。
【０５５２】
しかしながら本発明はこれに限らず、迷光パターンＷを形成する層間迷光ビームＬＮが光ディスク１００において反射された際の、対象記録層ＹＴから記録層Ｙまでの距離に応じて迷光パターンＷの有無が変化する箇所に迷光受光領域を追加しても良い。この場合、例えば迷光パターンＷ３０（図７（Ａ））がかかるものの迷光パターンＷ１０（図７（Ｂ））がかからない箇所が考えられる。
【０５５３】
これにより光ディスク装置１は、信号処理部４のメディア判別信号演算回路４Ｍにおいて、当該追加した迷光受光領域により生成した受光信号を基に、光ディスク１００における記録層Ｙの数を判別することができる。
【０５５４】
さらに上述した第１の実施形態においては、シリンドリカルレンズ１８を光検出器１９から離隔して配置した。そして、ホログラム素子１７により、反射光ビームＬＲの回折時に、シリンドリカルレンズ１８により与えられる非点収差と逆の光学特性を予め持たせる場合について述べた。
【０５５５】
しかしながら本発明はこれに限らず、例えば図３５及び図３６に示すように、シリンドリカルレンズ１８に代わる光学素子１４２を光検出器１９に近接して設けるようにしても良い。この光学素子１４２は、０次光でなる反射光ビームＬＲ０の通過部分にのみシリンドリカルレンズ１８と同様の効果を有するレンズ面１４２Ｓが形成されている。
【０５５６】
これにより光学素子１４１は、１次光でなる反射光ビームＬＲ１Ａ等に不要な非点収差を持たせてしまうことがない。またこの場合、ホログラム素子１４１は、ホログラム素子１７のように反射光ビームＬＲを回折させる際に非点収差と逆の光学特性を予め与える必要がないため、その設計上の制約が緩和されることになる。第２〜第５の実施形態についても同様である。
【０５５７】
さらに上述した第６の実施形態においては、光ディスク装置１１０がＢＤ方式の光ディスク１００Ｂ、ＤＶＤ方式の光ディスク１００Ｄ及びＣＤ方式の光ディスク１００Ｃに対応するようにした場合について述べた。
【０５５８】
しかしながら本発明はこれに限らず、例えばＤＶＤ方式の光ディスク１００Ｄに対応し得ないようにしても良い。この場合、光ピックアップ１１７のレーザダイオード１３１からレーザチップ１３１Ｄを省略することができ、また図３７に示すように、光検出器１２５から受光部Ｄ３１、Ｄ３２及びＤ３３を省略することができる。
【０５５９】
さらに上述した第６の実施形態においては、グレーティング１３２並びにコリメータレンズ１３２及び１３３をそれぞれ個別に設けるようにした場合について述べた。
【０５６０】
しかしながら本発明はこれに限らず、例えば図３０と一部対応する図３８に示すように、光ピックアップ１５０において、グレーティング１３２並びにコリメータレンズ１２及び１３３の機能を一体化した一体型コリメータレンズ１５１を用いるようにしても良い。
【０５６１】
この場合、一体型コリメータレンズ１５１は、光ビームＬＤ及びＬＣが通過する部分にグレーティング１３２と同等の機能を有する回折格子１５１Ｓにより、当該光ビームＬＤ及びＬＣをそれぞれ分離することができる。
【０５６２】
またホログラム素子１２３及びアナモルフィックレンズ１２４（図３０）についても、それぞれ個別に設ける以外にも、図３８に示すように、当該ホログラム素子１２３及び当該アナモルフィックレンズ１２４の機能を一体化したホログラム一体型アナモルフィックレンズ１５２を用いるようにしても良い。
【０５６３】
この場合、反射光ビームの出射面にホログラム素子１２３と同様の機能を有するホログラム１５２Ｓにより、反射光ビームを領域ごとに回折させることができる。
【０５６４】
これにより光ピックアップ１５０は、光ピックアップ１１７と比較して、部品点数を削減でき、製造工数や調整工数の削減を図ることができる。
【０５６５】
さらに上述した第１の実施形態においては、集光レンズ１６と光検出器１９との間にホログラム素子１７を設けるようにした場合について述べた。
【０５６６】
しかしながら本発明はこれに限らず、第６の実施形態と同様、偏光ビームスプリッタ１３と集光レンズ１６との間や、偏光ビームスプリッタ１３と１／４波長板１５との間にホログラム素子１７を設けるようにしても良い。後者の場合、ホログラム素子１７を偏光ホログラム素子として反射光ビームＬＲのみに作用するようにすることが考えられる。
【０５６７】
或いは、光ピックアップ１５０のホログラム一体型アナモルフィックレンズ１５２のように、集光レンズ１６の出射面にホログラム素子１７と同様の機能を有するホログラムを形成するようにしても良い。
【０５６８】
さらに上述した第６の実施形態においては、アナモルフィックレンズ１２４及び光検出器１２５等を特に密封せずに設置するようにした場合について述べた。
【０５６９】
しかしながら本発明はこれに限らず、例えばアナモルフィックレンズ１２４から光検出器１２５までの間等、少なくとも光検出器１２５から（９）式により算出される間隔ｕ７に至るまでの空間を密封するようにしても良い。これにより、異物等によって層間迷光ビームＬＮが部分的に遮断されることを未然に防止することができる。
【０５７０】
さらに上述した第６の実施形態においては、ホログラム素子１２３が波長７８０［ｎｍ］でなる光ビームＬＣを回折させるようにした場合について述べた。しかしながら本発明では、ホログラム素子１２３に波長選択性を持たせることにより、反射光ビームＬＣＡＲ〜ＬＣＣＲ及びＬＤＡＲ〜ＬＤＣＲをそのまま透過させるようにしても良い。
【０５７１】
さらに上述した第１の実施形態においては、図４に示したように、ホログラム素子１７における領域１７Ａ及び領域１７Ｅの境界線と、領域１７Ｂ及び領域１７Ｅの境界線とをそれぞれ直線状とする場合について述べた。
【０５７２】
しかしながら本発明はこれに限らず、例えば図４と対応する図３９（Ａ）及び（Ｂ）に示すように、これらの境界線を曲線状としたホログラム素子１６１を用いるようにしても良い。更に、折れ線状としたホログラム素子１６２等、当該境界線が種々の形状でなるホログラム素子を用いるようにしても良い。第２〜第６の実施形態においても同様である。
【０５７３】
さらに上述した第３〜第６の実施形態においては、球面収差補正部６４を凸レンズの固定レンズ６４Ｆと凹レンズの可動レンズ６４Ｍとにより、いわゆるガリレオ式のビームエクスパンダとして構成する場合について述べた（図１４、図２１、図３０）。
【０５７４】
しかしながら本発明はこれに限らない。例えば図４０に示すように、球面収差補正部６４に代わる球面収差補正部１７０として、いずれも凸レンズでなる固定レンズ１７０Ｆと可動レンズ１７０Ｍとにより、いわゆるケプラー式のビームエクスパンダとして構成するようにしても良い。
【０５７５】
この場合、さらに光ビームの焦点付近にスリット１７０Ｓを設けることにより、層間迷光ビームの大部分を効果的に遮断することができ、光検出器１２５上に形成される迷光パターンＷを縮小させることができる。
【０５７６】
これにより、例えば光検出器１２５上における受光部Ｄ１から受光部Ｄ２、Ｄ３及びＤ４間での間隔を狭めて小型化することも可能となる。またホログラム素子６９については、反射光ビームＬＢＲの回折角度を小さくすることができるので、格子ピッチを比較的大きくすることができ、設計上の制約を緩和できる。
【０５７７】
さらに上述した第１の実施形態においては、ヘッドアンプ２２内の複数のアンプ回路により受光信号Ｓ１Ａ〜Ｓ１Ｄをそれぞれ増幅してから（４）式に従って加算することにより、再生ＲＦ信号ＳＲＦを算出するようにした場合について述べた。
【０５７８】
しかしながら本発明はこれに限らず、例えば受光信号Ｓ１Ａ〜Ｓ１Ｄを（４）式に従って加算してからヘッドアンプ２２内の単一のアンプ回路により増幅して再生ＲＦ信号ＳＲＦを生成するようにしても良い。この場合、利用するアンプ回路の数を削減することができるので、アンプ回路により重畳され得るアンプノイズを低減することが可能となる。
【０５７９】
また、例えば（１Ａ）式及び（１Ｂ）式における（Ｓ１Ａ＋Ｓ１Ｃ）や（Ｓ１Ｂ＋Ｓ１Ｄ）等の加算演算等についても、当該加算演算後にアンプ回路によって増幅するようにしても良い。他の演算式及び第２〜第６の実施形態についても同様である。
【０５８０】
さらに上述した第１の実施形態においては、光ディスク装置１が光ディスク１００に対し情報の記録処理及び再生処理の双方を行い得るようにした場合について述べた。
【０５８１】
しかしながら本発明はこれに限らず、例えば光ディスク１００の再生処理のみを行い得る光ディスク装置に本発明を適用するようにしても良い。第２〜第６の実施形態についても同様である。さらに第６の実施形態においては、例えばＢＤ方式の光ディスク１００Ｄについては再生処理のみを行い、ＤＶＤ方式の光ディスク１００Ｄ及びＣＤ方式の光ディスク１００Ｃについては記録処理及び再生処理の双方を行い得るようにする等しても良い。
【０５８２】
さらに上述した実施形態においては、光源としてのレーザダイオード１１と、対物レンズとしての対物レンズ８と、レンズ移動部としての２軸アクチュエータ９と、集光レンズとしての集光レンズ１６と、ホログラム素子としてのホログラム素子１７と、光検出器としての光検出器１９とによって光ピックアップとしての光ピックアップ７を構成する場合について述べた。
【０５８３】
しかしながら本発明はこれに限らず、その他種々の回路構成でなる光源と、対物レンズと、レンズ移動部と、集光レンズと、ホログラム素子と、光検出器とによって光ピックアップを構成するようにしても良い。
【０５８４】
さらに上述した実施形態においては、光源としてのレーザダイオード１１と、対物レンズとしての対物レンズ８と、レンズ移動部としての２軸アクチュエータ９と、集光レンズとしての集光レンズ１６と、ホログラム素子としてのホログラム素子１７と、光検出器としての光検出器１９と、信号処理部としての信号処理部４と、サーボ制御部としてのサーボ制御部３Ａとによって光ディスク装置としての光ディスク装置１を構成する場合について述べた。
【０５８５】
しかしながら本発明はこれに限らず、その他種々の回路構成でなる光源と、対物レンズと、レンズ移動部と、集光レンズと、ホログラム素子と、光検出器と、信号処理部と、サーボ制御部とによって光ディスク装置を構成するようにしても良い。
【０５８６】
また、上記各実施形態で説明した統括制御部２等、信号処理部４等、サーボ制御部３Ａ等、光源制御部２１等における処理は、専用のハードウエア（演算回路等）により実行させてもよいが、ソフトウエアにより実行させてもよい。一連の処理をソフトウエアにより行う場合、図４１に示すような汎用又は専用のコンピュータ９００にプログラムを実行させることにより、上記の一連の処理を実現することができる。
【０５８７】
図４１は、プログラムを実行することにより一連の処理を実現するコンピュータ９００の構成例を説明するための説明図である。一連の処理を行うプログラムのコンピュータ９００による実行について説明すれば、以下のようになる。
【０５８８】
図４１に示すように、コンピュータ９００は、例えば、バス９０１及びバス９０２と、ブリッジ９０３と、ＣＰＵ（Ｃｅｎｔｒａｌ  Ｐｒｏｃｅｓｓｉｎｇ  Ｕｎｉｔ）９０４と、記録装置と、入出力インターフェイス９０７と、入力装置９０８と、出力装置９０９と、ドライブ９１２と、通信装置９１４となどを有する。これらの各構成は、ブリッジ９０３により接続されたバス９０１及びバス９０２や、入出力インターフェイス９０７等を介して相互に情報を伝達可能に接続されている。
【０５８９】
プログラムは、例えば、記録装置の一例である、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などのストレージ装置９１１・ＲＯＭ（Ｒｅａｄ  Ｏｎｌｙ  Ｍｅｍｏｒｙ）９０５・ＲＡＭ（Ｒａｎｄｏｍ  Ａｃｃｅｓｓ  Ｍｅｍｏｒｙ）９０６等に記録しておくことがきる。
【０５９０】
また、プログラムは、例えば、フレキシブルディスクなどの磁気ディスク、各種のＣＤ（Ｃｏｍｐａｃｔ  Ｄｉｓｃ）・ＭＯ（Ｍａｇｎｅｔｏ  Ｏｐｔｉｃａｌ）ディスク・ＤＶＤ（Ｄｉｇｉｔａｌ  Ｖｅｒｓａｔｉｌｅ  Ｄｉｓｃ）等の光ディスク、半導体メモリ等のリムーバブル記憶媒体９１３に、一時的又は永続的に記録しておくこともできる。このようなリムーバブル記憶媒体９１３は、いわゆるパッケージソフトウエアとして提供することもできる。これらのリムーバブル記憶媒体９１３に記録されたプログラムは、ドライブ９１２により読み出されて、入出力インターフェイス９０７・バス９０１，９０２等を介して上記の記録装置に記録されてもよい。
【０５９１】
更に、プログラムは、例えば、ダウンロードサイト・他のコンピュータ・他の記録装置等（図示せず）に記録しておくこともできる。この場合、プログラムは、ＬＡＮ（Ｌｏｃａｌ  Ａｒｅａ  Ｎｅｔｗｏｒｋ）・インターネット等のネットワーク９１５を介して転送され、通信装置９１４がこのプログラムを受信する。そして、通信装置９１４が受信したプログラムは、入出力インターフェイス９０７・バス９０１，９０２等を介して上記の記録装置に記録されてもよい。
【０５９２】
そして、ＣＰＵ９０４が、上記の記録装置に記録されたプログラムに従い各種の処理を実行することにより、上記の一連の処理が、実現される。この際、ＣＰＵ９０４は、例えば、上記の記録装置からプログラムを、直接読み出して実行してもよく、ＲＡＭ９０５に一旦ロードした上で実行してもよい。更にＣＰＵ９０４は、例えば、プログラムを通信装置９１４やドライブ９１２を介して受信する場合、受信したプログラムを記録装置に記録せずに直接実行してもよい。
【０５９３】
更に、ＣＰＵ９０４は、必要に応じて、例えばマウス・キーボード・マイク（図示せず）等の入力装置９０８から入力する信号や情報に基づいて各種の処理を行ってもよい。
【０５９４】
そして、ＣＰＵ９０４は、上記の一連の処理を実行した結果を、例えばモニタなどの表示装置・スピーカやヘッドホンなどの音声出力装置等の出力装置９０９から出力してもよい。更にＣＰＵ９０４は、必要に応じてこの処理結果を通信装置９１４から送信してもよく、上記の記録装置やリムーバブル記憶媒体９１３に記録させてもよい。
【産業上の利用可能性】
【０５９５】
本発明は、映像や音声或いは種々のデータ等の情報を光ディスクに記録し、また当該光ディスクから当該情報を再生する光ディスク装置でも利用できる。
【図面の簡単な説明】
【０５９６】
【図１】第１の実施形態による光ディスク装置の構成を示す略線図である。
【図２】第１の実施形態による光ピックアップの構成を示す略線図である。
【図３】光ディスクの記録層による光ビームの反射の説明に供する略線図である。
【図４】第１の実施形態によるホログラム素子の構成を示す略線図である。
【図５】第１の実施形態による光検出器の構成を示す略線図である。
【図６】第１の実施形態による光ビームの分離の様子を示す略線的斜視図である。
【図７】迷光パターンの形成（１）を示す略線図である。
【図８】迷光パターンの形成（２）を示す略線図である。
【図９Ａ】第１の実施形態によるフォーカスエラー信号演算回路の構成例を示す略線図である。
【図９Ｂ】第１の実施形態によるトラッキングエラー信号演算回路及びウォブル信号演算回路の構成例を示す略線図である。
【図９Ｃ】第１の実施形態による再生信号演算回路の構成例を示す略線図である。
【図１０Ａ】関連技術による光検出器の構成を示す略線図である。
【図１０Ｂ】関連技術によるトラッキングエラー信号演算回路及びウォブル信号演算回路の構成例を示す略線図である。
【図１１】第２の実施形態によるホログラム素子の構成を示す略線図である。
【図１２】第２の実施形態による光ビームの分離の様子を示す略線的斜視図である。
【図１３】第２の実施形態による光検出器の構成及び迷光パターンの形成を示す略線図である。
【図１４】第３の実施形態による光ピックアップの構成を示す略線図である。
【図１５】第３の実施形態による複合ホログラム素子の構成を示す略線図である。
【図１６】偏光ホログラムの構成（１）を示す略線図である。
【図１７】偏光ホログラムの構成（２）を示す略線図である。
【図１８】第３の実施形態による光ビームの分離の様子を示す略線的斜視図である。
【図１９】第３の実施形態による光検出器の構成を示す略線図である。
【図２０】第３の実施形態による迷光パターンの形成を示す略線図である。
【図２１】第４の実施形態による光ピックアップの構成を示す略線図である。
【図２２】第４の実施形態による複合ホログラム素子の構成を示す略線図である。
【図２３】偏光ホログラムの構成（３）を示す略線図である。
【図２４】第４の実施形態による光ビームの分離の様子を示す略線的斜視図である。
【図２５】第４の実施形態による光検出器の構成を示す略線図である。
【図２６】第４の実施形態による迷光パターンの形成を示す略線図である。
【図２７】第５の実施形態による光ピックアップの構成を示す略線図である。
【図２８】第５の実施形態における光学素子の配置の説明に供する略線図である。
【図２９】第６の実施形態による光ディスク装置の構成を示す略線図である。
【図３０】第６の実施形態による光ピックアップの構成を示す略線図である。
【図３１】第６の実施形態によるホログラム素子の構成を示す略線図である。
【図３２】第６の実施形態による光検出器の構成を示す略線図である。
【図３３】第１の実施形態によるトラッキングエラー信号演算回路及びウォブル信号演算回路の構成例を示す略線図である。
【図３４】２波長レーザダイオードの構成を示す略線的斜視図である。
【図３５】他の実施形態によるシリンドリカルレンズの構成（１）を示す略線図である。
【図３６】他の実施形態によるシリンドリカルレンズの構成（２）を示す略線図である。
【図３７】他の実施形態による光検出器の構成を示す略線図である。
【図３８】他の実施形態による光ピックアップの構成を示す略線図である。
【図３９】他の実施形態によるホログラム素子の構成を示す略線図である。
【図４０】他の実施形態による球面収差補正部の構成を示す略線図である。
【図４１】プログラムを実行することにより一連の処理を実現するコンピュータの構成例を説明するための説明図である。
【符号の説明】
【０５９７】
１、３０、５０、７０、１１０        光ディスク装置
２、１１２                          統括制御部
３、５３、１１３                    駆動制御部
３Ａ、５３Ａ、１１３Ａ              サーボ制御部
３ＡＴ、５３ＡＴ、１１３ＡＴ        トラッキング制御部
４、３４、５４、７４、１１４        信号処理部
４Ｔ、５４Ｔ、１１４Ｔ              トラッキングエラー信号演算回路
４Ｗ                                ウォブル信号演算回路
７、３７、５７、７７、１１７        光ピックアップ
８、１３５                          対物レンズ
９                                  ２軸アクチュエータ
９Ｔ                                フォーカスアクチュエータ
１１、１３１                        レーザダイオード
１６                                集光レンズ
１７、４７、１２３                  ホログラム素子
１７Ａ、１７Ｂ、１７Ｃ１                    領域
１７Ｃ２、１７Ｄ１、１７Ｄ２、１７Ｅ        領域
１８                                シリンドリカルレンズ
１９、６９、８９、１２５            光検出器
６７、８７                          複合ホログラム素子
６７Ａ                              １／２波長板
６７Ｂ、６７Ｃ、８７Ｃ              偏光ホログラム
１００                              光ディスク
１１４Ｓ                            切替回路
Ｙ                                  記録層
ＹＴ                                対象記録層
Ｄ１、Ｄ２、Ｄ３、Ｄ４、Ｄ１１、Ｄ１２        受光領域群
Ｄ２１、Ｄ２２、Ｄ３１、Ｄ３２、Ｄ３３        受光領域群
Ｄ２Ａ、Ｄ２Ｂ、Ｄ３Ｃ、Ｄ３Ｄ      受光領域
Ｓ２Ａ、Ｓ２Ｂ、Ｓ３Ｃ、Ｓ３Ｄ      受光信号
Ｌ１                      光ビーム
ＬＲ                      反射光ビーム
ＬＮ                      層間迷光ビーム
Ｗ                        迷光パターン
ＳＴＥ１、ＳＴＥ２        トラッキングエラー信号
【図１】
2010170604.tif 000021
【図２】
2010170604.tif 000022
【図３】
2010170604.tif 000023
【図４】
2010170604.tif 000024
【図５】
2010170604.tif 000025
【図６】
2010170604.tif 000026
【図７】
2010170604.tif 000027
【図８】
2010170604.tif 000028
【図９Ａ】
2010170604.tif 000029
【図９Ｂ】
2010170604.tif 000030
【図９Ｃ】
2010170604.tif 000031
【図１０Ａ】
2010170604.tif 000032
【図１０Ｂ】
2010170604.tif 000033
【図１１】
2010170604.tif 000034
【図１２】
2010170604.tif 000035
【図１３】
2010170604.tif 000036
【図１４】
2010170604.tif 000037
【図１５】
2010170604.tif 000038
【図１６】
2010170604.tif 000039
【図１７】
2010170604.tif 000040
【図１８】
2010170604.tif 000041
【図１９】
2010170604.tif 000042
【図２０】
2010170604.tif 000043
【図２１】
2010170604.tif 000044
【図２２】
2010170604.tif 000045
【図２３】
2010170604.tif 000046
【図２４】
2010170604.tif 000047
【図２５】
2010170604.tif 000048
【図２６】
2010170604.tif 000049
【図２７】
2010170604.tif 000050
【図２８】
2010170604.tif 000051
【図２９】
2010170604.tif 000052
【図３０】
2010170604.tif 000053
【図３１】
2010170604.tif 000054
【図３２】
2010170604.tif 000055
【図３３】
2010170604.tif 000056
【図３４】
2010170604.tif 000057
【図３５】
2010170604.tif 000058
【図３６】
2010170604.tif 000059
【図３７】
2010170604.tif 000060
【図３８】
2010170604.tif 000061
【図３９】
2010170604.tif 000062
【図４０】
2010170604.tif 000063
【図４１】
2010170604.tif 000064